(57)【要約】  本出願は、通信技術の分野に関し、偏波チャネルの信頼性オーダーの正確さを改善するために、Polar符号化方法および装置を開示する。方法は、符号化予定ビットを符号化するために使用されるシーケンスを判断することと、符号化済ビットを取得するためにシーケンスを使用することによって、符号化予定ビットに対してPolar符号化を行うことと、を含み、ここで、シーケンスは、N個の偏波チャネルの信頼性オーダーを表現するために使用され、Nは、Polar符号の母符号長であり、Nは、2の正の整数乗である。
2020528250.tif 000002
【特許請求の範囲】
【請求項１】
ポーラPolar符号化方法であって、
符号化予定ビットを符号化するために使用されるシーケンスを判断するステップであって、前記シーケンスが、N個の偏波チャネルの信頼性オーダーを表現するために使用され、Nが、Polar符号の母符号長であり、Nが、2の正の整数乗である、ステップと、
符号化済ビットを取得するために前記シーケンスを使用することによって、前記符号化予定ビットに対してPolar符号化を行うステップと
を含む、ポーラPolar符号化方法。
【請求項２】
前記符号化予定ビットを符号化するために使用される前記シーケンスを判断する前記ステップが、
前記母符号長Nおよび予めセットされたシーケンスに基づいて、前記符号化予定ビットを符号化するために使用される前記シーケンスを判断するステップ
を含む、請求項1に記載の方法。
【請求項３】
前記符号化予定ビットを符号化するために使用される前記シーケンスが、別のシーケンスの全てまたはサブセットであり、前記別のシーケンスが、Nmax個の偏波チャネルのシーケンス番号を含み、前記Nmax個のシーケンス番号が、前記Nmax個の偏波チャネルの信頼性に基づいて前記別のシーケンス内に配列され、Nmaxが、2の正の整数乗であり、Nmax≧Nである、請求項1または2に記載の方法。
【請求項４】
Nmax=1024である、請求項3に記載の方法。
【請求項５】
前記符号化予定ビットの長さがKであり、前記K個の符号化予定ビットが、前記N個の偏波チャネル内のK個の偏波チャネルにマッピングされる、請求項1から4のいずれか一項に記載の方法。
【請求項６】
N=1024であるとき、前記シーケンスが、
【数１】
2020528250.tif 000145
であり、
【数２】
2020528250.tif 000146
が、前記シーケンス内のサブシーケンスであり、nが、前記シーケンス内の前記サブシーケンスのシーケンス番号であり、n∈{1, 2, 3}であり、mが、第nのサブシーケンスの長さを示し、前記サブシーケンス内の要素の位置が、前記サブシーケンス内で相互に交換されることが可能であり、前記シーケンスが、前記N個の偏波チャネルのシーケンス番号を含む、
請求項1から5のいずれか一項に記載の方法。
【請求項７】
【数３】
2020528250.tif 000147
が、
【数４】
2020528250.tif 000148
= (33, 7, 65, 513, 4, 13, 6, 19, 129, 10, 34, 18, 11, 257, 21, 35, 25, 66, 8, 37, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 70, 50, 75, 161, 43, 521, 273, 193, 71, 45, 132, 82, 16, 289, 51, 135, 74, 515, 24, 53, 321, 134, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 209, 268, 386, 325, 305, 537, 769, 533, 164, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 171, 198, 642, 178, 282, 92, 553, 202, 389, 294, 199, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 156, 110, 534, 401, 306, 301, 643, 211, 185, 327, 539, 116, 168, 593, 158, 226, 307, 548, 330, 111, 771, 213, 118, 172, 551, 331, 227, 649, 388, 309, 159, 609, 417, 338, 535, 217, 272, 550, 119, 280, 538, 333, 390, 174, 580, 122, 200, 777, 180, 229, 554, 339, 657, 313, 541, 391, 175, 582, 394, 284, 773, 123, 673, 555, 785, 64, 341, 705, 449, 562, 354, 801, 395, 233, 204, 528, 583, 557, 296, 286, 182, 125, 206, 241, 644, 586, 563, 287, 300, 355, 183, 402, 212, 397, 345, 587, 833, 565, 96, 186, 207, 328, 646, 536, 403, 594, 187, 357, 589, 569, 308, 647, 419, 214, 302, 228, 303, 897, 595, 361, 112, 650, 772, 418, 540, 215, 405, 310, 189, 450, 332, 218, 160, 610, 597, 552, 651, 120, 230, 334, 409, 542, 774, 611, 658, 311, 421, 601, 219, 369, 231, 653, 392, 176, 314, 340, 543, 335, 124, 556, 775, 234, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 246, 619, 350, 788, 128, 782, 898, 408, 667, 437, 592, 364, 621, 466, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 446, 933, 847, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 874, 639, 755, 256, 969, 870, 492, 479, 384, 911, 816, 918, 728, 871, 702, 932, 861, 500, 757, 732, 824, 923, 875, 977, 919, 503, 934, 744, 761, 882, 495, 703, 922, 877, 502, 848, 993, 448, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021)
および
【数５】
2020528250.tif 000149
という条件のうちの少なくとも1つを満たす、請求項6に記載の方法。
【請求項８】
N=64であるとき、前記シーケンスが、
[1, 2, (5, 9, 3), 17, 33, (7, 4, 13, 6, 19, 10, 34, 18, 11), 21, 35, 25, (8, 37), (12, 41), (20, 14, 49), 15, 22, (27, 36, 39, 23, 38, 26), 42, 29, (50, 43), 45, (16, 51), (24, 53), (57, 28), 40, 30, (44, 31), 46, 52, 47, 54, 55, 58, 59, 61, 32, 48, 56, 60, 62, 63, 64];
[1, 2, (5, 9, 3), 17, (33, 7, 4, 13, 6, 19, 10, 34, 18, 11), 21, 35, 25, (8, 37), (12, 41), (20, 14, 49), 15, 22, (27, 36, 39, 23, 38, 26), (42, 29), (50, 43, 45, 16, 51), (24, 53), (57, 28), 40, 30, (44, 31), 46, 52, 47, 54, 55, 58, 59, (61, 32), 48, 56, 60, 62, 63, 64];  または
[1, 2, (5, 9, 3), 17, (33, 7, 4, 13, 6, 19, 10, 34, 18, 11, 21, 35, 25, 8, 37), (12, 41), (20, 14, 49), 15, 22, (27, 36, 39, 23, 38, 26), (42, 29), (50, 43, 45, 16, 51), (24, 53), (57, 28, 40), 30, (44, 31), 46, 52, 47, 54, 55, 58, 59, (61, 32), 48, 56, 60, 62, 63, 64]というシーケンスのいずれか1つであり、
丸括弧内の要素の位置が、前記丸括弧内で相互に交換されることが可能である、
請求項1から5のいずれか一項に記載の方法。
【請求項９】
N=128であるとき、前記シーケンスが、
[1, 2, (5, 9, 3), 17, (33, 7, 65, 4, 13, 6, 19, 10, 34, 18, 11, 21, 35, 25, 66, 8, 37, 67, 12, 41), (20, 14, 69, 49, 15, 73), 22, (27, 36, 81, 39, 23, 38, 26, 97, 68, 42, 29), (70, 50, 75, 43, 71, 45, 82, 16, 51, 74, 24, 53), 77, (83, 57, 28, 98, 40, 85, 30), (44, 99, 31, 89, 72, 46, 101), 52, (47, 76, 105, 54), (78, 55, 84, 58, 113, 86, 79, 59, 100, 87, 61, 90, 102, 91, 32), (103, 106, 48, 93), (107, 56, 114), (80, 109), (60, 115), (88, 62, 117), (92, 63, 121, 104), 94, (108, 95), 110, 116, 111, 118, (119, 122, 123, 64, 125, 96), 112, 120, 124, 126, 127, 128]であり、
丸括弧内の要素の位置が、前記丸括弧内で相互に交換されることが可能である、
請求項1から5のいずれか一項に記載の方法。
【請求項１０】
N=256であるとき、前記シーケンスが、
[1, 2, (5, 9, 3), 17, (33, 7, 65, 4, 13, 6, 19, 129, 10, 34, 18, 11, 21, 35, 25, 66, 8, 37, 67, 130, 12, 41, 20, 133, 14, 69, 49, 15, 73, 22, 131, 27, 36, 81, 137, 39, 23, 38, 26, 97, 68, 42, 145, 29, 70, 50, 75, 161, 43, 193, 71, 45, 132, 82, 16, 51, 135, 74, 24, 53, 134, 77, 83, 138, 57, 28, 98, 40, 139, 85, 30, 146, 44, 99, 141, 31, 89, 147, 72, 162, 46, 101, 149, 52, 47, 76, 105, 165, 194, 54, 163, 78, 153, 55, 84, 58, 113, 86, 136, 195, 79, 59, 169, 100, 140, 197, 87, 177, 61, 90, 102, 148, 142, 143, 91, 201, 32, 103, 106, 150, 48, 93, 209, 164, 154, 151, 107, 56, 166, 114, 155, 80, 225, 167, 109, 60, 115, 196, 170, 157, 88, 62, 117, 171, 198, 178, 92, 202, 199, 63, 144, 173, 121, 104, 179, 203, 94, 152, 210, 181, 108, 95, 205, 156, 110, 211, 185, 116, 168, 158, 226, 111, 213, 118, 172, 227, 159, 217, 119, 174, 122, 200, 180, 229, 175, 123, 64, 233, 204, 182, 125, 206, 241, 183, 212, 96, 186, 207, 187, 214, 228, 112, 215, 189, 218, 160, 120, 230, 219), (231, 176, 124, 234, 221, 126, 235, 184, 242, 188, 208, 237, 127, 243), (216, 245, 190), (220, 249, 191, 232), 222, (236, 223), (238, 244, 239, 246, 128), (247, 250, 251, 192), (253, 224), 240, 248, 252, 254, 255, 256]であり、
丸括弧内の要素の位置が、前記丸括弧内で相互に交換されることが可能である、
請求項1から5のいずれか一項に記載の方法。
【請求項１１】
N=512であるとき、前記シーケンスが、
[1, 2, (5, 9, 3), 17, (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438), (462, 381, 248, 442, 352, 470, 439, 463, 252, 497, 468, 368, 443, 475, 484, 380, 416, 254, 445, 486, 471, 376, 474, 432, 487, 490, 255, 477), (440, 493, 382, 499, 464, 491, 383, 472, 498, 444, 501, 446, 447, 476, 488, 478, 494, 505, 256, 492, 479, 384, 500, 503, 495, 502, 448, 506), 507, (480, 509), (504, 496), 508, 510, 511, 512]または
【数６】
2020528250.tif 000150
というシーケンスのいずれか1つであり、
【数７】
2020528250.tif 000151
= (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438, 462, 381, 248, 442, 352, 470, 439, 463, 252, 497, 468, 368, 443, 475, 484, 380, 416, 254, 445, 486, 471, 376, 474, 432, 487, 490, 255, 477); 
【数８】
2020528250.tif 000152
および
【数９】
2020528250.tif 000153
であり、
丸括弧内の要素の位置が、前記丸括弧内で相互に交換されることが可能である、
請求項1から5のいずれか一項に記載の方法。
【請求項１２】
ポーラPolar符号化装置であって、
符号化予定ビットを符号化するために使用されるシーケンスを判断するように構成された判断ユニットであって、前記シーケンスが、N個の偏波チャネルの信頼性オーダーを表現するために使用され、Nが、Polar符号の母符号長であり、Nが、2の正の整数乗である、判断ユニットと、
符号化済ビットを取得するために前記シーケンスを使用することによって、前記符号化予定ビットに対してPolar符号化を行うように構成された符号化ユニットと
を備える、ポーラPolar符号化装置。
【請求項１３】
前記判断ユニットが、
前記母符号長Nおよび予めセットされたシーケンスに基づいて、前記符号化予定ビットを符号化するために使用される前記シーケンスを判断すること
を行うように具体的に構成される、請求項12に記載の装置。
【請求項１４】
前記符号化予定ビットを符号化するために使用される前記シーケンスが、別のシーケンスの全てまたはサブセットであり、前記別のシーケンスが、Nmax個の偏波チャネルのシーケンス番号を含み、前記Nmax個のシーケンス番号が、前記Nmax個の偏波チャネルの信頼性に基づいて前記別のシーケンス内に配列され、Nmaxが、2の正の整数乗であり、Nmax≧Nである、請求項12または13に記載の装置。
【請求項１５】
Nmax=1024である、請求項14に記載の装置。
【請求項１６】
前記符号化予定ビットの長さがKであり、前記K個の符号化予定ビットが、前記N個の偏波チャネル内のK個の偏波チャネルにマッピングされる、請求項12から15のいずれか一項に記載の装置。
【請求項１７】
N=1024であるとき、前記シーケンスが、
【数１０】
2020528250.tif 000154
であり、
【数１１】
2020528250.tif 000155
が、前記シーケンス内のサブシーケンスであり、nが、前記シーケンス内の前記サブシーケンスのシーケンス番号であり、n∈{1, 2, 3}であり、mが、第nのサブシーケンスの長さを示し、前記サブシーケンス内の要素の位置が、前記サブシーケンス内で相互に交換されることが可能であり、前記シーケンスが、前記N個の偏波チャネルのシーケンス番号を含む、
請求項12から16のいずれか一項に記載の装置。
【請求項１８】
【数１２】
2020528250.tif 000156
が、
【数１３】
2020528250.tif 000157
= (33, 7, 65, 513, 4, 13, 6, 19, 129, 10, 34, 18, 11, 257, 21, 35, 25, 66, 8, 37, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 70, 50, 75, 161, 43, 521, 273, 193, 71, 45, 132, 82, 16, 289, 51, 135, 74, 515, 24, 53, 321, 134, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 209, 268, 386, 325, 305, 537, 769, 533, 164, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 171, 198, 642, 178, 282, 92, 553, 202, 389, 294, 199, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 156, 110, 534, 401, 306, 301, 643, 211, 185, 327, 539, 116, 168, 593, 158, 226, 307, 548, 330, 111, 771, 213, 118, 172, 551, 331, 227, 649, 388, 309, 159, 609, 417, 338, 535, 217, 272, 550, 119, 280, 538, 333, 390, 174, 580, 122, 200, 777, 180, 229, 554, 339, 657, 313, 541, 391, 175, 582, 394, 284, 773, 123, 673, 555, 785, 64, 341, 705, 449, 562, 354, 801, 395, 233, 204, 528, 583, 557, 296, 286, 182, 125, 206, 241, 644, 586, 563, 287, 300, 355, 183, 402, 212, 397, 345, 587, 833, 565, 96, 186, 207, 328, 646, 536, 403, 594, 187, 357, 589, 569, 308, 647, 419, 214, 302, 228, 303, 897, 595, 361, 112, 650, 772, 418, 540, 215, 405, 310, 189, 450, 332, 218, 160, 610, 597, 552, 651, 120, 230, 334, 409, 542, 774, 611, 658, 311, 421, 601, 219, 369, 231, 653, 392, 176, 314, 340, 543, 335, 124, 556, 775, 234, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 246, 619, 350, 788, 128, 782, 898, 408, 667, 437, 592, 364, 621, 466, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 446, 933, 847, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 874, 639, 755, 256, 969, 870, 492, 479, 384, 911, 816, 918, 728, 871, 702, 932, 861, 500, 757, 732, 824, 923, 875, 977, 919, 503, 934, 744, 761, 882, 495, 703, 922, 877, 502, 848, 993, 448, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021)
および
【数１４】
2020528250.tif 000158
という条件のうちの少なくとも1つを満たす、請求項17に記載の装置。
【請求項１９】
N=64であるとき、前記シーケンスが、
[1, 2, (5, 9, 3), 17, 33, (7, 4, 13, 6, 19, 10, 34, 18, 11), 21, 35, 25, (8, 37), (12, 41), (20, 14, 49), 15, 22, (27, 36, 39, 23, 38, 26), 42, 29, (50, 43), 45, (16, 51), (24, 53), (57, 28), 40, 30, (44, 31), 46, 52, 47, 54, 55, 58, 59, 61, 32, 48, 56, 60, 62, 63, 64];
[1, 2, (5, 9, 3), 17, (33, 7, 4, 13, 6, 19, 10, 34, 18, 11), 21, 35, 25, (8, 37), (12, 41), (20, 14, 49), 15, 22, (27, 36, 39, 23, 38, 26), (42, 29), (50, 43, 45, 16, 51), (24, 53), (57, 28), 40, 30, (44, 31), 46, 52, 47, 54, 55, 58, 59, (61, 32), 48, 56, 60, 62, 63, 64]または
[1, 2, (5, 9, 3), 17, (33, 7, 4, 13, 6, 19, 10, 34, 18, 11, 21, 35, 25, 8, 37), (12, 41), (20, 14, 49), 15, 22, (27, 36, 39, 23, 38, 26), (42, 29), (50, 43, 45, 16, 51), (24, 53), (57, 28, 40), 30, (44, 31), 46, 52, 47, 54, 55, 58, 59, (61, 32), 48, 56, 60, 62, 63, 64]というシーケンスのいずれか1つであり、
丸括弧内の要素の位置が、前記丸括弧内で相互に交換されることが可能である、
請求項12から16のいずれか一項に記載の装置。
【請求項２０】
N=128であるとき、前記シーケンスが、
[1, 2, (5, 9, 3), 17, (33, 7, 65, 4, 13, 6, 19, 10, 34, 18, 11, 21, 35, 25, 66, 8, 37, 67, 12, 41), (20, 14, 69, 49, 15, 73), 22, (27, 36, 81, 39, 23, 38, 26, 97, 68, 42, 29), (70, 50, 75, 43, 71, 45, 82, 16, 51, 74, 24, 53), 77, (83, 57, 28, 98, 40, 85, 30), (44, 99, 31, 89, 72, 46, 101), 52, (47, 76, 105, 54), (78, 55, 84, 58, 113, 86, 79, 59, 100, 87, 61, 90, 102, 91, 32), (103, 106, 48, 93), (107, 56, 114), (80, 109), (60, 115), (88, 62, 117), (92, 63, 121, 104), 94, (108, 95), 110, 116, 111, 118, (119, 122, 123, 64, 125, 96), 112, 120, 124, 126, 127, 128]であり、
丸括弧内の要素の位置が、前記丸括弧内で相互に交換されることが可能である、
請求項12から16のいずれか一項に記載の装置。
【請求項２１】
N=256であるとき、前記シーケンスが、
[1, 2, (5, 9, 3), 17, (33, 7, 65, 4, 13, 6, 19, 129, 10, 34, 18, 11, 21, 35, 25, 66, 8, 37, 67, 130, 12, 41, 20, 133, 14, 69, 49, 15, 73, 22, 131, 27, 36, 81, 137, 39, 23, 38, 26, 97, 68, 42, 145, 29, 70, 50, 75, 161, 43, 193, 71, 45, 132, 82, 16, 51, 135, 74, 24, 53, 134, 77, 83, 138, 57, 28, 98, 40, 139, 85, 30, 146, 44, 99, 141, 31, 89, 147, 72, 162, 46, 101, 149, 52, 47, 76, 105, 165, 194, 54, 163, 78, 153, 55, 84, 58, 113, 86, 136, 195, 79, 59, 169, 100, 140, 197, 87, 177, 61, 90, 102, 148, 142, 143, 91, 201, 32, 103, 106, 150, 48, 93, 209, 164, 154, 151, 107, 56, 166, 114, 155, 80, 225, 167, 109, 60, 115, 196, 170, 157, 88, 62, 117, 171, 198, 178, 92, 202, 199, 63, 144, 173, 121, 104, 179, 203, 94, 152, 210, 181, 108, 95, 205, 156, 110, 211, 185, 116, 168, 158, 226, 111, 213, 118, 172, 227, 159, 217, 119, 174, 122, 200, 180, 229, 175, 123, 64, 233, 204, 182, 125, 206, 241, 183, 212, 96, 186, 207, 187, 214, 228, 112, 215, 189, 218, 160, 120, 230, 219), (231, 176, 124, 234, 221, 126, 235, 184, 242, 188, 208, 237, 127, 243), (216, 245, 190), (220, 249, 191, 232), 222, (236, 223), (238, 244, 239, 246, 128), (247, 250, 251, 192), (253, 224), 240, 248, 252, 254, 255, 256]であり、
丸括弧内の要素の位置が、前記丸括弧内で相互に交換されることが可能である、
請求項12から16のいずれか一項に記載の装置。
【請求項２２】
N=512であるとき、前記シーケンスが、
[1, 2, (5, 9, 3), 17, (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438), (462, 381, 248, 442, 352, 470, 439, 463, 252, 497, 468, 368, 443, 475, 484, 380, 416, 254, 445, 486, 471, 376, 474, 432, 487, 490, 255, 477), (440, 493, 382, 499, 464, 491, 383, 472, 498, 444, 501, 446, 447, 476, 488, 478, 494, 505, 256, 492, 479, 384, 500, 503, 495, 502, 448, 506), 507, (480, 509), (504, 496), 508, 510, 511, 512]または
【数１５】
2020528250.tif 000159
というシーケンスのいずれか1つであり、
【数１６】
2020528250.tif 000160
= (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438, 462, 381, 248, 442, 352, 470, 439, 463, 252, 497, 468, 368, 443, 475, 484, 380, 416, 254, 445, 486, 471, 376, 474, 432, 487, 490, 255, 477); 
【数１７】
2020528250.tif 000161
および
【数１８】
2020528250.tif 000162
であり、
丸括弧内の要素の位置が、前記丸括弧内で相互に交換されることが可能である、
請求項12から16のいずれか一項に記載の装置。
【請求項２３】
ポーラPolar符号化装置であって、
プログラムを格納するように構成されたメモリと、
前記メモリに格納された前記プログラムを実行するように構成されたプロセッサであって、前記プログラムが実行されると、
符号化予定ビットを符号化するために使用されるシーケンスを判断することであって、前記シーケンスが、N個の偏波チャネルの信頼性オーダーを表現するために使用され、Nが、Polar符号の母符号長であり、Nが、2の正の整数乗である、判断すること、および
符号化済ビットを取得するために前記シーケンスを使用することによって、前記符号化予定ビットに対してPolar符号化を行うこと
という方法を行うように構成されたプロセッサと
を備える、ポーラPolar符号化装置。
【請求項２４】
前記プログラムが実行されると、前記プロセッサが、
前記母符号長Nおよび予めセットされたシーケンスに基づいて、前記符号化予定ビットを符号化するために使用される前記シーケンスを判断すること
という方法を行うように構成される、請求項23に記載の装置。
【請求項２５】
前記符号化予定ビットを符号化するために使用される前記シーケンスが、別のシーケンスの全てまたはサブセットであり、前記別のシーケンスが、Nmax個の偏波チャネルのシーケンス番号を含み、前記Nmax個のシーケンス番号が、前記Nmax個の偏波チャネルの信頼性に基づいて前記別のシーケンス内に配列され、Nmaxが、2の正の整数乗であり、Nmax≧Nである、請求項23または24に記載の装置。
【請求項２６】
Nmax=1024である、請求項25に記載の装置。
【請求項２７】
前記符号化予定ビットの長さがKであり、前記K個の符号化予定ビットが、前記N個の偏波チャネル内のK個の偏波チャネルにマッピングされる、請求項23から26のいずれか一項に記載の装置。
【請求項２８】
N=1024であるとき、前記シーケンスが、
【数１９】
2020528250.tif 000163
であり、
【数２０】
2020528250.tif 000164
が、前記シーケンス内のサブシーケンスであり、nが、前記シーケンス内の前記サブシーケンスのシーケンス番号であり、n∈{1, 2, 3}であり、mが、第nのサブシーケンスの長さを示し、前記サブシーケンス内の要素の位置が、前記サブシーケンス内で相互に交換されることが可能であり、前記シーケンスが、前記N個の偏波チャネルのシーケンス番号を含む、
請求項23から26のいずれか一項に記載の装置。
【請求項２９】
【数２１】
2020528250.tif 000165
が、
【数２２】
2020528250.tif 000166
= (33, 7, 65, 513, 4, 13, 6, 19, 129, 10, 34, 18, 11, 257, 21, 35, 25, 66, 8, 37, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 70, 50, 75, 161, 43, 521, 273, 193, 71, 45, 132, 82, 16, 289, 51, 135, 74, 515, 24, 53, 321, 134, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 209, 268, 386, 325, 305, 537, 769, 533, 164, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 171, 198, 642, 178, 282, 92, 553, 202, 389, 294, 199, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 156, 110, 534, 401, 306, 301, 643, 211, 185, 327, 539, 116, 168, 593, 158, 226, 307, 548, 330, 111, 771, 213, 118, 172, 551, 331, 227, 649, 388, 309, 159, 609, 417, 338, 535, 217, 272, 550, 119, 280, 538, 333, 390, 174, 580, 122, 200, 777, 180, 229, 554, 339, 657, 313, 541, 391, 175, 582, 394, 284, 773, 123, 673, 555, 785, 64, 341, 705, 449, 562, 354, 801, 395, 233, 204, 528, 583, 557, 296, 286, 182, 125, 206, 241, 644, 586, 563, 287, 300, 355, 183, 402, 212, 397, 345, 587, 833, 565, 96, 186, 207, 328, 646, 536, 403, 594, 187, 357, 589, 569, 308, 647, 419, 214, 302, 228, 303, 897, 595, 361, 112, 650, 772, 418, 540, 215, 405, 310, 189, 450, 332, 218, 160, 610, 597, 552, 651, 120, 230, 334, 409, 542, 774, 611, 658, 311, 421, 601, 219, 369, 231, 653, 392, 176, 314, 340, 543, 335, 124, 556, 775, 234, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 246, 619, 350, 788, 128, 782, 898, 408, 667, 437, 592, 364, 621, 466, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 446, 933, 847, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 874, 639, 755, 256, 969, 870, 492, 479, 384, 911, 816, 918, 728, 871, 702, 932, 861, 500, 757, 732, 824, 923, 875, 977, 919, 503, 934, 744, 761, 882, 495, 703, 922, 877, 502, 848, 993, 448, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021)
および
【数２３】
2020528250.tif 000167
という条件のうちの少なくとも1つを満たす、請求項28に記載の装置。
【請求項３０】
N=64であるとき、前記シーケンスが、
[1, 2, (5, 9, 3), 17, 33, (7, 4, 13, 6, 19, 10, 34, 18, 11), 21, 35, 25, (8, 37), (12, 41), (20, 14, 49), 15, 22, (27, 36, 39, 23, 38, 26), 42, 29, (50, 43), 45, (16, 51), (24, 53), (57, 28), 40, 30, (44, 31), 46, 52, 47, 54, 55, 58, 59, 61, 32, 48, 56, 60, 62, 63, 64];
[1, 2, (5, 9, 3), 17, (33, 7, 4, 13, 6, 19, 10, 34, 18, 11), 21, 35, 25, (8, 37), (12, 41), (20, 14, 49), 15, 22, (27, 36, 39, 23, 38, 26), (42, 29), (50, 43, 45, 16, 51), (24, 53), (57, 28), 40, 30, (44, 31), 46, 52, 47, 54, 55, 58, 59, (61, 32), 48, 56, 60, 62, 63, 64]または
[1, 2, (5, 9, 3), 17, (33, 7, 4, 13, 6, 19, 10, 34, 18, 11, 21, 35, 25, 8, 37), (12, 41), (20, 14, 49), 15, 22, (27, 36, 39, 23, 38, 26), (42, 29), (50, 43, 45, 16, 51), (24, 53), (57, 28, 40), 30, (44, 31), 46, 52, 47, 54, 55, 58, 59, (61, 32), 48, 56, 60, 62, 63, 64]というシーケンスのいずれか1つであり、
丸括弧内の要素の位置が、前記丸括弧内で相互に交換されることが可能である、
請求項23から26のいずれか一項に記載の装置。
【請求項３１】
N=128であるとき、前記シーケンスが、
[1, 2, (5, 9, 3), 17, (33, 7, 65, 4, 13, 6, 19, 10, 34, 18, 11, 21, 35, 25, 66, 8, 37, 67, 12, 41), (20, 14, 69, 49, 15, 73), 22, (27, 36, 81, 39, 23, 38, 26, 97, 68, 42, 29), (70, 50, 75, 43, 71, 45, 82, 16, 51, 74, 24, 53), 77, (83, 57, 28, 98, 40, 85, 30), (44, 99, 31, 89, 72, 46, 101), 52, (47, 76, 105, 54), (78, 55, 84, 58, 113, 86, 79, 59, 100, 87, 61, 90, 102, 91, 32), (103, 106, 48, 93), (107, 56, 114), (80, 109), (60, 115), (88, 62, 117), (92, 63, 121, 104), 94, (108, 95), 110, 116, 111, 118, (119, 122, 123, 64, 125, 96), 112, 120, 124, 126, 127, 128]であり、
丸括弧内の要素の位置が、前記丸括弧内で相互に交換されることが可能である、
請求項23から26のいずれか一項に記載の装置。
【請求項３２】
N=256であるとき、前記シーケンスが、
[1, 2, (5, 9, 3), 17, (33, 7, 65, 4, 13, 6, 19, 129, 10, 34, 18, 11, 21, 35, 25, 66, 8, 37, 67, 130, 12, 41, 20, 133, 14, 69, 49, 15, 73, 22, 131, 27, 36, 81, 137, 39, 23, 38, 26, 97, 68, 42, 145, 29, 70, 50, 75, 161, 43, 193, 71, 45, 132, 82, 16, 51, 135, 74, 24, 53, 134, 77, 83, 138, 57, 28, 98, 40, 139, 85, 30, 146, 44, 99, 141, 31, 89, 147, 72, 162, 46, 101, 149, 52, 47, 76, 105, 165, 194, 54, 163, 78, 153, 55, 84, 58, 113, 86, 136, 195, 79, 59, 169, 100, 140, 197, 87, 177, 61, 90, 102, 148, 142, 143, 91, 201, 32, 103, 106, 150, 48, 93, 209, 164, 154, 151, 107, 56, 166, 114, 155, 80, 225, 167, 109, 60, 115, 196, 170, 157, 88, 62, 117, 171, 198, 178, 92, 202, 199, 63, 144, 173, 121, 104, 179, 203, 94, 152, 210, 181, 108, 95, 205, 156, 110, 211, 185, 116, 168, 158, 226, 111, 213, 118, 172, 227, 159, 217, 119, 174, 122, 200, 180, 229, 175, 123, 64, 233, 204, 182, 125, 206, 241, 183, 212, 96, 186, 207, 187, 214, 228, 112, 215, 189, 218, 160, 120, 230, 219), (231, 176, 124, 234, 221, 126, 235, 184, 242, 188, 208, 237, 127, 243), (216, 245, 190), (220, 249, 191, 232), 222, (236, 223), (238, 244, 239, 246, 128), (247, 250, 251, 192), (253, 224), 240, 248, 252, 254, 255, 256]であり、
丸括弧内の要素の位置が、前記丸括弧内で相互に交換されることが可能である、
請求項23から26のいずれか一項に記載の装置。
【請求項３３】
N=512であるとき、前記シーケンスが、
[1, 2, (5, 9, 3), 17, (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438), (462, 381, 248, 442, 352, 470, 439, 463, 252, 497, 468, 368, 443, 475, 484, 380, 416, 254, 445, 486, 471, 376, 474, 432, 487, 490, 255, 477), (440, 493, 382, 499, 464, 491, 383, 472, 498, 444, 501, 446, 447, 476, 488, 478, 494, 505, 256, 492, 479, 384, 500, 503, 495, 502, 448, 506), 507, (480, 509), (504, 496), 508, 510, 511, 512]  または
【数２４】
2020528250.tif 000168
というシーケンスのいずれか1つであり、
【数２５】
2020528250.tif 000169
= (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438, 462, 381, 248, 442, 352, 470, 439, 463, 252, 497, 468, 368, 443, 475, 484, 380, 416, 254, 445, 486, 471, 376, 474, 432, 487, 490, 255, 477);
【数２６】
2020528250.tif 000170
および
【数２７】
2020528250.tif 000171
であり、
丸括弧内の要素の位置が、前記丸括弧内で相互に交換されることが可能である、
請求項23から26のいずれか一項に記載の装置。
【請求項３４】
前記Polar符号化装置が、チップまたは集積回路である、請求項23から33のいずれか一項に記載の装置。
【請求項３５】
Polar符号化装置であって、
符号化予定ビットを取得するように構成された入力インターフェース回路と、
前記符号化予定ビットを符号化するために使用されるシーケンスを判断することであって、前記シーケンスが、N個の偏波チャネルの信頼性オーダーを表現するために使用され、Nが、Polar符号の母符号長であり、Nが、2の正の整数乗である、判断すること、符号化済ビットを取得するために前記シーケンスを使用することによって、前記符号化予定ビットに対してPolar符号化を行うこと、およびPolar符号化後に取得された前記ビットを取得すること、という方法を、前記取得した符号化予定ビットに基づいて行うように構成されたロジック回路と、
Polar符号化後に取得された前記ビットを出力するように構成された出力インターフェース回路と
を備える、Polar符号化装置。
【請求項３６】
前記ロジック回路が、前記母符号長Nおよび予めセットされたシーケンスに基づいて、前記符号化予定ビットを符号化するために使用される前記シーケンスを判断するように構成される、請求項35に記載の装置。
【請求項３７】
前記符号化予定ビットを符号化するために使用される前記シーケンスが、別のシーケンスの全てまたはサブセットであり、前記別のシーケンスが、Nmax個の偏波チャネルのシーケンス番号を含み、前記Nmax個のシーケンス番号が、前記Nmax個の偏波チャネルの信頼性に基づいて前記別のシーケンス内に配列され、Nmaxが、2の正の整数乗であり、Nmax≧Nである、請求項35または36に記載の装置。
【請求項３８】
Nmax=1024である、請求項37に記載の装置。
【請求項３９】
前記符号化予定ビットの長さがKであり、前記K個の符号化予定ビットが、前記N個の偏波チャネル内のK個の偏波チャネルにマッピングされる、請求項35から38のいずれか一項に記載の装置。
【請求項４０】
N=1024であるとき、前記シーケンスが、
【数２８】
2020528250.tif 000172
であり、
【数２９】
2020528250.tif 000173
が、前記シーケンス内のサブシーケンスであり、nが、前記シーケンス内の前記サブシーケンスのシーケンス番号であり、n∈{1, 2, 3}であり、mが、第nのサブシーケンスの長さを示し、前記サブシーケンス内の要素の位置が、前記サブシーケンス内で相互に交換されることが可能であり、前記シーケンスが、前記N個の偏波チャネルのシーケンス番号を含む、
請求項35から39のいずれか一項に記載の装置。
【請求項４１】
【数３０】
2020528250.tif 000174
が、
【数３１】
2020528250.tif 000175
= (33, 7, 65, 513, 4, 13, 6, 19, 129, 10, 34, 18, 11, 257, 21, 35, 25, 66, 8, 37, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 70, 50, 75, 161, 43, 521, 273, 193, 71, 45, 132, 82, 16, 289, 51, 135, 74, 515, 24, 53, 321, 134, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 209, 268, 386, 325, 305, 537, 769, 533, 164, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 171, 198, 642, 178, 282, 92, 553, 202, 389, 294, 199, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 156, 110, 534, 401, 306, 301, 643, 211, 185, 327, 539, 116, 168, 593, 158, 226, 307, 548, 330, 111, 771, 213, 118, 172, 551, 331, 227, 649, 388, 309, 159, 609, 417, 338, 535, 217, 272, 550, 119, 280, 538, 333, 390, 174, 580, 122, 200, 777, 180, 229, 554, 339, 657, 313, 541, 391, 175, 582, 394, 284, 773, 123, 673, 555, 785, 64, 341, 705, 449, 562, 354, 801, 395, 233, 204, 528, 583, 557, 296, 286, 182, 125, 206, 241, 644, 586, 563, 287, 300, 355, 183, 402, 212, 397, 345, 587, 833, 565, 96, 186, 207, 328, 646, 536, 403, 594, 187, 357, 589, 569, 308, 647, 419, 214, 302, 228, 303, 897, 595, 361, 112, 650, 772, 418, 540, 215, 405, 310, 189, 450, 332, 218, 160, 610, 597, 552, 651, 120, 230, 334, 409, 542, 774, 611, 658, 311, 421, 601, 219, 369, 231, 653, 392, 176, 314, 340, 543, 335, 124, 556, 775, 234, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 246, 619, 350, 788, 128, 782, 898, 408, 667, 437, 592, 364, 621, 466, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 446, 933, 847, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 874, 639, 755, 256, 969, 870, 492, 479, 384, 911, 816, 918, 728, 871, 702, 932, 861, 500, 757, 732, 824, 923, 875, 977, 919, 503, 934, 744, 761, 882, 495, 703, 922, 877, 502, 848, 993, 448, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021)
および
【数３２】
2020528250.tif 000176
という条件のうちの少なくとも1つを満たす、請求項40に記載の装置。
【請求項４２】
N=64であるとき、前記シーケンスが、
[1, 2, (5, 9, 3), 17, 33, (7, 4, 13, 6, 19, 10, 34, 18, 11), 21, 35, 25, (8, 37), (12, 41), (20, 14, 49), 15, 22, (27, 36, 39, 23, 38, 26), 42, 29, (50, 43), 45, (16, 51), (24, 53), (57, 28), 40, 30, (44, 31), 46, 52, 47, 54, 55, 58, 59, 61, 32, 48, 56, 60, 62, 63, 64];
[1, 2, (5, 9, 3), 17, (33, 7, 4, 13, 6, 19, 10, 34, 18, 11), 21, 35, 25, (8, 37), (12, 41), (20, 14, 49), 15, 22, (27, 36, 39, 23, 38, 26), (42, 29), (50, 43, 45, 16, 51), (24, 53), (57, 28), 40, 30, (44, 31), 46, 52, 47, 54, 55, 58, 59, (61, 32), 48, 56, 60, 62, 63, 64];または
[1, 2, (5, 9, 3), 17, (33, 7, 4, 13, 6, 19, 10, 34, 18, 11, 21, 35, 25, 8, 37), (12, 41), (20, 14, 49), 15, 22, (27, 36, 39, 23, 38, 26), (42, 29), (50, 43, 45, 16, 51), (24, 53), (57, 28, 40), 30, (44, 31), 46, 52, 47, 54, 55, 58, 59, (61, 32), 48, 56, 60, 62, 63, 64]というシーケンスのいずれか1つであり、
丸括弧内の要素の位置が、前記丸括弧内で相互に交換されることが可能である、
請求項35から39のいずれか一項に記載の装置。
【請求項４３】
N=128であるとき、前記シーケンスが、
[1, 2, (5, 9, 3), 17, (33, 7, 65, 4, 13, 6, 19, 10, 34, 18, 11, 21, 35, 25, 66, 8, 37, 67, 12, 41), (20, 14, 69, 49, 15, 73), 22, (27, 36, 81, 39, 23, 38, 26, 97, 68, 42, 29), (70, 50, 75, 43, 71, 45, 82, 16, 51, 74, 24, 53), 77, (83, 57, 28, 98, 40, 85, 30), (44, 99, 31, 89, 72, 46, 101), 52, (47, 76, 105, 54), (78, 55, 84, 58, 113, 86, 79, 59, 100, 87, 61, 90, 102, 91, 32), (103, 106, 48, 93), (107, 56, 114), (80, 109), (60, 115), (88, 62, 117), (92, 63, 121, 104), 94, (108, 95), 110, 116, 111, 118, (119, 122, 123, 64, 125, 96), 112, 120, 124, 126, 127, 128]であり、
丸括弧内の要素の位置が、前記丸括弧内で相互に交換されることが可能である、
請求項35から39のいずれか一項に記載の装置。
【請求項４４】
N=256であるとき、前記シーケンスが、
[1, 2, (5, 9, 3), 17, (33, 7, 65, 4, 13, 6, 19, 129, 10, 34, 18, 11, 21, 35, 25, 66, 8, 37, 67, 130, 12, 41, 20, 133, 14, 69, 49, 15, 73, 22, 131, 27, 36, 81, 137, 39, 23, 38, 26, 97, 68, 42, 145, 29, 70, 50, 75, 161, 43, 193, 71, 45, 132, 82, 16, 51, 135, 74, 24, 53, 134, 77, 83, 138, 57, 28, 98, 40, 139, 85, 30, 146, 44, 99, 141, 31, 89, 147, 72, 162, 46, 101, 149, 52, 47, 76, 105, 165, 194, 54, 163, 78, 153, 55, 84, 58, 113, 86, 136, 195, 79, 59, 169, 100, 140, 197, 87, 177, 61, 90, 102, 148, 142, 143, 91, 201, 32, 103, 106, 150, 48, 93, 209, 164, 154, 151, 107, 56, 166, 114, 155, 80, 225, 167, 109, 60, 115, 196, 170, 157, 88, 62, 117, 171, 198, 178, 92, 202, 199, 63, 144, 173, 121, 104, 179, 203, 94, 152, 210, 181, 108, 95, 205, 156, 110, 211, 185, 116, 168, 158, 226, 111, 213, 118, 172, 227, 159, 217, 119, 174, 122, 200, 180, 229, 175, 123, 64, 233, 204, 182, 125, 206, 241, 183, 212, 96, 186, 207, 187, 214, 228, 112, 215, 189, 218, 160, 120, 230, 219), (231, 176, 124, 234, 221, 126, 235, 184, 242, 188, 208, 237, 127, 243), (216, 245, 190), (220, 249, 191, 232), 222, (236, 223), (238, 244, 239, 246, 128), (247, 250, 251, 192), (253, 224), 240, 248, 252, 254, 255, 256]であり、
丸括弧内の要素の位置が、前記丸括弧内で相互に交換されることが可能である、
請求項35から39のいずれか一項に記載の装置。
【請求項４５】
N=512であるとき、前記シーケンスが、
[1, 2, (5, 9, 3), 17, (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438), (462, 381, 248, 442, 352, 470, 439, 463, 252, 497, 468, 368, 443, 475, 484, 380, 416, 254, 445, 486, 471, 376, 474, 432, 487, 490, 255, 477), (440, 493, 382, 499, 464, 491, 383, 472, 498, 444, 501, 446, 447, 476, 488, 478, 494, 505, 256, 492, 479, 384, 500, 503, 495, 502, 448, 506), 507, (480, 509), (504, 496), 508, 510, 511, 512]  または
【数３３】
2020528250.tif 000177
というシーケンスのいずれか1つであり、
【数３４】
2020528250.tif 000178
= (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438, 462, 381, 248, 442, 352, 470, 439, 463, 252, 497, 468, 368, 443, 475, 484, 380, 416, 254, 445, 486, 471, 376, 474, 432, 487, 490, 255, 477);
【数３５】
2020528250.tif 000179
および
【数３６】
2020528250.tif 000180
であり、
丸括弧内の要素の位置が、前記丸括弧内で相互に交換されることが可能である、
請求項35から39のいずれか一項に記載の装置。
【請求項４６】
コンピュータプログラムを格納し、前記コンピュータプログラムが、請求項1から11のいずれか一項に記載の方法を行うために使用される命令を含む、コンピュータストレージ媒体。
【請求項４７】
コンピュータ上で動くと、前記コンピュータが、請求項1から11のいずれか一項に記載の方法を行う、コンピュータプログラム製品。
【請求項４８】
請求項1から11のいずれか一項に記載の方法を行うように構成された、ポーラPolar符号化装置。
【発明の詳細な説明】
【技術分野】
【０００１】
本出願は、2017年7月28日に中国特許庁に出願され、「POLAR CODING METHOD AND APPARATUS」という名称の中国特許出願第CN201710632016.8号の優先権を主張し、全体として参照により本明細書に組み込まれる。
【０００２】
本出願の実施形態は通信技術の分野に関し、詳細には、Polar符号化方法および装置に関する。
【背景技術】
【０００３】
最も基本的なワイヤレスアクセス技術として、チャネル符号化は、信頼できるデータ伝送を保証する際に非常に重要な役割を果たす。既存のワイヤレス通信システムにおいて、チャネル符号化は、通常、Turbo符号、低密度パリティチェック(low density parity check, LDPC)コード、およびポーラ(polar)符号を使用することによって行われる。Turbo符号は、過度に低いビットレート、または過度に高いビットレートにおける情報伝送をサポートすることができない。しかし、中くらいのパケットまたは短いパケット伝送については、Turbo符号およびLDPC符号の符号化/復号特性のために、符号の長さが制限されるときにTurbo符号およびLDPC符号が所望の性能を実行するのは困難である。実行の観点から、Turbo符号およびLDPC符号は、符号化/復号実行処理における計算の複雑性が比較的高い。論理的に、Polar符号は、シャノン容量を実現することができ、符号化/復号の複雑性が比較的単純な良い符号であるということが証明されており、この理由から、Polar符号は、より広く応用されるようになっている。
【０００４】
しかし、ワイヤレス通信システムの急激な発展と共に、第5世代(5th generation, 5G)通信システムなどの将来の通信システムは、いくつかの新しい特性を有している。例えば、3つの最も典型的な通信シナリオは、エンハンストモバイルブロードバンド(enhance mobile broadband, eMBB)インターネット、マッシブマシン型通信(massive machine type communication, mMTC)、ならびに超高信頼および低遅延通信(ultra reliable low latency communication, URLLC)を含む。これらの通信シナリオは、Polar符号の符号化/復号性能に対してより高い要件を課す。
【０００５】
偏波チャネル(polarized channel)の信頼性オーダーは、Polar符号の符号化/復号性能において重要な役割を果たす。しかし、現在のフェーズにおいて、偏波チャネルの信頼性オーダーの正確さは要求されていない。必然的に、応用処理におけるPolar符号の符号化/復号性能のさらなる改善が影響を受ける。
【発明の概要】
【課題を解決するための手段】
【０００６】
本出願の実施形態は、偏波チャネルの信頼性オーダーの正確さを改善するために、Polar符号化方法および装置を提供する。
【０００７】
第1の態様によれば、Polar符号化方法が提供される。性能が比較的良い少なくとも2つのシーケンスが、性能判断規則に基づいて選択される。少なくとも2つのシーケンス内の同じソート位置における同じシーケンス番号が判断される。判断された同じシーケンス番号は、シーケンス内で信頼性が不変であり続けるシーケンス番号と判断され、シーケンス内で信頼性が不変であり続けるシーケンス番号は、少なくとも2つのシーケンス内のシーケンス番号のオーダーに基づいてソートされる。信頼性が不変であり続ける判断されたシーケンス番号以外の少なくとも2つのシーケンス内のシーケンス番号が、いくつかのサブシーケンスを選択するために比較され、サブシーケンス内の要素の位置は、相互に交換されることが可能である。上記から取得されたソートシーケンスは、本出願の本実施形態におけるPolar符号化のために使用されるソートシーケンスとして使用される。このようにして、前述の方法を使用することによって取得されたソートシーケンスについて、性能が比較的良い複数のシーケンスが包括的に考慮されることが可能であり、信頼性が不変であり続けるシーケンス番号が、異なるシーケンス間の共通部分のセットを使用することによって判断される。これは、偏波チャネルの信頼性オーダーの正確さを改善すること、およびPolar符号の符号化/復号性能を改善することに役立つ。
【０００８】
可能な設計において、符号化予定ビットを符号化するために使用されるシーケンスが判断され、ここで、シーケンスは、N個の偏波チャネルの信頼性オーダーを表現するために使用され、Polar符号化は、符号化済ビットを取得するためにシーケンスを使用することによって、符号化予定ビットに対して行われ、ここで、Nは、Polar符号の母符号長であり、Nは、2の正の整数乗である。
【０００９】
可能な設計において、符号化予定ビットの長さは、Kであり、K個の符号化予定ビットは、N個の偏波チャネル内のK個の偏波チャネルにマッピングされ、K個の偏波チャネルの信頼性は、残りのN-K個の偏波チャネルの信頼性より高い。
【００１０】
可能な設計において、符号化予定ビットを符号化するために使用されるシーケンスは、母符号長Nおよび予めセットされたシーケンスに基づいて判断される。
【００１１】
可能な設計において、符号化予定ビットを符号化するために使用されるシーケンスは、別のシーケンスの全てまたはサブセットであり、別のシーケンスは、Nmax個のシーケンス番号を含み、Nmax個のシーケンス番号は、Nmax個の偏波チャネルの信頼性に基づいて別のシーケンス内に配列され、Nmaxは、2の正の整数乗であり、Nmax≧Nである。
【００１２】
可能な設計において、シーケンスは、ネスティング特性(nesting characteristic)を満たし、ネスティング特性は次のようなものである。比較的短い母符号長N2を有するシーケンスは、比較的長い母符号長N1を有するシーケンスに基づいて取得される。シーケンス番号がN2以下の要素は、比較的長い母符号長N1を有するシーケンスから抽出され、取得されたサブシーケンスは、比較的短い母符号長N2を有するシーケンスである。比較的短い母符号長N2を有する取得されたシーケンス内の要素のオーダーは、比較的長い母符号長N1を有するシーケンス内のこれらの要素のオーダーと同じである。
【００１３】
可能な設計において、Nmaxは、Polar符号の最大母符号長であり、例えば、Nmax=1024、またはNmax=512である。シーケンスは、ネスティング特性を満たす必要がある。最大母符号長を有するシーケンスが判断されると、比較的短い母符号長を有する別のシーケンスが、最大母符号長を有するシーケンスに基づいて取得されることが可能である。例えば、長さ1024であり、最大母符号長が1024であるシーケンスが判断される。要素値が64以下の要素は、長さ64のサブシーケンスを形成するために、長さ1024のシーケンスから抽出される。長さ64の取得されたサブシーケンス内の要素のオーダーは、長さ1024のシーケンス内のこれらの要素のオーダーと同じである。すなわち、抽出されたサブシーケンスは、ネスティング特性を満たす。同様に、長さ128、256、および512のシーケンスが、長さ1024のシーケンスから抽出されることが可能である。短い母符号長を有する取得されたシーケンスは、符号化予定ビットを符号化するために、本出願の本実施形態において応用される。
【００１４】
可能な設計において、シーケンスは、本明細書におけるシーケンス(1)から(30)のいずれか1つの一部または全てであることが可能である。N=1024であるとき、シーケンスは、本明細書におけるシーケンスS1からS20のいずれか1つの一部または全てであることが可能である。
【００１５】
可能な設計において、Nの値が64、128、256、または512であるとき、シーケンスは、ネスティング特性に基づいて、最大母符号長を有する予めセットされたシーケンスから抽出されることが可能であり、または本明細書におけるシーケンス(1)から(30)における符号長に対応するシーケンスが直接使用されることが可能である。
【００１６】
Polar構築は、偏波チャネルの信頼性を評価する正確さを改善するのに役立てるために、シーケンスを使用することによって行われ、このことにより、Polar符号の符号化/復号性能を改善する。
【００１７】
本明細書におけるシーケンスS1からS20のいずれか1つにおけるシーケンス番号の最小値は1であり、シーケンス番号は、N個の偏波チャネルの信頼性の昇順に配列される。可能な設計において、シーケンス内のシーケンス番号が、N個の偏波チャネルの信頼性の昇順に配列され、シーケンスのシーケンス番号の最小値が0である場合、任意のシーケンス内のシーケンス番号から1を順次減算することによって新しいシーケンスが取得され、シーケンス性能は影響を受けない。
【００１８】
同様に、可能な設計において、シーケンス内のシーケンス番号が、N個の偏波チャネルの信頼性の降順に配列される場合、本明細書におけるシーケンスS1からS20のいずれか1つにおけるシーケンス番号を逆の順序で配列することによって新しいシーケンスが取得されることが可能であり、シーケンス性能は同様に影響を受けない。
【００１９】
可能な設計において、シーケンスは、チャネルの標準化された信頼性または同等の信頼性のシーケンスを使用することによって表現されることも可能である。例えば、シーケンス内のチャネルxのソート位置がnである場合(シーケンス内の最小シーケンス番号は1と表される)、チャネルの信頼性は、nまたは標準化されたn/Nによって表現されることが可能である。
【００２０】
可能な設計において、本明細書におけるシーケンスS1からS20のいずれか1つにおける数個の要素の位置は、相互に交換されることが可能である。例えば、シーケンス番号の位置は、指定の振幅の範囲内で調節されることが可能である。例えば、指定の振幅が5であり、シーケンス番号が10である要素の位置は、要素の左の5つの位置から要素の右の5つの位置までの範囲内で調節されることが可能である。
【００２１】
第2の態様によれば、Polar符号化装置が提供され、装置は、第1の態様または第1の態様の可能な設計のいずれか1つによる方法を実行する機能を有する。機能は、ハードウェアを使用することによって実行されることが可能であり、または対応するソフトウェアをハードウェアが実行することによって実行されることが可能である。ハードウェアまたはソフトウェアは、機能に対応する1つまたは複数のモジュールを含む。
【００２２】
可能な設計において、ハードウェアを使用することによって機能のいくつかまたは全てが実行されるとき、Polar符号化装置は、符号化予定ビットを取得するように構成された入力インターフェース回路と、第1の態様または第1の態様の可能な設計のいずれか1つにおいて説明された挙動を行うように構成されたロジック回路と、符号化済ビット列を出力するように構成された出力インターフェース回路と、を含む。
【００２３】
任意選択として、Polar符号化装置は、チップまたは集積回路であることが可能である。
【００２４】
可能な設計において、ソフトウェアを使用することによって機能のいくつかまたは全てが実行されるとき、Polar符号化装置は、プログラムを格納するように構成されたメモリと、メモリに格納されたプログラムを実行するように構成されたプロセッサと、を含む。プログラムが実行されると、Polar符号化装置は、第1の態様または第1の態様の可能な設計のいずれか1つによる方法を実行することができる。
【００２５】
任意選択として、メモリは、物理的に独立のユニットであることが可能であり、またはプロセッサに統合されることが可能である。
【００２６】
可能な設計において、ソフトウェアを使用することによって機能のいくつかまたは全てが実行されるとき、Polar符号化装置は、プロセッサを含む。プログラムを格納するように構成されたメモリは、符号化装置の外部にある。プロセッサは、回路/ワイヤを使用することによってメモリに接続され、メモリに格納されたプログラムを読み込んで実行するように構成される。
【００２７】
第3の態様によれば、通信システムが提供され、ここで、通信システムは、伝送エンドおよび受信エンドを含み、伝送エンドは、第1の態様または第1の態様の可能な設計による方法を行うことができる。
【００２８】
第4の態様によれば、コンピュータストレージ媒体が提供され、ここで、コンピュータストレージ媒体は、コンピュータプログラムを格納し、コンピュータプログラムは、第1の態様または第1の態様の可能な設計のいずれか1つによる方法を行うために使用される命令を含む。
【００２９】
第5の態様によれば、本出願の1つの実施形態は、命令を含むコンピュータプログラム製品を提供する。コンピュータ上で命令が動くとき、コンピュータは、前述の態様における方法を行う。
【図面の簡単な説明】
【００３０】
【図１】本出願の1つの実施形態に応用される通信システムの概略アーキテクチャ図である。
【図２】本出願の1つの実施形態によるPolar符号化方法の概略流れ図である。
【図３】本出願の1つの実施形態によるPolar符号化装置の第1の概略構造図である。
【図４】本出願の1つの実施形態によるPolar符号化装置の第2の概略構造図である。
【図５】本出願の1つの実施形態によるPolar符号化装置の第3の概略構造図である。
【図６】本出願の1つの実施形態によるPolar符号化装置の第4の概略構造図である。
【発明を実施するための形態】
【００３１】
以下は、添付の図面を参照しながら、本出願の実施形態を詳細に説明する。
【００３２】
本出願の実施形態は、Polar符号化方法および装置を提供する。性能が比較的良い少なくとも2つのシーケンスが、性能判断規則に基づいて選択される。少なくとも2つのシーケンス内の同じソート位置における同じシーケンス番号が判断される。判断された同じシーケンス番号は、シーケンス内で信頼性が不変であり続けるシーケンス番号と判断され、シーケンス内で信頼性が不変であり続けるシーケンス番号は、少なくとも2つのシーケンス内のシーケンス番号のオーダーに基づいてソートされる。信頼性が不変であり続けると判断されたシーケンス番号以外の少なくとも2つのシーケンス内のシーケンス番号が、いくつかのサブシーケンスを選択するために比較され、サブシーケンス内の要素の位置は、相互に交換されることが可能である。上記から取得されたソートシーケンスは、本出願の実施形態におけるPolar符号化のために使用されるソートシーケンスとして使用される。このようにして、前述の方法を使用することによって取得されたソートシーケンスについて、性能が比較的良い複数のシーケンスが包括的に考慮されることが可能であり、信頼性が不変であり続けるシーケンス番号が、異なるシーケンス間の共通部分のセットを使用することによって判断される。これは、偏波チャネルの信頼性オーダーの正確さを改善すること、およびPolar符号の符号化/復号性能を改善することに役立つ。
【００３３】
本出願の実施形態の理解を容易にするために、下記においてPolar符号が簡単に説明される。
【００３４】
Polar符号の符号化ポリシは、ノイズレスチャネルを使用することによってユーザの有用な情報を伝送するため、およびノイズが入ったチャネル上で合意情報を伝送するか、情報を全く伝送しないためのものである。Polar符号は、線形ブロック符号でもあり、Polar符号の符号化行列は、GNであり、符号化処理は、
【００３５】
【数１】
2020528250.tif 000003
【００３６】
であり、ここで、
【００３７】
【数２】
2020528250.tif 000004
【００３８】
は、2進数の行ベクトルであり、
【００３９】
【数３】
2020528250.tif 000005
【００４０】
の長さ(すなわち、符号長)は、Nであり、GNは、N×Nの行列であり、
【００４１】
【数４】
2020528250.tif 000006
【００４２】
である。
【００４３】
【数５】
2020528250.tif 000007
【００４４】
は、log2Nの行列F2のクロネッカー(Kronecker)積として定義される。行列
【００４５】
【数６】
2020528250.tif 000008
【００４６】
である。
【００４７】
Polar符号の符号化処理において、
【００４８】
【数７】
2020528250.tif 000009
【００４９】
におけるいくつかのビットは、情報を搬送するために使用され、情報ビットセットと呼ばれ、情報ビットのインデックスのセットは、Aと表される。他のビットは、受信エンドおよび伝送エンドが予め合意した固定値にセットされ、固定ビットセットまたは凍結ビットセット(frozen bits)と呼ばれ、これらのビットのインデックスのセットは、Aの相補セットACによって表現される。Polar符号の符号化処理は、
【００５０】
【数８】
2020528250.tif 000010
【００５１】
に相当し、ここで、GN(A)は、セットAにおけるインデックスに対応する行を使用することによって取得された部分行列であり、GN(AC)は、セットACにおけるインデックスに対応する行を使用することによって取得された部分行列である。uAは、
【００５２】
【数９】
2020528250.tif 000011
【００５３】
における情報ビットのセットであり、情報ビットの数はKである。
【００５４】
【数１０】
2020528250.tif 000012
【００５５】
は、
【００５６】
【数１１】
2020528250.tif 000013
【００５７】
における固定ビットのセットであり、固定ビットの数は(N-K)であり、固定ビットは既知のビットである。これらの固定ビットは、一般に、0にセットされる。しかし、固定ビットは、受信エンドおよび伝送エンドが値について予め合意した場合、任意の値にセットされることが可能である。したがって、Polar符号の符号化出力は、
【００５８】
【数１２】
2020528250.tif 000014
【００５９】
のように単純化されることが可能であり、ここで、uAは、
【００６０】
【数１３】
2020528250.tif 000015
【００６１】
における情報ビットのセットであり、uAは、長さKの行ベクトルであり、すなわち、|A|=Kであり、|・|は、セット内の要素の数を示し、Kは、情報ブロックのサイズであり、GN(A)は、行列GNの中にあり、セットAにおけるインデックスに対応する行を使用することによって取得された部分行列であり、GN(A)は、K×Nの行列である。
【００６２】
Polar符号の構築処理は、セットAの選択処理であり、Polar符号の性能を決定する。Polar符号の構築処理は、一般に、N個の偏波チャネルがあることを母符号長Nに基づいて決定することであって、N個の偏波チャネルが、符号化行列におけるN個の行にそれぞれ対応する、決定すること、ならびに偏波チャネルの信頼性を計算すること、信頼性が比較的高い最初のK個の偏波チャネルのインデックスを、セットAにおける要素として使用すること、および残りの(N-K)個の偏波チャネルに対応するインデックスを、固定ビットのインデックスのセットACにおける要素として使用すること、を含む。セットAは、情報ビットの位置を決定し、セットACは、固定ビットの位置を決定する。
【００６３】
本出願の実施形態におけるシーケンスは、N個の偏波チャネルの信頼性オーダーを表現するために使用される。Nは、Polar符号の母符号長であり、Nは、2の正の整数乗である。
【００６４】
1つのケースにおいて、シーケンスは、N個の偏波チャネルのシーケンス番号を含むことができ、N個の偏波チャネルのシーケンス番号は、N個の偏波チャネルの信頼性に基づいてシーケンス内に配列され、例えば、信頼性の降順に配列されることが可能であり、また信頼性の昇順に配列されることも可能である。説明を容易にするために、このようなシーケンスは、Qシーケンスと呼ばれる。
【００６５】
別のケースにおいて、シーケンスは、N個の偏波チャネルの信頼性の値を含むことができる。任意選択として、信頼性の値は、標準化された信頼性の値、または同等の信頼性の値であることが可能である。例えば、シーケンス内のチャネルxのソート位置がyであり、シーケンス内の最小シーケンス番号が1と表される場合、チャネルの信頼性は、yまたは標準化されたy/Nによって表現されることが可能である。同様に、N個の偏波チャネルの信頼性の値は、信頼性の降順にシーケンス内に配列されることが可能であり、また信頼性の昇順に配列されることも可能である。説明を容易にするために、このようなシーケンスは、Zシーケンスと呼ばれる。
【００６６】
QシーケンスおよびZシーケンスは相互に変換されることが可能であるということがわかる。言い換えれば、Zシーケンスは、Qシーケンスが既知である場合に取得されることが可能であり、逆もまた同様である。
【００６７】
シーケンス内の要素の値は、0からN-1に及ぶことが可能であり、また1からNに及ぶことも可能である。本出願の実施形態において、シーケンス内の要素の値が1からNに及ぶ例が説明のために使用される。要素が0からN-1に及ぶ値を有する別のシーケンスは、シーケンス内の要素の値から1を順次減算することによって取得されることが可能であるということがわかる。2つのシーケンスは同じ性能を有し、それぞれが、N個の偏波チャネルの信頼性オーダーを表現することができる。本出願の実施形態において、シーケンス内の要素が信頼性の昇順に配列される例が説明のために使用される。要素が信頼性の降順に配列されるシーケンスは、シーケンス内の要素を逆の順序で配列することによって取得されることが可能であるということが理解されよう。2つのシーケンスは同じ性能を有し、それぞれが、N個の偏波チャネルの信頼性オーダーを表現することができる。
【００６８】
図1に示されるように、本出願の1つの実施形態に応用される通信システム100は、伝送エンド101および受信エンド102を含む。伝送エンド101は、代替として、符号化エンドと呼ばれることがあり、受信エンド102は、代替として、復号エンドと呼ばれることがある。伝送エンド101は基地局であることが可能であり、受信エンド102が端末である、または伝送エンド101は端末であり、受信エンド102が基地局である。基地局は、無線アクセスネットワークにおいて配置され、ワイヤレス通信機能を端末に提供するように構成された装置である。基地局は、マクロ基地局、マイクロ基地局、中継局、もしくはアクセスポイント、または同様のものという様々な形式を含むことができる。基地局は、ロングタームエボリューション(long term evolution, LTE)システムなどの、種々のワイヤレスアクセス技術を有するシステム、または第5世代(5th generation, 5G)通信システムなどの、より可能性のある通信システムに応用されることが可能である。基地局は、基地局の機能を有する別のネットワークデバイスであることがさらに可能であり、特に、D2D通信における基地局としてサーブする端末であることがさらに可能である。端末は、様々なハンドヘルドデバイス、車載デバイス、ウェアラブルデバイス、もしくはワイヤレス通信機能を有するコンピューティングデバイス、またはワイヤレスモデムに接続された別の処理デバイス、ユーザ機器(user equipment, UE)または移動局(mobile station, MS)の様々な形式、あるいは同様のものを含むことができる。
【００６９】
図1において示された通信システムアーキテクチャに基づいて、本出願の実施形態において、Polar符号化方法は、伝送エンド101によって行われることが可能である。本出願の実施形態において提供されるPolar符号化方法は、下記において詳細に説明される。
【００７０】
図1において示された通信システムアーキテクチャに基づいて、図2に示されるように、本出願の1つの実施形態において提供されるPolar符号化方法の特定の手順は以下のようなものである。
【００７１】
ステップ201:符号化予定ビットを符号化するために使用されるシーケンスを判断する。
【００７２】
シーケンスは、N個の偏波チャネルの信頼性オーダーを表現するために使用され、Nは、Polar符号の母符号長であり、Nは、2の正の整数乗である。
【００７３】
ステップ202:符号化済ビットを取得するためにシーケンスを使用することによって、符号化予定ビットに対してPolar符号化を行う。
【００７４】
符号化予定ビットの長さがKである場合、K個の符号化予定ビットは、N個の偏波チャネル内のK個の偏波チャネルにマッピングされ、K個の偏波チャネルの信頼性は、残りのN-K個の偏波チャネルの信頼性より高い。
【００７５】
具体的には、K個の偏波チャネルのシーケンス番号は、符号化予定ビットを符号化するために使用される判断されたシーケンスに基づいて信頼性の降順に選択され、K個の符号化予定ビットは、選択されたK個の偏波チャネルの中に置かれる。
【００７６】
実際の用途において、符号化予定ビットを符号化するために使用されるシーケンスは、オフライン方式で格納されることが可能である。伝送パラメータ(例えば、符号長およびビットレート)が与えられた後、Polar符号を構築するために使用される情報ビットセットおよび凍結ビットセットは、予め格納されたシーケンスを使用することによって判断される。特定の判断方法については、Polar符号化処理についての前述の説明を参照されたく、詳細は本明細書において再び説明されない。さらに、本出願の本実施形態において、符号化予定ビットを符号化するために使用されるシーケンスが、比較的短い符号長を有するシーケンスである場合、比較的短い符号長を有するシーケンスは、シーケンスのネスティング特性に基づいて、比較的長い母符号長を有する格納済のシーケンスから抽出されることが可能である。
【００７７】
様々な母符号長を有するQシーケンスおよびZシーケンスの例が下記において示され、示されたQシーケンスとZシーケンスが両方、符号化予定ビットを符号化するために使用されることが可能である。以下の例において、シーケンス内の要素は、N個の偏波チャネルの信頼性の昇順に配列される。
【００７８】
【数１４】
2020528250.tif 000016
【００７９】
は、シーケンス内のサブシーケンスを表現し、nは、シーケンス内のサブシーケンスのシーケンス番号であり、1≦n≦Nであり、nは正の整数であり、mは、シーケンス内の第nのサブシーケンスの長さを表現し、サブシーケンス
【００８０】
【数１５】
2020528250.tif 000017
【００８１】
内の要素の位置は可変であり、シーケンス内のサブシーケンスの外側の位置におけるシーケンス番号は固定される。サブシーケンス
【００８２】
【数１６】
2020528250.tif 000018
【００８３】
における要素の位置が、
【００８４】
【数１７】
2020528250.tif 000019
【００８５】
内で交換されるとき、交換後に取得されるシーケンスは、下記において示されるシーケンスに基づいて取得されることが可能である。
【実施例１】
【００８６】
(1)N=64であり、シーケンスがQシーケンスであり、Qシーケンスが、要素位置が可変の11個のサブシーケンスを含むことができるとき。nの値は、1から11に及び、シーケンスは、
【００８７】
【数１８】
2020528250.tif 000020
【００８８】
であることが可能である。
【００８９】
可能な例において、
【００９０】
【数１９】
2020528250.tif 000021
【００９１】
は、
【００９２】
【数２０】
2020528250.tif 000022
および
【００９３】
【数２１】
2020528250.tif 000023
【００９４】
のようなものであることが可能である。
【００９５】
この例において、Qシーケンスは具体的には、[1, 2, (5, 9, 3), 17, 33, (7, 4, 13, 6, 19, 10, 34, 18, 11), 21, 35, 25, (8, 37), (12, 41), (20, 14, 49), 15, 22, (27, 36, 39, 23, 38, 26), 42, 29, (50, 43), 45, (16, 51), (24, 53), (57, 28), 40, 30, (44, 31), 46, 52, 47, 54, 55, 58, 59, 61, 32, 48, 56, 60, 62, 63, 64]である。
【００９６】
(2)N=64であり、シーケンスがZシーケンスであり、Zシーケンスが、要素位置が可変の2つのサブシーケンスを含むことができるとき。nの値は、1または2である。シーケンスは、
【００９７】
【数２２】
2020528250.tif 000024
【００９８】
であることが可能である。
【００９９】
可能な例において、
【０１００】
【数２３】
2020528250.tif 000025
【０１０１】
は、
【０１０２】
【数２４】
2020528250.tif 000026
および
【数２５】
2020528250.tif 000027
【０１０３】
のようなものであることが可能である。
【０１０４】
この例において、Zシーケンスは具体的には、[1, 2, (5, 9, 3, 11, 8, 20, 4), (13, 16, 22, 10, 25, 27, 40, 6, 15, 12, 24, 17, 28, 32, 42, 19, 34, 29, 45, 36, 47, 49, 58, 7, 14, 18, 30, 21, 33, 31, 46, 23, 35, 38, 48, 39, 50, 52, 59, 26, 37, 41, 51, 43, 53, 54, 60, 44), 55, 56, 61, 57, 62, 63, 64]である。
【０１０５】
(3)N=128であり、シーケンスがQシーケンスであり、Qシーケンスが、要素位置が可変の23個のサブシーケンスを含むことができるとき。nの値は、1から23に及ぶ。シーケンスは、
【０１０６】
【数２６】
2020528250.tif 000028
【０１０７】
であることが可能である。
【０１０８】
可能な例において、
【０１０９】
【数２７】
2020528250.tif 000029
【０１１０】
は、
【０１１１】
【数２８】
2020528250.tif 000030
および
【数２９】
2020528250.tif 000031
【０１１２】
のようなものであることが可能である。
【０１１３】
この例において、Qシーケンスは具体的には、[1, 2, (5, 9, 3), 17, 33, (7, 65, 4, 13, 6, 19, 10, 34, 18, 11), 21, 35, 25, (66, 8, 37, 67), (12, 41), (20, 14, 69, 49), (15, 73), 22, (27, 36, 81, 39, 23, 38, 26, 97), 68, 42, 29, 70, (50, 75, 43, 71, 45, 82, 16, 51, 74, 24, 53), 77, (83, 57, 28, 98, 40), (85, 30), (44, 99, 31, 89, 72, 46, 101), 52, (47, 76, 105), 54, 78, (55, 84, 58, 113), (86, 79, 59), (100, 87, 61), 90, (102, 91, 32), 103, 106, (48, 93), 107, (56, 114), (80, 109), (60, 115), (88, 62, 117), (92, 63, 121, 104), 94, 108, 95, 110, 116, 111, 118, 119, 122, (123, 64), 125, 96, 112, 120, 124, 126, 127, 128]である。
【０１１４】
(4)N=128であり、シーケンスがZシーケンスであり、Zシーケンスが、要素位置が可変の1つのサブシーケンスを含むことができるとき。nの値は1である。シーケンスは、
【０１１５】
【数３０】
2020528250.tif 000032
【０１１６】
であることが可能である。
【０１１７】
可能な例において、
【０１１８】
【数３１】
2020528250.tif 000033
【０１１９】
は、
【０１２０】
【数３２】
2020528250.tif 000034
【０１２１】
のようなものであることが可能である。
【０１２２】
この例において、Zシーケンスは具体的には、[1, 2, (5, 10, 3, 12, 8, 22, 4, 14, 17, 25, 11, 28, 31, 52, 6, 16, 13, 27, 18, 33, 38, 55, 20, 40, 34, 60, 44, 64, 67, 91, 7, 15, 19, 35, 23, 39, 37, 62, 26, 43, 48, 65, 50, 70, 73, 94, 30, 46, 53, 72, 56, 76, 78, 97, 59, 80, 84, 101, 87, 104, 107, 120, 9, 21, 24, 42, 29, 45, 49, 69, 32, 54, 47, 74, 57, 77, 83, 99, 36, 51, 58, 79, 63, 82, 86, 103, 68, 88, 90, 106, 95, 110, 112, 122, 41, 61, 66, 85, 71, 89, 92, 109, 75, 93, 96, 111, 100, 113, 115, 123, 81, 98, 102, 114, 105, 116, 117, 124, 108, 118, 119), 125, 121, 126, 127, 128]である。
【０１２３】
(5)N=256であり、シーケンスがQシーケンスであり、Qシーケンスが、要素位置が可変の25個のサブシーケンスを含むことができるとき。nの値は、1から25に及ぶ。シーケンスは、
【０１２４】
【数３３】
2020528250.tif 000035
【０１２５】
であることが可能である。
【０１２６】
可能な例において、
【０１２７】
【数３４】
2020528250.tif 000036
【０１２８】
は、
【０１２９】
【数３５】
2020528250.tif 000037
および
【数３６】
2020528250.tif 000038
【０１３０】
のようなものであることが可能である。
【０１３１】
この例において、Qシーケンスは具体的には、[1, 2, (5, 9, 3), 17, 33, (7, 65, 4, 13, 6, 19, 129, 10, 34, 18, 11), 21, 35, 25, (66, 8, 37, 67, 130, 12, 41, 20, 133, 14, 69, 49, 15, 73, 22, 131, 27, 36, 81, 137, 39, 23, 38, 26, 97, 68, 42, 145), 29, (70, 50, 75, 161, 43, 193, 71, 45, 132, 82, 16, 51, 135, 74, 24, 53, 134, 77), (83, 138, 57, 28, 98, 40), (139, 85, 30, 146), (44, 99, 141, 31, 89, 147, 72, 162, 46, 101), (149, 52), (47, 76, 105, 165, 194, 54, 163, 78, 153, 55, 84, 58, 113, 86, 136, 195, 79, 59, 169, 100, 140, 197, 87, 177, 61, 90, 102, 148, 142, 143, 91, 201, 32, 103, 106, 150, 48, 93, 209, 164, 154, 151, 107, 56, 166, 114, 155, 80, 225, 167, 109, 60, 115, 196, 170, 157), (88, 62, 117, 171, 198, 178), (92, 202, 199, 63, 144, 173, 121, 104, 179), (203, 94, 152, 210, 181, 108), (95, 205, 156, 110, 211, 185, 116, 168, 158, 226, 111, 213, 118, 172, 227), (159, 217, 119, 174, 122, 200, 180, 229), (175, 123, 64, 233, 204, 182), (125, 206, 241, 183, 212, 96, 186, 207, 187, 214), (228, 112), 215, 189, (218, 160, 120, 230), 219, (231, 176, 124, 234, 221), (126, 235, 184, 242), (188, 208, 237, 127, 243), (216, 245, 190), (220, 249, 191, 232), 222, 236, 223, (238, 244, 239, 246, 128), (247, 250, 251, 192), 253, 224, 240, 248, 252, 254, 255, 256]である。
【０１３２】
(6)N=256であり、シーケンスがZシーケンスであり、Zシーケンスが、要素位置が可変の1つ(n=1)のサブシーケンスを含むことができるとき。シーケンスは、
【０１３３】
【数３７】
2020528250.tif 000039
【０１３４】
であることが可能である。
【０１３５】
可能な例において、
【０１３６】
【数３８】
2020528250.tif 000040
【０１３７】
は、
【０１３８】
【数３９】
2020528250.tif 000041
= (5, 10, 3, 12, 8, 23, 4, 15, 18, 27, 11, 31, 34, 61, 6, 17, 13, 29, 19, 36, 43, 65, 21, 45, 38, 72, 50, 77, 82, 123, 7, 16, 20, 39, 24, 44, 42, 74, 28, 48, 55, 79, 58, 87, 91, 127, 33, 52, 62, 90, 66, 96, 100, 134, 71, 102, 108, 142, 115, 148, 156, 193, 9, 22, 25, 47, 32, 51, 57, 85, 35, 64, 53, 92, 68, 98, 107, 138, 40, 60, 69, 101, 76, 104, 113, 147, 83, 116, 121, 153, 128, 163, 168, 202, 46, 73, 80, 110, 88, 117, 124, 160, 93, 125, 133, 167, 141, 171, 178, 208, 103, 136, 143, 174, 149, 180, 185, 213, 159, 187, 192, 218, 197, 221, 228, 244, 14, 26, 37, 59, 30, 67, 63, 105, 41, 70, 75, 111, 81, 119, 120, 157, 49, 78, 84, 118, 89, 126, 132, 164, 99, 131, 137, 170, 146, 176, 183, 212, 54, 86, 97, 130, 94, 135, 140, 175, 109, 145, 150, 181, 158, 186, 191, 217, 114, 152, 161, 189, 166, 196, 200, 223, 173, 203, 205, 225, 210, 232, 235, 248, 56, 95, 106, 144, 112, 151, 155, 188, 122, 154, 162, 195, 169, 198, 204, 226, 129, 165, 172, 201, 179, 206, 209, 230, 184, 211, 215, 233, 220, 237, 239, 250, 139, 177, 182, 207, 190, 214, 216, 236, 194, 219, 222, 238, 227, 240, 242, 251, 199, 224, 229, 241, 231, 243, 245, 252, 234, 246, 247)
【０１３９】
のようなものであることが可能である。
【０１４０】
この例において、Qシーケンスは具体的には、[1, 2, (5, 10, 3, 12, 8, 23, 4, 15, 18, 27, 11, 31, 34, 61, 6, 17, 13, 29, 19, 36, 43, 65, 21, 45, 38, 72, 50, 77, 82, 123, 7, 16, 20, 39, 24, 44, 42, 74, 28, 48, 55, 79, 58, 87, 91, 127, 33, 52, 62, 90, 66, 96, 100, 134, 71, 102, 108, 142, 115, 148, 156, 193, 9, 22, 25, 47, 32, 51, 57, 85, 35, 64, 53, 92, 68, 98, 107, 138, 40, 60, 69, 101, 76, 104, 113, 147, 83, 116, 121, 153, 128, 163, 168, 202, 46, 73, 80, 110, 88, 117, 124, 160, 93, 125, 133, 167, 141, 171, 178, 208, 103, 136, 143, 174, 149, 180, 185, 213, 159, 187, 192, 218, 197, 221, 228, 244, 14, 26, 37, 59, 30, 67, 63, 105, 41, 70, 75, 111, 81, 119, 120, 157, 49, 78, 84, 118, 89, 126, 132, 164, 99, 131, 137, 170, 146, 176, 183, 212, 54, 86, 97, 130, 94, 135, 140, 175, 109, 145, 150, 181, 158, 186, 191, 217, 114, 152, 161, 189, 166, 196, 200, 223, 173, 203, 205, 225, 210, 232, 235, 248, 56, 95, 106, 144, 112, 151, 155, 188, 122, 154, 162, 195, 169, 198, 204, 226, 129, 165, 172, 201, 179, 206, 209, 230, 184, 211, 215, 233, 220, 237, 239, 250, 139, 177, 182, 207, 190, 214, 216, 236, 194, 219, 222, 238, 227, 240, 242, 251, 199, 224, 229, 241, 231, 243, 245, 252, 234, 246, 247), 253, 249, 254, 255, 256]である。
【０１４１】
(7)N=512であり、シーケンスがQシーケンスであり、Qシーケンスが、要素位置が可変の10個のサブシーケンスを含むことができるとき。nの値は、1から10に及ぶ。シーケンスは、
【０１４２】
【数４０】
2020528250.tif 000042
【０１４３】
であることが可能である。
【０１４４】
可能な例において、
【０１４５】
【数４１】
2020528250.tif 000043
【０１４６】
は、
【０１４７】
【数４２】
2020528250.tif 000044
= (66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485); 
【数４３】
2020528250.tif 000045
および
【数４４】
2020528250.tif 000046
【０１４８】
のようなものであることが可能である。
【０１４９】
この例において、Qシーケンスは具体的には、[1, 2, (5, 9, 3), 17, 33, (7, 65, 4, 13, 6, 19, 129, 10, 34, 18, 11), (257, 21, 35, 25), (66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485), (431, 489, 460, 240, 379, 438), (462, 381, 248, 442, 352, 470, 439, 463, 252, 497, 468, 368, 443, 475, 484, 380, 416, 254, 445, 486, 471, 376, 474, 432, 487, 490, 255, 477), (440, 493, 382, 499, 464, 491, 383, 472, 498, 444, 501, 446, 447, 476, 488, 478, 494, 505, 256, 492, 479, 384, 500), (503, 495, 502, 448, 506), 507, (480, 509), (504, 496), 508, 510, 511, 512]である。
【０１５０】
(8)N=512であり、シーケンスがZシーケンスであり、Zシーケンスが、要素位置が可変の1つ(n=1)のサブシーケンスを含むことができるとき。シーケンスは、
【０１５１】
【数４５】
2020528250.tif 000047
【０１５２】
であることが可能である。
【０１５３】
可能な例において、
【０１５４】
【数４６】
2020528250.tif 000048
【０１５５】
は、
【０１５６】
【数４７】
2020528250.tif 000049
= (5, 10, 3, 12, 8, 24, 4, 15, 18, 28, 11, 32, 35, 67, 6, 17, 13, 30, 20, 38, 46, 72, 22, 49, 40, 80, 55, 87, 93, 146, 7, 16, 21, 41, 25, 48, 45, 83, 29, 53, 60, 90, 64, 100, 104, 153, 34, 57, 69, 103, 73, 111, 117, 164, 79, 119, 127, 177, 135, 183, 197, 264, 9, 23, 26, 51, 33, 56, 63, 97, 36, 71, 58, 105, 76, 114, 125, 171, 42, 66, 77, 118, 86, 121, 133, 182, 94, 136, 144, 192, 154, 207, 216, 285, 50, 82, 91, 130, 101, 138, 147, 203, 107, 149, 163, 215, 175, 222, 235, 299, 120, 169, 178, 229, 187, 237, 248, 309, 202, 253, 263, 323, 274, 331, 350, 407, 14, 27, 39, 65, 31, 75, 70, 122, 44, 78, 85, 131, 92, 141, 143, 198, 54, 89, 96, 139, 102, 151, 162, 211, 115, 161, 170, 221, 181, 231, 243, 308, 59, 99, 112, 160, 109, 165, 173, 230, 129, 180, 188, 238, 200, 252, 260, 319, 134, 190, 204, 255, 214, 273, 280, 333, 227, 286, 290, 344, 304, 361, 369, 424, 62, 110, 124, 179, 132, 189, 196, 254, 145, 193, 206, 270, 217, 275, 287, 346, 155, 212, 226, 282, 236, 294, 301, 353, 246, 307, 315, 362, 328, 380, 389, 435, 172, 232, 240, 296, 256, 310, 317, 374, 269, 324, 332, 386, 347, 392, 399, 445, 276, 335, 351, 394, 360, 405, 413, 450, 368, 414, 422, 456, 432, 465, 474, 494, 19, 37, 43, 81, 47, 88, 95, 148, 52, 98, 106, 156, 113, 168, 176, 247, 61, 108, 116, 174, 128, 184, 186, 249, 137, 191, 201, 262, 213, 272, 277, 340, 68, 123, 126, 185, 140, 195, 205, 271, 152, 210, 218, 278, 225, 295, 297, 355, 159, 224, 233, 292, 242, 303, 313, 363, 258, 320, 325, 375, 336, 385, 396, 440, 74, 142, 150, 208, 158, 220, 228, 288, 167, 234, 239, 306, 250, 311, 322, 378, 199, 245, 257, 321, 265, 326, 337, 387, 284, 338, 348, 393, 359, 406, 412, 452, 219, 267, 279, 330, 291, 345, 356, 400, 298, 349, 364, 410, 376, 417, 427, 459, 316, 370, 379, 423, 388, 429, 419, 469, 397, 438, 446, 463, 449, 478, 482, 497, 84, 157, 166, 241, 194, 251, 259, 318, 209, 261, 268, 334, 283, 341, 354, 402, 223, 281, 289, 339, 302, 352, 366, 408, 312, 371, 372, 416, 383, 426, 431, 464, 244, 300, 293, 357, 314, 367, 377, 420, 329, 382, 390, 430, 398, 434, 442, 471, 343, 391, 403, 439, 409, 447, 454, 476, 418, 451, 460, 485, 466, 487, 488, 502, 266, 305, 327, 381, 342, 384, 395, 436, 358, 404, 401, 444, 415, 448, 455, 480, 365, 411, 421, 458, 428, 453, 468, 483, 437, 470, 461, 489, 475, 491, 496, 505, 373, 425, 433, 462, 441, 467, 472, 490, 443, 473, 481, 495, 477, 492, 500, 508, 457, 484, 479, 498, 486, 501, 499, 507, 493, 503, 504, 509, 506)
【０１５７】
のようなものであることが可能である。
【０１５８】
この例において、Zシーケンスは具体的には、[1, 2, (5, 10, 3, 12, 8, 24, 4, 15, 18, 28, 11, 32, 35, 67, 6, 17, 13, 30, 20, 38, 46, 72, 22, 49, 40, 80, 55, 87, 93, 146, 7, 16, 21, 41, 25, 48, 45, 83, 29, 53, 60, 90, 64, 100, 104, 153, 34, 57, 69, 103, 73, 111, 117, 164, 79, 119, 127, 177, 135, 183, 197, 264, 9, 23, 26, 51, 33, 56, 63, 97, 36, 71, 58, 105, 76, 114, 125, 171, 42, 66, 77, 118, 86, 121, 133, 182, 94, 136, 144, 192, 154, 207, 216, 285, 50, 82, 91, 130, 101, 138, 147, 203, 107, 149, 163, 215, 175, 222, 235, 299, 120, 169, 178, 229, 187, 237, 248, 309, 202, 253, 263, 323, 274, 331, 350, 407, 14, 27, 39, 65, 31, 75, 70, 122, 44, 78, 85, 131, 92, 141, 143, 198, 54, 89, 96, 139, 102, 151, 162, 211, 115, 161, 170, 221, 181, 231, 243, 308, 59, 99, 112, 160, 109, 165, 173, 230, 129, 180, 188, 238, 200, 252, 260, 319, 134, 190, 204, 255, 214, 273, 280, 333, 227, 286, 290, 344, 304, 361, 369, 424, 62, 110, 124, 179, 132, 189, 196, 254, 145, 193, 206, 270, 217, 275, 287, 346, 155, 212, 226, 282, 236, 294, 301, 353, 246, 307, 315, 362, 328, 380, 389, 435, 172, 232, 240, 296, 256, 310, 317, 374, 269, 324, 332, 386, 347, 392, 399, 445, 276, 335, 351, 394, 360, 405, 413, 450, 368, 414, 422, 456, 432, 465, 474, 494, 19, 37, 43, 81, 47, 88, 95, 148, 52, 98, 106, 156, 113, 168, 176, 247, 61, 108, 116, 174, 128, 184, 186, 249, 137, 191, 201, 262, 213, 272, 277, 340, 68, 123, 126, 185, 140, 195, 205, 271, 152, 210, 218, 278, 225, 295, 297, 355, 159, 224, 233, 292, 242, 303, 313, 363, 258, 320, 325, 375, 336, 385, 396, 440, 74, 142, 150, 208, 158, 220, 228, 288, 167, 234, 239, 306, 250, 311, 322, 378, 199, 245, 257, 321, 265, 326, 337, 387, 284, 338, 348, 393, 359, 406, 412, 452, 219, 267, 279, 330, 291, 345, 356, 400, 298, 349, 364, 410, 376, 417, 427, 459, 316, 370, 379, 423, 388, 429, 419, 469, 397, 438, 446, 463, 449, 478, 482, 497, 84, 157, 166, 241, 194, 251, 259, 318, 209, 261, 268, 334, 283, 341, 354, 402, 223, 281, 289, 339, 302, 352, 366, 408, 312, 371, 372, 416, 383, 426, 431, 464, 244, 300, 293, 357, 314, 367, 377, 420, 329, 382, 390, 430, 398, 434, 442, 471, 343, 391, 403, 439, 409, 447, 454, 476, 418, 451, 460, 485, 466, 487, 488, 502, 266, 305, 327, 381, 342, 384, 395, 436, 358, 404, 401, 444, 415, 448, 455, 480, 365, 411, 421, 458, 428, 453, 468, 483, 437, 470, 461, 489, 475, 491, 496, 505, 373, 425, 433, 462, 441, 467, 472, 490, 443, 473, 481, 495, 477, 492, 500, 508, 457, 484, 479, 498, 486, 501, 499, 507, 493, 503, 504, 509, 506), 510, 511, 512]である。
【０１５９】
(9)N=1024であり、シーケンスがQシーケンスであり、Qシーケンスが、要素位置が可変の3つのサブシーケンスを含むことができるとき。nの値は、1から3に及ぶ。シーケンスは、
【０１６０】
【数４８】
2020528250.tif 000050
【０１６１】
であることが可能である。
【０１６２】
可能な例において、
【０１６３】
【数４９】
2020528250.tif 000051
【０１６４】
は、
【０１６５】
【数５０】
2020528250.tif 000052
= (7, 65, 513, 4, 13, 6, 19, 129, 10, 34, 18, 11, 257, 21, 35, 25, 66, 8, 37, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 70, 50, 75, 161, 43, 521, 273, 193, 71, 45, 132, 82, 16, 289, 51, 135, 74, 515, 24, 53, 321, 134, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 209, 268, 386, 325, 305, 537, 769, 533, 164, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 171, 198, 642, 178, 282, 92, 553, 202, 389, 294, 199, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 156, 110, 534, 401, 306, 301, 643, 211, 185, 327, 539, 116, 168, 593, 158, 226, 307, 548, 330, 111, 771, 213, 118, 172, 551, 331, 227, 649, 388, 309, 159, 609, 417, 338, 535, 217, 272, 550, 119, 280, 538, 333, 390, 174, 580, 122, 200, 777, 180, 229, 554, 339, 657, 313, 541, 391, 175, 582, 394, 284, 773, 123, 673, 555, 785, 64, 341, 705, 449, 562, 354, 801, 395, 233, 204, 528, 583, 557, 296, 286, 182, 125, 206, 241, 644, 586, 563, 287, 300, 355, 183, 402, 212, 397, 345, 587, 833, 565, 96, 186, 207, 328, 646, 536, 403, 594, 187, 357, 589, 569, 308, 647, 419, 214, 302, 228, 303, 897, 595, 361, 112, 650, 772, 418, 540, 215, 405, 310, 189, 450, 332, 218, 160, 610, 597, 552, 651, 120, 230, 334, 409, 542, 774, 611, 658, 311, 421, 601, 219, 369, 231, 653, 392, 176, 314, 340, 543, 335, 124, 556, 775, 234, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 246, 619, 350, 788, 128, 782, 898, 408, 667, 437, 592, 364, 621, 466, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 446, 933, 847, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 874, 639, 755, 256, 969, 870, 492, 479, 384, 911, 816, 918, 728, 871, 702, 932, 861, 500, 757, 732, 824, 923, 875, 977, 919, 503, 934, 744, 761, 882, 495, 703, 922, 877, 502, 848, 993, 448, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021)  および
【数５１】
2020528250.tif 000053
【０１６６】
のようなものであることが可能である。
【０１６７】
この例において、Qシーケンスは具体的には、[1, 2, (5, 9, 3), 17, 33, (7, 65, 513, 4, 13, 6, 19, 129, 10, 34, 18, 11, 257, 21, 35, 25, 66, 8, 37, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 70, 50, 75, 161, 43, 521, 273, 193, 71, 45, 132, 82, 16, 289, 51, 135, 74, 515, 24, 53, 321, 134, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 209, 268, 386, 325, 305, 537, 769, 533, 164, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 171, 198, 642, 178, 282, 92, 553, 202, 389, 294, 199, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 156, 110, 534, 401, 306, 301, 643, 211, 185, 327, 539, 116, 168, 593, 158, 226, 307, 548, 330, 111, 771, 213, 118, 172, 551, 331, 227, 649, 388, 309, 159, 609, 417, 338, 535, 217, 272, 550, 119, 280, 538, 333, 390, 174, 580, 122, 200, 777, 180, 229, 554, 339, 657, 313, 541, 391, 175, 582, 394, 284, 773, 123, 673, 555, 785, 64, 341, 705, 449, 562, 354, 801, 395, 233, 204, 528, 583, 557, 296, 286, 182, 125, 206, 241, 644, 586, 563, 287, 300, 355, 183, 402, 212, 397, 345, 587, 833, 565, 96, 186, 207, 328, 646, 536, 403, 594, 187, 357, 589, 569, 308, 647, 419, 214, 302, 228, 303, 897, 595, 361, 112, 650, 772, 418, 540, 215, 405, 310, 189, 450, 332, 218, 160, 610, 597, 552, 651, 120, 230, 334, 409, 542, 774, 611, 658, 311, 421, 601, 219, 369, 231, 653, 392, 176, 314, 340, 543, 335, 124, 556, 775, 234, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 246, 619, 350, 788, 128, 782, 898, 408, 667, 437, 592, 364, 621, 466, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 446, 933, 847, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 874, 639, 755, 256, 969, 870, 492, 479, 384, 911, 816, 918, 728, 871, 702, 932, 861, 500, 757, 732, 824, 923, 875, 977, 919, 503, 934, 744, 761, 882, 495, 703, 922, 877, 502, 848, 993, 448, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021), (1016, 1008), 1020, 1022, 1023, 1024]である。
【０１６８】
(10)N=1024であり、シーケンスがZシーケンスであり、Zシーケンスが、要素位置が可変の1つ(n=1)のサブシーケンスを含むことができるとき。シーケンスは、
【０１６９】
【数５２】
2020528250.tif 000054
【０１７０】
であることが可能である。
【０１７１】
可能な例において、
【０１７２】
【数５３】
2020528250.tif 000055
【０１７３】
は、
【０１７４】
【数５４】
2020528250.tif 000056
= (5, 11, 3, 13, 8, 25, 4, 16, 19, 29, 12, 34, 37, 71, 6, 18, 14, 31, 21, 40, 48, 77, 23, 52, 42, 85, 58, 93, 100, 162, 7, 17, 22, 43, 26, 51, 47, 89, 30, 56, 63, 97, 68, 108, 112, 170, 36, 60, 73, 111, 78, 120, 127, 185, 84, 130, 139, 201, 149, 208, 226, 323, 9, 24, 27, 54, 35, 59, 67, 104, 38, 75, 61, 114, 81, 124, 137, 194, 44, 70, 82, 129, 92, 132, 146, 206, 101, 150, 159, 219, 172, 239, 251, 356, 53, 88, 98, 143, 109, 152, 163, 234, 116, 165, 184, 250, 198, 259, 277, 378, 131, 192, 202, 269, 213, 280, 296, 395, 232, 303, 319, 416, 339, 431, 464, 574, 15, 28, 41, 69, 32, 80, 74, 133, 46, 83, 91, 144, 99, 156, 158, 227, 57, 95, 103, 153, 110, 168, 183, 244, 125, 182, 193, 258, 205, 272, 288, 390, 62, 107, 122, 181, 118, 186, 196, 270, 141, 204, 214, 281, 230, 301, 314, 411, 147, 217, 235, 306, 248, 338, 348, 433, 266, 357, 364, 452, 386, 482, 498, 613, 66, 119, 136, 203, 145, 215, 224, 304, 160, 221, 238, 332, 252, 340, 358, 454, 173, 246, 265, 350, 279, 371, 383, 468, 293, 389, 406, 484, 426, 518, 536, 641, 195, 273, 284, 373, 307, 396, 408, 508, 331, 419, 432, 530, 460, 542, 557, 667, 341, 435, 465, 547, 480, 570, 588, 681, 496, 590, 609, 698, 633, 727, 757, 844, 20, 39, 45, 86, 49, 94, 102, 164, 55, 106, 115, 174, 123, 191, 200, 294, 65, 117, 126, 197, 140, 209, 212, 297, 151, 218, 231, 317, 247, 337, 345, 445, 72, 134, 138, 210, 154, 223, 236, 336, 169, 243, 254, 346, 263, 372, 374, 471, 177, 262, 274, 368, 287, 385, 403, 486, 311, 412, 420, 510, 439, 528, 551, 654, 79, 157, 167, 240, 176, 256, 267, 359, 189, 276, 283, 388, 299, 397, 415, 514, 228, 291, 309, 413, 324, 423, 440, 532, 352, 441, 461, 545, 479, 572, 585, 687, 255, 328, 347, 428, 365, 453, 473, 559, 377, 463, 488, 581, 512, 597, 621, 708, 407, 500, 516, 611, 534, 625, 601, 740, 553, 648, 670, 720, 678, 772, 791, 849, 90, 175, 187, 286, 222, 300, 313, 410, 242, 316, 330, 434, 351, 446, 469, 563, 261, 349, 362, 444, 384, 467, 492, 577, 398, 502, 504, 595, 524, 618, 630, 723, 290, 381, 370, 475, 404, 494, 513, 604, 427, 522, 538, 628, 555, 638, 659, 747, 451, 540, 566, 651, 579, 673, 693, 765, 599, 684, 711, 802, 730, 807, 814, 878, 326, 387, 425, 520, 447, 526, 549, 643, 477, 568, 561, 664, 592, 675, 695, 783, 490, 583, 606, 705, 623, 690, 737, 795, 646, 743, 714, 817, 761, 831, 848, 899, 506, 616, 635, 717, 656, 733, 750, 822, 662, 754, 787, 847, 769, 836, 871, 938, 701, 799, 776, 858, 806, 875, 866, 929, 837, 884, 894, 949, 920, 961, 975, 993, 10, 33, 76, 121, 50, 135, 105, 211, 64, 155, 171, 225, 128, 249, 257, 333, 87, 166, 142, 237, 180, 260, 292, 361, 178, 298, 268, 382, 312, 399, 414, 533, 96, 161, 207, 275, 190, 295, 282, 393, 220, 308, 321, 417, 335, 436, 449, 541, 241, 327, 344, 443, 355, 462, 470, 567, 367, 481, 499, 587, 509, 614, 626, 738, 113, 188, 199, 302, 245, 315, 334, 430, 229, 343, 353, 456, 366, 466, 483, 580, 271, 363, 376, 489, 392, 472, 497, 600, 405, 521, 531, 619, 552, 649, 660, 759, 289, 391, 401, 519, 422, 507, 537, 634, 438, 544, 571, 650, 582, 669, 685, 774, 476, 562, 591, 680, 603, 691, 713, 788, 636, 706, 729, 810, 745, 820, 842, 915, 148, 216, 264, 342, 233, 360, 369, 485, 285, 379, 394, 501, 409, 525, 535, 627, 310, 402, 421, 511, 437, 554, 564, 652, 455, 550, 578, 666, 602, 694, 709, 780, 320, 429, 448, 558, 459, 565, 586, 677, 493, 589, 617, 697, 631, 715, 735, 804, 515, 615, 642, 718, 657, 731, 748, 823, 674, 762, 771, 835, 790, 855, 872, 931, 325, 458, 487, 593, 505, 612, 624, 719, 529, 622, 644, 739, 661, 758, 770, 833, 548, 653, 672, 752, 688, 763, 784, 853, 704, 789, 798, 860, 813, 879, 889, 942, 584, 676, 696, 778, 726, 792, 801, 868, 732, 811, 824, 886, 838, 895, 904, 951, 751, 826, 843, 898, 859, 908, 916, 956, 869, 919, 928, 966, 937, 976, 985, 1008, 179, 253, 278, 380, 318, 400, 418, 539, 305, 424, 442, 556, 457, 575, 596, 689, 322, 450, 478, 573, 495, 598, 610, 710, 517, 620, 639, 722, 655, 746, 753, 834, 329, 474, 491, 608, 523, 637, 629, 734, 546, 647, 663, 749, 679, 773, 775, 851, 569, 668, 692, 766, 703, 782, 796, 861, 724, 805, 812, 880, 825, 890, 901, 948, 354, 527, 503, 645, 560, 671, 665, 767, 594, 683, 699, 786, 712, 793, 809, 876, 607, 700, 716, 797, 744, 818, 827, 887, 755, 828, 840, 897, 857, 911, 918, 962, 640, 721, 741, 819, 768, 846, 854, 905, 777, 841, 863, 913, 874, 923, 934, 969, 800, 870, 881, 930, 893, 940, 925, 980, 902, 946, 954, 973, 957, 989, 995, 1013, 375, 576, 543, 682, 605, 702, 707, 803, 632, 728, 736, 821, 756, 832, 850, 907, 658, 742, 764, 829, 781, 852, 865, 914, 794, 873, 862, 922, 888, 933, 939, 974, 686, 779, 760, 856, 808, 867, 882, 926, 816, 885, 892, 943, 903, 936, 950, 982, 839, 896, 909, 947, 917, 955, 964, 987, 924, 960, 970, 998, 977, 991, 1001, 1017, 725, 785, 815, 883, 830, 891, 900, 945, 845, 910, 906, 958, 921, 952, 965, 992, 864, 912, 927, 968, 935, 963, 979, 996, 944, 981, 971, 999, 986, 1004, 1006, 1015, 877, 932, 941, 972, 953, 978, 983, 1002, 959, 984, 994, 1009, 988, 1003, 1011, 1020, 967, 997, 990, 1007, 1000, 1014, 1010, 1019, 1005, 1012, 1016, 1021, 1018)
【０１７５】
のようなものであることが可能である。
【０１７６】
この例において、Zシーケンスは具体的には、[1, 2, (5, 11, 3, 13, 8, 25, 4, 16, 19, 29, 12, 34, 37, 71, 6, 18, 14, 31, 21, 40, 48, 77, 23, 52, 42, 85, 58, 93, 100, 162, 7, 17, 22, 43, 26, 51, 47, 89, 30, 56, 63, 97, 68, 108, 112, 170, 36, 60, 73, 111, 78, 120, 127, 185, 84, 130, 139, 201, 149, 208, 226, 323, 9, 24, 27, 54, 35, 59, 67, 104, 38, 75, 61, 114, 81, 124, 137, 194, 44, 70, 82, 129, 92, 132, 146, 206, 101, 150, 159, 219, 172, 239, 251, 356, 53, 88, 98, 143, 109, 152, 163, 234, 116, 165, 184, 250, 198, 259, 277, 378, 131, 192, 202, 269, 213, 280, 296, 395, 232, 303, 319, 416, 339, 431, 464, 574, 15, 28, 41, 69, 32, 80, 74, 133, 46, 83, 91, 144, 99, 156, 158, 227, 57, 95, 103, 153, 110, 168, 183, 244, 125, 182, 193, 258, 205, 272, 288, 390, 62, 107, 122, 181, 118, 186, 196, 270, 141, 204, 214, 281, 230, 301, 314, 411, 147, 217, 235, 306, 248, 338, 348, 433, 266, 357, 364, 452, 386, 482, 498, 613, 66, 119, 136, 203, 145, 215, 224, 304, 160, 221, 238, 332, 252, 340, 358, 454, 173, 246, 265, 350, 279, 371, 383, 468, 293, 389, 406, 484, 426, 518, 536, 641, 195, 273, 284, 373, 307, 396, 408, 508, 331, 419, 432, 530, 460, 542, 557, 667, 341, 435, 465, 547, 480, 570, 588, 681, 496, 590, 609, 698, 633, 727, 757, 844, 20, 39, 45, 86, 49, 94, 102, 164, 55, 106, 115, 174, 123, 191, 200, 294, 65, 117, 126, 197, 140, 209, 212, 297, 151, 218, 231, 317, 247, 337, 345, 445, 72, 134, 138, 210, 154, 223, 236, 336, 169, 243, 254, 346, 263, 372, 374, 471, 177, 262, 274, 368, 287, 385, 403, 486, 311, 412, 420, 510, 439, 528, 551, 654, 79, 157, 167, 240, 176, 256, 267, 359, 189, 276, 283, 388, 299, 397, 415, 514, 228, 291, 309, 413, 324, 423, 440, 532, 352, 441, 461, 545, 479, 572, 585, 687, 255, 328, 347, 428, 365, 453, 473, 559, 377, 463, 488, 581, 512, 597, 621, 708, 407, 500, 516, 611, 534, 625, 601, 740, 553, 648, 670, 720, 678, 772, 791, 849, 90, 175, 187, 286, 222, 300, 313, 410, 242, 316, 330, 434, 351, 446, 469, 563, 261, 349, 362, 444, 384, 467, 492, 577, 398, 502, 504, 595, 524, 618, 630, 723, 290, 381, 370, 475, 404, 494, 513, 604, 427, 522, 538, 628, 555, 638, 659, 747, 451, 540, 566, 651, 579, 673, 693, 765, 599, 684, 711, 802, 730, 807, 814, 878, 326, 387, 425, 520, 447, 526, 549, 643, 477, 568, 561, 664, 592, 675, 695, 783, 490, 583, 606, 705, 623, 690, 737, 795, 646, 743, 714, 817, 761, 831, 848, 899, 506, 616, 635, 717, 656, 733, 750, 822, 662, 754, 787, 847, 769, 836, 871, 938, 701, 799, 776, 858, 806, 875, 866, 929, 837, 884, 894, 949, 920, 961, 975, 993, 10, 33, 76, 121, 50, 135, 105, 211, 64, 155, 171, 225, 128, 249, 257, 333, 87, 166, 142, 237, 180, 260, 292, 361, 178, 298, 268, 382, 312, 399, 414, 533, 96, 161, 207, 275, 190, 295, 282, 393, 220, 308, 321, 417, 335, 436, 449, 541, 241, 327, 344, 443, 355, 462, 470, 567, 367, 481, 499, 587, 509, 614, 626, 738, 113, 188, 199, 302, 245, 315, 334, 430, 229, 343, 353, 456, 366, 466, 483, 580, 271, 363, 376, 489, 392, 472, 497, 600, 405, 521, 531, 619, 552, 649, 660, 759, 289, 391, 401, 519, 422, 507, 537, 634, 438, 544, 571, 650, 582, 669, 685, 774, 476, 562, 591, 680, 603, 691, 713, 788, 636, 706, 729, 810, 745, 820, 842, 915, 148, 216, 264, 342, 233, 360, 369, 485, 285, 379, 394, 501, 409, 525, 535, 627, 310, 402, 421, 511, 437, 554, 564, 652, 455, 550, 578, 666, 602, 694, 709, 780, 320, 429, 448, 558, 459, 565, 586, 677, 493, 589, 617, 697, 631, 715, 735, 804, 515, 615, 642, 718, 657, 731, 748, 823, 674, 762, 771, 835, 790, 855, 872, 931, 325, 458, 487, 593, 505, 612, 624, 719, 529, 622, 644, 739, 661, 758, 770, 833, 548, 653, 672, 752, 688, 763, 784, 853, 704, 789, 798, 860, 813, 879, 889, 942, 584, 676, 696, 778, 726, 792, 801, 868, 732, 811, 824, 886, 838, 895, 904, 951, 751, 826, 843, 898, 859, 908, 916, 956, 869, 919, 928, 966, 937, 976, 985, 1008, 179, 253, 278, 380, 318, 400, 418, 539, 305, 424, 442, 556, 457, 575, 596, 689, 322, 450, 478, 573, 495, 598, 610, 710, 517, 620, 639, 722, 655, 746, 753, 834, 329, 474, 491, 608, 523, 637, 629, 734, 546, 647, 663, 749, 679, 773, 775, 851, 569, 668, 692, 766, 703, 782, 796, 861, 724, 805, 812, 880, 825, 890, 901, 948, 354, 527, 503, 645, 560, 671, 665, 767, 594, 683, 699, 786, 712, 793, 809, 876, 607, 700, 716, 797, 744, 818, 827, 887, 755, 828, 840, 897, 857, 911, 918, 962, 640, 721, 741, 819, 768, 846, 854, 905, 777, 841, 863, 913, 874, 923, 934, 969, 800, 870, 881, 930, 893, 940, 925, 980, 902, 946, 954, 973, 957, 989, 995, 1013, 375, 576, 543, 682, 605, 702, 707, 803, 632, 728, 736, 821, 756, 832, 850, 907, 658, 742, 764, 829, 781, 852, 865, 914, 794, 873, 862, 922, 888, 933, 939, 974, 686, 779, 760, 856, 808, 867, 882, 926, 816, 885, 892, 943, 903, 936, 950, 982, 839, 896, 909, 947, 917, 955, 964, 987, 924, 960, 970, 998, 977, 991, 1001, 1017, 725, 785, 815, 883, 830, 891, 900, 945, 845, 910, 906, 958, 921, 952, 965, 992, 864, 912, 927, 968, 935, 963, 979, 996, 944, 981, 971, 999, 986, 1004, 1006, 1015, 877, 932, 941, 972, 953, 978, 983, 1002, 959, 984, 994, 1009, 988, 1003, 1011, 1020, 967, 997, 990, 1007, 1000, 1014, 1010, 1019, 1005, 1012, 1016, 1021, 1018), 1022, 1023, 1024]である。
【実施例２】
【０１７７】
(11)N=64であり、シーケンスがQシーケンスであり、Qシーケンスが、要素位置が可変の12個のサブシーケンスを含むことができるとき。nの値は、1から12に及ぶ。シーケンスは、
【０１７８】
【数５５】
2020528250.tif 000057
【０１７９】
であることが可能である。
【０１８０】
可能な例において、
【０１８１】
【数５６】
2020528250.tif 000058
【０１８２】
は、
【０１８３】
【数５７】
2020528250.tif 000059
および
【数５８】
2020528250.tif 000060
【０１８４】
のようなものであることが可能である。
【０１８５】
この例において、Qシーケンスは具体的には、[1, 2, (5, 9, 3), 17, (33, 7, 4, 13, 6, 19, 10, 34, 18, 11), 21, 35, 25, (8, 37), (12, 41), (20, 14, 49), 15, 22, (27, 36, 39, 23, 38, 26), (42, 29), (50, 43, 45, 16, 51), (24, 53), (57, 28), 40, 30, (44, 31), 46, 52, 47, 54, 55, 58, 59, (61, 32), 48, 56, 60, 62, 63, 64]である。
【０１８６】
(12)N=64であり、シーケンスがZシーケンスであり、Zシーケンスが、要素位置が可変の1つ(n=1)のサブシーケンスを含むことができるとき。シーケンスは、
【０１８７】
【数５９】
2020528250.tif 000061
【０１８８】
であることが可能である。
【０１８９】
可能な例において、
【０１９０】
【数６０】
2020528250.tif 000062
【０１９１】
は、
【０１９２】
【数６１】
2020528250.tif 000063
【０１９３】
のようなものであることが可能である。
【０１９４】
この例において、Zシーケンスは具体的には、[1, 2, (5, 9, 3, 11, 8, 20, 4, 13, 16, 22, 10, 25, 27, 40, 6, 15, 12, 24, 17, 28, 32, 42, 19, 34, 29, 45, 36, 47, 49, 58, 7, 14, 18, 30, 21, 33, 31, 46, 23, 35, 38, 48, 39, 50, 52, 59, 26, 37, 41, 51, 43, 53, 54, 60, 44, 55, 56, 61, 57), 62, 63, 64]である。
【０１９５】
(13)N=128であり、シーケンスがQシーケンスであり、Qシーケンスが、要素位置が可変の23個(n=23)のサブシーケンスを含むことができるとき。シーケンスは、
【０１９６】
【数６２】
2020528250.tif 000064
【０１９７】
であることが可能である。
【０１９８】
可能な例において、
【０１９９】
【数６３】
2020528250.tif 000065
【０２００】
は、
【０２０１】
【数６４】
2020528250.tif 000066
および
【数６５】
2020528250.tif 000067
【０２０２】
のようなものであることが可能である。
【０２０３】
この例において、Qシーケンスは具体的には、[1, 2, (5, 9, 3), 17, (33, 7, 65, 4, 13, 6, 19, 10, 34, 18, 11), 21, 35, 25, (66, 8, 37, 67), (12, 41), (20, 14, 69, 49), (15, 73), 22, (27, 36, 81, 39, 23, 38, 26, 97, 68), (42, 29), (70, 50, 75, 43, 71, 45, 82, 16, 51, 74, 24, 53), 77, (83, 57, 28, 98, 40), (85, 30), (44, 99, 31, 89, 72, 46, 101), 52, (47, 76, 105), 54, (78, 55, 84, 58, 113), (86, 79, 59), (100, 87, 61, 90, 102, 91, 32), 103, (106, 48, 93), (107, 56, 114), (80, 109), (60, 115), (88, 62, 117), (92, 63, 121, 104), 94, 108, 95, 110, 116, 111, 118, 119, (122, 123, 64, 125, 96), 112, 120, 124, 126, 127, 128]である。
【０２０４】
(14)N=128であり、シーケンスがZシーケンスであり、Zシーケンスが、要素位置が可変の1つ(n=1)のサブシーケンスを含むことができるとき。シーケンスは、
【０２０５】
【数６６】
2020528250.tif 000068
【０２０６】
であることが可能である。
【０２０７】
可能な例において、
【０２０８】
【数６７】
2020528250.tif 000069
【０２０９】
は、
【０２１０】
【数６８】
2020528250.tif 000070
= (5, 10, 3, 12, 8, 22, 4, 14, 17, 25, 11, 28, 31, 52, 6, 16, 13, 27, 18, 33, 38, 55, 20, 40, 34, 60, 44, 64, 67, 91, 7, 15, 19, 35, 23, 39, 37, 62, 26, 43, 48, 65, 50, 70, 73, 94, 30, 46, 53, 72, 56, 76, 78, 97, 59, 80, 84, 101, 87, 104, 107, 120, 9, 21, 24, 42, 29, 45, 49, 69, 32, 54, 47, 74, 57, 77, 83, 99, 36, 51, 58, 79, 63, 82, 86, 103, 68, 88, 90, 106, 95, 110, 112, 122, 41, 61, 66, 85, 71, 89, 92, 109, 75, 93, 96, 111, 100, 113, 115, 123, 81, 98, 102, 114, 105, 116, 117, 124, 108, 118, 119, 125, 121)
【０２１１】
のようなものであることが可能である。
【０２１２】
この例において、Zシーケンスは具体的には、[1, 2, (5, 10, 3, 12, 8, 22, 4, 14, 17, 25, 11, 28, 31, 52, 6, 16, 13, 27, 18, 33, 38, 55, 20, 40, 34, 60, 44, 64, 67, 91, 7, 15, 19, 35, 23, 39, 37, 62, 26, 43, 48, 65, 50, 70, 73, 94, 30, 46, 53, 72, 56, 76, 78, 97, 59, 80, 84, 101, 87, 104, 107, 120, 9, 21, 24, 42, 29, 45, 49, 69, 32, 54, 47, 74, 57, 77, 83, 99, 36, 51, 58, 79, 63, 82, 86, 103, 68, 88, 90, 106, 95, 110, 112, 122, 41, 61, 66, 85, 71, 89, 92, 109, 75, 93, 96, 111, 100, 113, 115, 123, 81, 98, 102, 114, 105, 116, 117, 124, 108, 118, 119, 125, 121), 126, 127, 128]である。
【０２１３】
(15)N=256であり、シーケンスがQシーケンスであり、Qシーケンスが、要素位置が可変の16個のサブシーケンスを含むことができるとき。nの値は、1から16に及ぶ。シーケンスは、
【０２１４】
【数６９】
2020528250.tif 000071
【０２１５】
であることが可能である。
【０２１６】
可能な例において、
【０２１７】
【数７０】
2020528250.tif 000072
【０２１８】
は、
【０２１９】
【数７１】
2020528250.tif 000073
および
【数７２】
2020528250.tif 000074
【０２２０】
のようなものであることが可能である。
【０２２１】
この例において、Qシーケンスは具体的には、[1, 2, (5, 9, 3), 17, (33, 7, 65, 4, 13, 6, 19, 129, 10, 34, 18, 11), 21, 35, 25, (66, 8, 37, 67, 130, 12, 41, 20, 133, 14, 69, 49, 15, 73, 22, 131, 27, 36, 81, 137, 39, 23, 38, 26, 97, 68, 42, 145, 29), (70, 50, 75, 161, 43, 193, 71, 45, 132, 82, 16, 51, 135, 74, 24, 53, 134, 77, 83, 138, 57, 28, 98, 40, 139, 85, 30, 146), (44, 99, 141, 31, 89, 147, 72, 162, 46, 101, 149, 52), (47, 76, 105, 165, 194, 54, 163, 78, 153, 55, 84, 58, 113, 86, 136, 195, 79, 59, 169, 100, 140, 197, 87, 177, 61, 90, 102, 148, 142, 143, 91, 201, 32, 103, 106, 150, 48, 93, 209, 164, 154, 151, 107, 56, 166, 114, 155, 80, 225, 167, 109, 60, 115, 196, 170, 157, 88, 62, 117, 171, 198, 178), (92, 202, 199, 63, 144, 173, 121, 104, 179, 203, 94, 152, 210, 181, 108, 95, 205, 156, 110, 211, 185, 116, 168, 158, 226, 111, 213, 118, 172, 227, 159, 217, 119, 174, 122, 200, 180, 229, 175, 123, 64, 233, 204, 182, 125, 206, 241, 183, 212, 96, 186, 207, 187, 214), (228, 112, 215, 189, 218, 160, 120, 230, 219), (231, 176, 124, 234, 221), (126, 235, 184, 242), (188, 208, 237, 127, 243), (216, 245, 190), (220, 249, 191, 232), 222, 236, 223, (238, 244, 239, 246, 128), (247, 250, 251, 192), (253, 224), 240, 248, 252, 254, 255, 256]である。
【０２２２】
(16)N=256であり、シーケンスがZシーケンスであり、Zシーケンスが、要素位置が可変の1つ(n=1)のサブシーケンスを含むことができるとき。シーケンスは、
【０２２３】
【数７３】
2020528250.tif 000075
【０２２４】
であることが可能である。
【０２２５】
可能な例において、
【０２２６】
【数７４】
2020528250.tif 000076
【０２２７】
は、
【０２２８】
【数７５】
2020528250.tif 000077
= (5, 10, 3, 12, 8, 23, 4, 15, 18, 27, 11, 31, 34, 61, 6, 17, 13, 29, 19, 36, 43, 65, 21, 45, 38, 72, 50, 77, 82, 123, 7, 16, 20, 39, 24, 44, 42, 74, 28, 48, 55, 79, 58, 87, 91, 127, 33, 52, 62, 90, 66, 96, 100, 134, 71, 102, 108, 142, 115, 148, 156, 193, 9, 22, 25, 47, 32, 51, 57, 85, 35, 64, 53, 92, 68, 98, 107, 138, 40, 60, 69, 101, 76, 104, 113, 147, 83, 116, 121, 153, 128, 163, 168, 202, 46, 73, 80, 110, 88, 117, 124, 160, 93, 125, 133, 167, 141, 171, 178, 208, 103, 136, 143, 174, 149, 180, 185, 213, 159, 187, 192, 218, 197, 221, 228, 244, 14, 26, 37, 59, 30, 67, 63, 105, 41, 70, 75, 111, 81, 119, 120, 157, 49, 78, 84, 118, 89, 126, 132, 164, 99, 131, 137, 170, 146, 176, 183, 212, 54, 86, 97, 130, 94, 135, 140, 175, 109, 145, 150, 181, 158, 186, 191, 217, 114, 152, 161, 189, 166, 196, 200, 223, 173, 203, 205, 225, 210, 232, 235, 248, 56, 95, 106, 144, 112, 151, 155, 188, 122, 154, 162, 195, 169, 198, 204, 226, 129, 165, 172, 201, 179, 206, 209, 230, 184, 211, 215, 233, 220, 237, 239, 250, 139, 177, 182, 207, 190, 214, 216, 236, 194, 219, 222, 238, 227, 240, 242, 251, 199, 224, 229, 241, 231, 243, 245, 252, 234, 246, 247, 253, 249)]
【０２２９】
のようなものであることが可能である。
【０２３０】
この例において、Zシーケンスは具体的には、[1, 2, (5, 10, 3, 12, 8, 23, 4, 15, 18, 27, 11, 31, 34, 61, 6, 17, 13, 29, 19, 36, 43, 65, 21, 45, 38, 72, 50, 77, 82, 123, 7, 16, 20, 39, 24, 44, 42, 74, 28, 48, 55, 79, 58, 87, 91, 127, 33, 52, 62, 90, 66, 96, 100, 134, 71, 102, 108, 142, 115, 148, 156, 193, 9, 22, 25, 47, 32, 51, 57, 85, 35, 64, 53, 92, 68, 98, 107, 138, 40, 60, 69, 101, 76, 104, 113, 147, 83, 116, 121, 153, 128, 163, 168, 202, 46, 73, 80, 110, 88, 117, 124, 160, 93, 125, 133, 167, 141, 171, 178, 208, 103, 136, 143, 174, 149, 180, 185, 213, 159, 187, 192, 218, 197, 221, 228, 244, 14, 26, 37, 59, 30, 67, 63, 105, 41, 70, 75, 111, 81, 119, 120, 157, 49, 78, 84, 118, 89, 126, 132, 164, 99, 131, 137, 170, 146, 176, 183, 212, 54, 86, 97, 130, 94, 135, 140, 175, 109, 145, 150, 181, 158, 186, 191, 217, 114, 152, 161, 189, 166, 196, 200, 223, 173, 203, 205, 225, 210, 232, 235, 248, 56, 95, 106, 144, 112, 151, 155, 188, 122, 154, 162, 195, 169, 198, 204, 226, 129, 165, 172, 201, 179, 206, 209, 230, 184, 211, 215, 233, 220, 237, 239, 250, 139, 177, 182, 207, 190, 214, 216, 236, 194, 219, 222, 238, 227, 240, 242, 251, 199, 224, 229, 241, 231, 243, 245, 252, 234, 246, 247, 253, 249), 254, 255, 256]である。
【０２３１】
(17)N=512であり、シーケンスがQシーケンスであり、Qシーケンスが、要素位置が可変の6つのサブシーケンスを含むことができるとき。nの値は、1から6に及ぶ。シーケンスは、
【０２３２】
【数７６】
2020528250.tif 000078
【０２３３】
であることが可能である。
【０２３４】
可能な例において、
【０２３５】
【数７７】
2020528250.tif 000079
【０２３６】
は、
【０２３７】
【数７８】
2020528250.tif 000080
= (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438); 
【数７９】
2020528250.tif 000081
および
【数８０】
2020528250.tif 000082
【０２３８】
のようなものであることが可能である。
【０２３９】
この例において、Qシーケンスは具体的には、[1, 2, (5, 9, 3), 17, (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438), (462, 381, 248, 442, 352, 470, 439, 463, 252, 497, 468, 368, 443, 475, 484, 380, 416, 254, 445, 486, 471, 376, 474, 432, 487, 490, 255, 477), (440, 493, 382, 499, 464, 491, 383, 472, 498, 444, 501, 446, 447, 476, 488, 478, 494, 505, 256, 492, 479, 384, 500, 503, 495, 502, 448, 506), 507, (480, 509), (504, 496), 508, 510, 511, 512]である。
【０２４０】
(18)N=512であり、シーケンスがZシーケンスであり、Zシーケンスが、要素位置が可変の1つ(n=1)のサブシーケンスを含むことができるとき。シーケンスは、
【０２４１】
【数８１】
2020528250.tif 000083
【０２４２】
であることが可能である。
【０２４３】
可能な例において、
【０２４４】
【数８２】
2020528250.tif 000084
【０２４５】
は、
【０２４６】
【数８３】
2020528250.tif 000085
= (5, 10, 3, 12, 8, 24, 4, 15, 18, 28, 11, 32, 35, 67, 6, 17, 13, 30, 20, 38, 46, 72, 22, 49, 40, 80, 55, 87, 93, 146, 7, 16, 21, 41, 25, 48, 45, 83, 29, 53, 60, 90, 64, 100, 104, 153, 34, 57, 69, 103, 73, 111, 117, 164, 79, 119, 127, 177, 135, 183, 197, 264, 9, 23, 26, 51, 33, 56, 63, 97, 36, 71, 58, 105, 76, 114, 125, 171, 42, 66, 77, 118, 86, 121, 133, 182, 94, 136, 144, 192, 154, 207, 216, 285, 50, 82, 91, 130, 101, 138, 147, 203, 107, 149, 163, 215, 175, 222, 235, 299, 120, 169, 178, 229, 187, 237, 248, 309, 202, 253, 263, 323, 274, 331, 350, 407, 14, 27, 39, 65, 31, 75, 70, 122, 44, 78, 85, 131, 92, 141, 143, 198, 54, 89, 96, 139, 102, 151, 162, 211, 115, 161, 170, 221, 181, 231, 243, 308, 59, 99, 112, 160, 109, 165, 173, 230, 129, 180, 188, 238, 200, 252, 260, 319, 134, 190, 204, 255, 214, 273, 280, 333, 227, 286, 290, 344, 304, 361, 369, 424, 62, 110, 124, 179, 132, 189, 196, 254, 145, 193, 206, 270, 217, 275, 287, 346, 155, 212, 226, 282, 236, 294, 301, 353, 246, 307, 315, 362, 328, 380, 389, 435, 172, 232, 240, 296, 256, 310, 317, 374, 269, 324, 332, 386, 347, 392, 399, 445, 276, 335, 351, 394, 360, 405, 413, 450, 368, 414, 422, 456, 432, 465, 474, 494, 19, 37, 43, 81, 47, 88, 95, 148, 52, 98, 106, 156, 113, 168, 176, 247, 61, 108, 116, 174, 128, 184, 186, 249, 137, 191, 201, 262, 213, 272, 277, 340, 68, 123, 126, 185, 140, 195, 205, 271, 152, 210, 218, 278, 225, 295, 297, 355, 159, 224, 233, 292, 242, 303, 313, 363, 258, 320, 325, 375, 336, 385, 396, 440, 74, 142, 150, 208, 158, 220, 228, 288, 167, 234, 239, 306, 250, 311, 322, 378, 199, 245, 257, 321, 265, 326, 337, 387, 284, 338, 348, 393, 359, 406, 412, 452, 219, 267, 279, 330, 291, 345, 356, 400, 298, 349, 364, 410, 376, 417, 427, 459, 316, 370, 379, 423, 388, 429, 419, 469, 397, 438, 446, 463, 449, 478, 482, 497, 84, 157, 166, 241, 194, 251, 259, 318, 209, 261, 268, 334, 283, 341, 354, 402, 223, 281, 289, 339, 302, 352, 366, 408, 312, 371, 372, 416, 383, 426, 431, 464, 244, 300, 293, 357, 314, 367, 377, 420, 329, 382, 390, 430, 398, 434, 442, 471, 343, 391, 403, 439, 409, 447, 454, 476, 418, 451, 460, 485, 466, 487, 488, 502, 266, 305, 327, 381, 342, 384, 395, 436, 358, 404, 401, 444, 415, 448, 455, 480, 365, 411, 421, 458, 428, 453, 468, 483, 437, 470, 461, 489, 475, 491, 496, 505, 373, 425, 433, 462, 441, 467, 472, 490, 443, 473, 481, 495, 477, 492, 500, 508, 457, 484, 479, 498, 486, 501, 499, 507, 493, 503, 504, 509, 506)
【０２４７】
のようなものであることが可能である。
【０２４８】
この例において、Zシーケンスは具体的には、[1, 2, (5, 10, 3, 12, 8, 24, 4, 15, 18, 28, 11, 32, 35, 67, 6, 17, 13, 30, 20, 38, 46, 72, 22, 49, 40, 80, 55, 87, 93, 146, 7, 16, 21, 41, 25, 48, 45, 83, 29, 53, 60, 90, 64, 100, 104, 153, 34, 57, 69, 103, 73, 111, 117, 164, 79, 119, 127, 177, 135, 183, 197, 264, 9, 23, 26, 51, 33, 56, 63, 97, 36, 71, 58, 105, 76, 114, 125, 171, 42, 66, 77, 118, 86, 121, 133, 182, 94, 136, 144, 192, 154, 207, 216, 285, 50, 82, 91, 130, 101, 138, 147, 203, 107, 149, 163, 215, 175, 222, 235, 299, 120, 169, 178, 229, 187, 237, 248, 309, 202, 253, 263, 323, 274, 331, 350, 407, 14, 27, 39, 65, 31, 75, 70, 122, 44, 78, 85, 131, 92, 141, 143, 198, 54, 89, 96, 139, 102, 151, 162, 211, 115, 161, 170, 221, 181, 231, 243, 308, 59, 99, 112, 160, 109, 165, 173, 230, 129, 180, 188, 238, 200, 252, 260, 319, 134, 190, 204, 255, 214, 273, 280, 333, 227, 286, 290, 344, 304, 361, 369, 424, 62, 110, 124, 179, 132, 189, 196, 254, 145, 193, 206, 270, 217, 275, 287, 346, 155, 212, 226, 282, 236, 294, 301, 353, 246, 307, 315, 362, 328, 380, 389, 435, 172, 232, 240, 296, 256, 310, 317, 374, 269, 324, 332, 386, 347, 392, 399, 445, 276, 335, 351, 394, 360, 405, 413, 450, 368, 414, 422, 456, 432, 465, 474, 494, 19, 37, 43, 81, 47, 88, 95, 148, 52, 98, 106, 156, 113, 168, 176, 247, 61, 108, 116, 174, 128, 184, 186, 249, 137, 191, 201, 262, 213, 272, 277, 340, 68, 123, 126, 185, 140, 195, 205, 271, 152, 210, 218, 278, 225, 295, 297, 355, 159, 224, 233, 292, 242, 303, 313, 363, 258, 320, 325, 375, 336, 385, 396, 440, 74, 142, 150, 208, 158, 220, 228, 288, 167, 234, 239, 306, 250, 311, 322, 378, 199, 245, 257, 321, 265, 326, 337, 387, 284, 338, 348, 393, 359, 406, 412, 452, 219, 267, 279, 330, 291, 345, 356, 400, 298, 349, 364, 410, 376, 417, 427, 459, 316, 370, 379, 423, 388, 429, 419, 469, 397, 438, 446, 463, 449, 478, 482, 497, 84, 157, 166, 241, 194, 251, 259, 318, 209, 261, 268, 334, 283, 341, 354, 402, 223, 281, 289, 339, 302, 352, 366, 408, 312, 371, 372, 416, 383, 426, 431, 464, 244, 300, 293, 357, 314, 367, 377, 420, 329, 382, 390, 430, 398, 434, 442, 471, 343, 391, 403, 439, 409, 447, 454, 476, 418, 451, 460, 485, 466, 487, 488, 502, 266, 305, 327, 381, 342, 384, 395, 436, 358, 404, 401, 444, 415, 448, 455, 480, 365, 411, 421, 458, 428, 453, 468, 483, 437, 470, 461, 489, 475, 491, 496, 505, 373, 425, 433, 462, 441, 467, 472, 490, 443, 473, 481, 495, 477, 492, 500, 508, 457, 484, 479, 498, 486, 501, 499, 507, 493, 503, 504, 509, 506), 510, 511, 512]である。
【０２４９】
(19)N=1024であり、シーケンスがQシーケンスであり、Qシーケンスが、要素位置が可変の3つのサブシーケンスを含むことができるとき。nの値は、1から3に及ぶ。シーケンスは、
【０２５０】
【数８４】
2020528250.tif 000086
【０２５１】
であることが可能である。
【０２５２】
可能な例において、
【０２５３】
【数８５】
2020528250.tif 000087
【０２５４】
は、
【０２５５】
【数８６】
2020528250.tif 000088
= (33, 7, 65, 513, 4, 13, 6, 19, 129, 10, 34, 18, 11, 257, 21, 35, 25, 66, 8, 37, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 70, 50, 75, 161, 43, 521, 273, 193, 71, 45, 132, 82, 16, 289, 51, 135, 74, 515, 24, 53, 321, 134, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 209, 268, 386, 325, 305, 537, 769, 533, 164, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 171, 198, 642, 178, 282, 92, 553, 202, 389, 294, 199, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 156, 110, 534, 401, 306, 301, 643, 211, 185, 327, 539, 116, 168, 593, 158, 226, 307, 548, 330, 111, 771, 213, 118, 172, 551, 331, 227, 649, 388, 309, 159, 609, 417, 338, 535, 217, 272, 550, 119, 280, 538, 333, 390, 174, 580, 122, 200, 777, 180, 229, 554, 339, 657, 313, 541, 391, 175, 582, 394, 284, 773, 123, 673, 555, 785, 64, 341, 705, 449, 562, 354, 801, 395, 233, 204, 528, 583, 557, 296, 286, 182, 125, 206, 241, 644, 586, 563, 287, 300, 355, 183, 402, 212, 397, 345, 587, 833, 565, 96, 186, 207, 328, 646, 536, 403, 594, 187, 357, 589, 569, 308, 647, 419, 214, 302, 228, 303, 897, 595, 361, 112, 650, 772, 418, 540, 215, 405, 310, 189, 450, 332, 218, 160, 610, 597, 552, 651, 120, 230, 334, 409, 542, 774, 611, 658, 311, 421, 601, 219, 369, 231, 653, 392, 176, 314, 340, 543, 335, 124, 556, 775, 234, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 246, 619, 350, 788, 128, 782, 898, 408, 667, 437, 592, 364, 621, 466, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 446, 933, 847, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 874, 639, 755, 256, 969, 870, 492, 479, 384, 911, 816, 918, 728, 871, 702, 932, 861, 500, 757, 732, 824, 923, 875, 977, 919, 503, 934, 744, 761, 882, 495, 703, 922, 877, 502, 848, 993, 448, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021)
および
【数８７】
2020528250.tif 000089
【０２５６】
のようなものであることが可能である。
【０２５７】
この例において、Qシーケンスは具体的には、[1, 2, (5, 9, 3), 17, (33, 7, 65, 513, 4, 13, 6, 19, 129, 10, 34, 18, 11, 257, 21, 35, 25, 66, 8, 37, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 70, 50, 75, 161, 43, 521, 273, 193, 71, 45, 132, 82, 16, 289, 51, 135, 74, 515, 24, 53, 321, 134, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 209, 268, 386, 325, 305, 537, 769, 533, 164, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 171, 198, 642, 178, 282, 92, 553, 202, 389, 294, 199, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 156, 110, 534, 401, 306, 301, 643, 211, 185, 327, 539, 116, 168, 593, 158, 226, 307, 548, 330, 111, 771, 213, 118, 172, 551, 331, 227, 649, 388, 309, 159, 609, 417, 338, 535, 217, 272, 550, 119, 280, 538, 333, 390, 174, 580, 122, 200, 777, 180, 229, 554, 339, 657, 313, 541, 391, 175, 582, 394, 284, 773, 123, 673, 555, 785, 64, 341, 705, 449, 562, 354, 801, 395, 233, 204, 528, 583, 557, 296, 286, 182, 125, 206, 241, 644, 586, 563, 287, 300, 355, 183, 402, 212, 397, 345, 587, 833, 565, 96, 186, 207, 328, 646, 536, 403, 594, 187, 357, 589, 569, 308, 647, 419, 214, 302, 228, 303, 897, 595, 361, 112, 650, 772, 418, 540, 215, 405, 310, 189, 450, 332, 218, 160, 610, 597, 552, 651, 120, 230, 334, 409, 542, 774, 611, 658, 311, 421, 601, 219, 369, 231, 653, 392, 176, 314, 340, 543, 335, 124, 556, 775, 234, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 246, 619, 350, 788, 128, 782, 898, 408, 667, 437, 592, 364, 621, 466, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 446, 933, 847, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 874, 639, 755, 256, 969, 870, 492, 479, 384, 911, 816, 918, 728, 871, 702, 932, 861, 500, 757, 732, 824, 923, 875, 977, 919, 503, 934, 744, 761, 882, 495, 703, 922, 877, 502, 848, 993, 448, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021), (1016, 1008), 1020, 1022, 1023, 1024]である。
【０２５８】
(20)N=1024であり、シーケンスがZシーケンスであり、Zシーケンスが、要素位置が可変の1つ(n=1)のサブシーケンスを含むことができるとき。シーケンスは、
【０２５９】
【数８８】
2020528250.tif 000090
【０２６０】
であることが可能である。
【０２６１】
可能な例において、
【０２６２】
【数８９】
2020528250.tif 000091
【０２６３】
は、
【０２６４】
【数９０】
2020528250.tif 000092
= (5, 11, 3, 13, 8, 25, 4, 16, 19, 29, 12, 34, 37, 71, 6, 18, 14, 31, 21, 40, 48, 77, 23, 52, 42, 85, 58, 93, 100, 162, 7, 17, 22, 43, 26, 51, 47, 89, 30, 56, 63, 97, 68, 108, 112, 170, 36, 60, 73, 111, 78, 120, 127, 185, 84, 130, 139, 201, 149, 208, 226, 323, 9, 24, 27, 54, 35, 59, 67, 104, 38, 75, 61, 114, 81, 124, 137, 194, 44, 70, 82, 129, 92, 132, 146, 206, 101, 150, 159, 219, 172, 239, 251, 356, 53, 88, 98, 143, 109, 152, 163, 234, 116, 165, 184, 250, 198, 259, 277, 378, 131, 192, 202, 269, 213, 280, 296, 395, 232, 303, 319, 416, 339, 431, 464, 574, 15, 28, 41, 69, 32, 80, 74, 133, 46, 83, 91, 144, 99, 156, 158, 227, 57, 95, 103, 153, 110, 168, 183, 244, 125, 182, 193, 258, 205, 272, 288, 390, 62, 107, 122, 181, 118, 186, 196, 270, 141, 204, 214, 281, 230, 301, 314, 411, 147, 217, 235, 306, 248, 338, 348, 433, 266, 357, 364, 452, 386, 482, 498, 613, 66, 119, 136, 203, 145, 215, 224, 304, 160, 221, 238, 332, 252, 340, 358, 454, 173, 246, 265, 350, 279, 371, 383, 468, 293, 389, 406, 484, 426, 518, 536, 641, 195, 273, 284, 373, 307, 396, 408, 508, 331, 419, 432, 530, 460, 542, 557, 667, 341, 435, 465, 547, 480, 570, 588, 681, 496, 590, 609, 698, 633, 727, 757, 844, 20, 39, 45, 86, 49, 94, 102, 164, 55, 106, 115, 174, 123, 191, 200, 294, 65, 117, 126, 197, 140, 209, 212, 297, 151, 218, 231, 317, 247, 337, 345, 445, 72, 134, 138, 210, 154, 223, 236, 336, 169, 243, 254, 346, 263, 372, 374, 471, 177, 262, 274, 368, 287, 385, 403, 486, 311, 412, 420, 510, 439, 528, 551, 654, 79, 157, 167, 240, 176, 256, 267, 359, 189, 276, 283, 388, 299, 397, 415, 514, 228, 291, 309, 413, 324, 423, 440, 532, 352, 441, 461, 545, 479, 572, 585, 687, 255, 328, 347, 428, 365, 453, 473, 559, 377, 463, 488, 581, 512, 597, 621, 708, 407, 500, 516, 611, 534, 625, 601, 740, 553, 648, 670, 720, 678, 772, 791, 849, 90, 175, 187, 286, 222, 300, 313, 410, 242, 316, 330, 434, 351, 446, 469, 563, 261, 349, 362, 444, 384, 467, 492, 577, 398, 502, 504, 595, 524, 618, 630, 723, 290, 381, 370, 475, 404, 494, 513, 604, 427, 522, 538, 628, 555, 638, 659, 747, 451, 540, 566, 651, 579, 673, 693, 765, 599, 684, 711, 802, 730, 807, 814, 878, 326, 387, 425, 520, 447, 526, 549, 643, 477, 568, 561, 664, 592, 675, 695, 783, 490, 583, 606, 705, 623, 690, 737, 795, 646, 743, 714, 817, 761, 831, 848, 899, 506, 616, 635, 717, 656, 733, 750, 822, 662, 754, 787, 847, 769, 836, 871, 938, 701, 799, 776, 858, 806, 875, 866, 929, 837, 884, 894, 949, 920, 961, 975, 993, 10, 33, 76, 121, 50, 135, 105, 211, 64, 155, 171, 225, 128, 249, 257, 333, 87, 166, 142, 237, 180, 260, 292, 361, 178, 298, 268, 382, 312, 399, 414, 533, 96, 161, 207, 275, 190, 295, 282, 393, 220, 308, 321, 417, 335, 436, 449, 541, 241, 327, 344, 443, 355, 462, 470, 567, 367, 481, 499, 587, 509, 614, 626, 738, 113, 188, 199, 302, 245, 315, 334, 430, 229, 343, 353, 456, 366, 466, 483, 580, 271, 363, 376, 489, 392, 472, 497, 600, 405, 521, 531, 619, 552, 649, 660, 759, 289, 391, 401, 519, 422, 507, 537, 634, 438, 544, 571, 650, 582, 669, 685, 774, 476, 562, 591, 680, 603, 691, 713, 788, 636, 706, 729, 810, 745, 820, 842, 915, 148, 216, 264, 342, 233, 360, 369, 485, 285, 379, 394, 501, 409, 525, 535, 627, 310, 402, 421, 511, 437, 554, 564, 652, 455, 550, 578, 666, 602, 694, 709, 780, 320, 429, 448, 558, 459, 565, 586, 677, 493, 589, 617, 697, 631, 715, 735, 804, 515, 615, 642, 718, 657, 731, 748, 823, 674, 762, 771, 835, 790, 855, 872, 931, 325, 458, 487, 593, 505, 612, 624, 719, 529, 622, 644, 739, 661, 758, 770, 833, 548, 653, 672, 752, 688, 763, 784, 853, 704, 789, 798, 860, 813, 879, 889, 942, 584, 676, 696, 778, 726, 792, 801, 868, 732, 811, 824, 886, 838, 895, 904, 951, 751, 826, 843, 898, 859, 908, 916, 956, 869, 919, 928, 966, 937, 976, 985, 1008, 179, 253, 278, 380, 318, 400, 418, 539, 305, 424, 442, 556, 457, 575, 596, 689, 322, 450, 478, 573, 495, 598, 610, 710, 517, 620, 639, 722, 655, 746, 753, 834, 329, 474, 491, 608, 523, 637, 629, 734, 546, 647, 663, 749, 679, 773, 775, 851, 569, 668, 692, 766, 703, 782, 796, 861, 724, 805, 812, 880, 825, 890, 901, 948, 354, 527, 503, 645, 560, 671, 665, 767, 594, 683, 699, 786, 712, 793, 809, 876, 607, 700, 716, 797, 744, 818, 827, 887, 755, 828, 840, 897, 857, 911, 918, 962, 640, 721, 741, 819, 768, 846, 854, 905, 777, 841, 863, 913, 874, 923, 934, 969, 800, 870, 881, 930, 893, 940, 925, 980, 902, 946, 954, 973, 957, 989, 995, 1013, 375, 576, 543, 682, 605, 702, 707, 803, 632, 728, 736, 821, 756, 832, 850, 907, 658, 742, 764, 829, 781, 852, 865, 914, 794, 873, 862, 922, 888, 933, 939, 974, 686, 779, 760, 856, 808, 867, 882, 926, 816, 885, 892, 943, 903, 936, 950, 982, 839, 896, 909, 947, 917, 955, 964, 987, 924, 960, 970, 998, 977, 991, 1001, 1017, 725, 785, 815, 883, 830, 891, 900, 945, 845, 910, 906, 958, 921, 952, 965, 992, 864, 912, 927, 968, 935, 963, 979, 996, 944, 981, 971, 999, 986, 1004, 1006, 1015, 877, 932, 941, 972, 953, 978, 983, 1002, 959, 984, 994, 1009, 988, 1003, 1011, 1020, 967, 997, 990, 1007, 1000, 1014, 1010, 1019, 1005, 1012, 1016, 1021, 1018)
【０２６５】
のようなものであることが可能である。
【０２６６】
この例において、Zシーケンスは具体的には、[1, 2, (5, 11, 3, 13, 8, 25, 4, 16, 19, 29, 12, 34, 37, 71, 6, 18, 14, 31, 21, 40, 48, 77, 23, 52, 42, 85, 58, 93, 100, 162, 7, 17, 22, 43, 26, 51, 47, 89, 30, 56, 63, 97, 68, 108, 112, 170, 36, 60, 73, 111, 78, 120, 127, 185, 84, 130, 139, 201, 149, 208, 226, 323, 9, 24, 27, 54, 35, 59, 67, 104, 38, 75, 61, 114, 81, 124, 137, 194, 44, 70, 82, 129, 92, 132, 146, 206, 101, 150, 159, 219, 172, 239, 251, 356, 53, 88, 98, 143, 109, 152, 163, 234, 116, 165, 184, 250, 198, 259, 277, 378, 131, 192, 202, 269, 213, 280, 296, 395, 232, 303, 319, 416, 339, 431, 464, 574, 15, 28, 41, 69, 32, 80, 74, 133, 46, 83, 91, 144, 99, 156, 158, 227, 57, 95, 103, 153, 110, 168, 183, 244, 125, 182, 193, 258, 205, 272, 288, 390, 62, 107, 122, 181, 118, 186, 196, 270, 141, 204, 214, 281, 230, 301, 314, 411, 147, 217, 235, 306, 248, 338, 348, 433, 266, 357, 364, 452, 386, 482, 498, 613, 66, 119, 136, 203, 145, 215, 224, 304, 160, 221, 238, 332, 252, 340, 358, 454, 173, 246, 265, 350, 279, 371, 383, 468, 293, 389, 406, 484, 426, 518, 536, 641, 195, 273, 284, 373, 307, 396, 408, 508, 331, 419, 432, 530, 460, 542, 557, 667, 341, 435, 465, 547, 480, 570, 588, 681, 496, 590, 609, 698, 633, 727, 757, 844, 20, 39, 45, 86, 49, 94, 102, 164, 55, 106, 115, 174, 123, 191, 200, 294, 65, 117, 126, 197, 140, 209, 212, 297, 151, 218, 231, 317, 247, 337, 345, 445, 72, 134, 138, 210, 154, 223, 236, 336, 169, 243, 254, 346, 263, 372, 374, 471, 177, 262, 274, 368, 287, 385, 403, 486, 311, 412, 420, 510, 439, 528, 551, 654, 79, 157, 167, 240, 176, 256, 267, 359, 189, 276, 283, 388, 299, 397, 415, 514, 228, 291, 309, 413, 324, 423, 440, 532, 352, 441, 461, 545, 479, 572, 585, 687, 255, 328, 347, 428, 365, 453, 473, 559, 377, 463, 488, 581, 512, 597, 621, 708, 407, 500, 516, 611, 534, 625, 601, 740, 553, 648, 670, 720, 678, 772, 791, 849, 90, 175, 187, 286, 222, 300, 313, 410, 242, 316, 330, 434, 351, 446, 469, 563, 261, 349, 362, 444, 384, 467, 492, 577, 398, 502, 504, 595, 524, 618, 630, 723, 290, 381, 370, 475, 404, 494, 513, 604, 427, 522, 538, 628, 555, 638, 659, 747, 451, 540, 566, 651, 579, 673, 693, 765, 599, 684, 711, 802, 730, 807, 814, 878, 326, 387, 425, 520, 447, 526, 549, 643, 477, 568, 561, 664, 592, 675, 695, 783, 490, 583, 606, 705, 623, 690, 737, 795, 646, 743, 714, 817, 761, 831, 848, 899, 506, 616, 635, 717, 656, 733, 750, 822, 662, 754, 787, 847, 769, 836, 871, 938, 701, 799, 776, 858, 806, 875, 866, 929, 837, 884, 894, 949, 920, 961, 975, 993, 10, 33, 76, 121, 50, 135, 105, 211, 64, 155, 171, 225, 128, 249, 257, 333, 87, 166, 142, 237, 180, 260, 292, 361, 178, 298, 268, 382, 312, 399, 414, 533, 96, 161, 207, 275, 190, 295, 282, 393, 220, 308, 321, 417, 335, 436, 449, 541, 241, 327, 344, 443, 355, 462, 470, 567, 367, 481, 499, 587, 509, 614, 626, 738, 113, 188, 199, 302, 245, 315, 334, 430, 229, 343, 353, 456, 366, 466, 483, 580, 271, 363, 376, 489, 392, 472, 497, 600, 405, 521, 531, 619, 552, 649, 660, 759, 289, 391, 401, 519, 422, 507, 537, 634, 438, 544, 571, 650, 582, 669, 685, 774, 476, 562, 591, 680, 603, 691, 713, 788, 636, 706, 729, 810, 745, 820, 842, 915, 148, 216, 264, 342, 233, 360, 369, 485, 285, 379, 394, 501, 409, 525, 535, 627, 310, 402, 421, 511, 437, 554, 564, 652, 455, 550, 578, 666, 602, 694, 709, 780, 320, 429, 448, 558, 459, 565, 586, 677, 493, 589, 617, 697, 631, 715, 735, 804, 515, 615, 642, 718, 657, 731, 748, 823, 674, 762, 771, 835, 790, 855, 872, 931, 325, 458, 487, 593, 505, 612, 624, 719, 529, 622, 644, 739, 661, 758, 770, 833, 548, 653, 672, 752, 688, 763, 784, 853, 704, 789, 798, 860, 813, 879, 889, 942, 584, 676, 696, 778, 726, 792, 801, 868, 732, 811, 824, 886, 838, 895, 904, 951, 751, 826, 843, 898, 859, 908, 916, 956, 869, 919, 928, 966, 937, 976, 985, 1008, 179, 253, 278, 380, 318, 400, 418, 539, 305, 424, 442, 556, 457, 575, 596, 689, 322, 450, 478, 573, 495, 598, 610, 710, 517, 620, 639, 722, 655, 746, 753, 834, 329, 474, 491, 608, 523, 637, 629, 734, 546, 647, 663, 749, 679, 773, 775, 851, 569, 668, 692, 766, 703, 782, 796, 861, 724, 805, 812, 880, 825, 890, 901, 948, 354, 527, 503, 645, 560, 671, 665, 767, 594, 683, 699, 786, 712, 793, 809, 876, 607, 700, 716, 797, 744, 818, 827, 887, 755, 828, 840, 897, 857, 911, 918, 962, 640, 721, 741, 819, 768, 846, 854, 905, 777, 841, 863, 913, 874, 923, 934, 969, 800, 870, 881, 930, 893, 940, 925, 980, 902, 946, 954, 973, 957, 989, 995, 1013, 375, 576, 543, 682, 605, 702, 707, 803, 632, 728, 736, 821, 756, 832, 850, 907, 658, 742, 764, 829, 781, 852, 865, 914, 794, 873, 862, 922, 888, 933, 939, 974, 686, 779, 760, 856, 808, 867, 882, 926, 816, 885, 892, 943, 903, 936, 950, 982, 839, 896, 909, 947, 917, 955, 964, 987, 924, 960, 970, 998, 977, 991, 1001, 1017, 725, 785, 815, 883, 830, 891, 900, 945, 845, 910, 906, 958, 921, 952, 965, 992, 864, 912, 927, 968, 935, 963, 979, 996, 944, 981, 971, 999, 986, 1004, 1006, 1015, 877, 932, 941, 972, 953, 978, 983, 1002, 959, 984, 994, 1009, 988, 1003, 1011, 1020, 967, 997, 990, 1007, 1000, 1014, 1010, 1019, 1005, 1012, 1016, 1021, 1018), 1022, 1023, 1024]である。
【実施例３】
【０２６７】
(21)N=64であり、シーケンスがQシーケンスであり、Qシーケンスが、要素位置が可変の11個のサブシーケンスを含むことができるとき。nの値は、1から11に及ぶ。シーケンスは、
【０２６８】
【数９１】
2020528250.tif 000093
【０２６９】
であることが可能である。
【０２７０】
可能な例において、
【０２７１】
【数９２】
2020528250.tif 000094
【０２７２】
は、
【０２７３】
【数９３】
2020528250.tif 000095
および
【数９４】
2020528250.tif 000096
【０２７４】
のようなものであることが可能である。
【０２７５】
N=64であり、Qシーケンス内のサブシーケンス
【０２７６】
【数９５】
2020528250.tif 000097
【０２７７】
内の要素の位置は、サブシーケンス
【０２７８】
【数９６】
2020528250.tif 000098
【０２７９】
内で交換されることが可能であり、例えば、(5, 9, 3)であることが可能であり、(3, 9, 5)または(5, 3, 9)に交換されることが可能である。
【０２８０】
この例において、Qシーケンスは具体的には、[1, 2, (5, 9, 3), 17, (33, 7, 4, 13, 6, 19, 10, 34, 18, 11, 21, 35, 25, 8, 37), (12, 41), (20, 14, 49), 15, 22, (27, 36, 39, 23, 38, 26), (42, 29), (50, 43, 45, 16, 51), (24, 53), (57, 28, 40), 30, (44, 31), 46, 52, 47, 54, 55, 58, 59, (61, 32), 48, 56, 60, 62, 63, 64]である。丸括弧内のセットは、サブシーケンス
【０２８１】
【数９７】
2020528250.tif 000099
【０２８２】
である。
【０２８３】
(22)N=64であり、シーケンスがZシーケンスであり、Zシーケンスが、要素位置が可変の1つ(n=1)のサブシーケンスを含むことができるとき。シーケンスは、
【０２８４】
【数９８】
2020528250.tif 000100
【０２８５】
であることが可能である。
【０２８６】
可能な例において、
【０２８７】
【数９９】
2020528250.tif 000101
【０２８８】
は、
【０２８９】
【数１００】
2020528250.tif 000102
【０２９０】
のようなものであることが可能である。
【０２９１】
【数１０１】
2020528250.tif 000103
【０２９２】
における要素の位置は、サブシーケンス内で交換されることが可能である。
【０２９３】
この例において、Zシーケンスは具体的には、[1, 2, (5, 9, 3, 11, 8, 20, 4, 13, 16, 22, 10, 25, 27, 40, 6, 15, 12, 24, 17, 28, 32, 42, 19, 34, 29, 45, 36, 47, 49, 58, 7, 14, 18, 30, 21, 33, 31, 46, 23, 35, 38, 48, 39, 50, 52, 59, 26, 37, 41, 51, 43, 53, 54, 60, 44, 55, 56, 61, 57), 62, 63, 64]である。
【０２９４】
(23)N=128であり、シーケンスがQシーケンスであり、Qシーケンスが、要素位置が可変の17個のサブシーケンスを含むことができるとき。nの値は、1から17に及ぶ。シーケンスは、
【０２９５】
【数１０２】
2020528250.tif 000104
【０２９６】
であることが可能である。
【０２９７】
可能な例において、
【０２９８】
【数１０３】
2020528250.tif 000105
【０２９９】
は、
【０３００】
【数１０４】
2020528250.tif 000106
および
【数１０５】
2020528250.tif 000107
【０３０１】
のようなものであることが可能である。
【０３０２】
この例において、Qシーケンスは具体的には、[1, 2, (5, 9, 3), 17, (33, 7, 65, 4, 13, 6, 19, 10, 34, 18, 11, 21, 35, 25, 66, 8, 37, 67, 12, 41), (20, 14, 69, 49, 15, 73), 22, (27, 36, 81, 39, 23, 38, 26, 97, 68, 42, 29), (70, 50, 75, 43, 71, 45, 82, 16, 51, 74, 24, 53), 77, (83, 57, 28, 98, 40, 85, 30), (44, 99, 31, 89, 72, 46, 101), 52, (47, 76, 105, 54), (78, 55, 84, 58, 113, 86, 79, 59, 100, 87, 61, 90, 102, 91, 32), (103, 106, 48, 93), (107, 56, 114), (80, 109), (60, 115), (88, 62, 117), (92, 63, 121, 104), 94, (108, 95), 110, 116, 111, 118, (119, 122, 123, 64, 125, 96), 112, 120, 124, 126, 127, 128]である。
【０３０３】
(34)N=128であり、シーケンスがZシーケンスであり、Zシーケンスが、要素位置が可変の1つ(n=1)のサブシーケンスを含むことができるとき。シーケンスは、
【０３０４】
【数１０６】
2020528250.tif 000108
【０３０５】
であることが可能である。
【０３０６】
可能な例において、
【０３０７】
【数１０７】
2020528250.tif 000109
【０３０８】
は、
【０３０９】
【数１０８】
2020528250.tif 000110
= (5, 10, 3, 12, 8, 22, 4, 14, 17, 25, 11, 28, 31, 52, 6, 16, 13, 27, 18, 33, 38, 55, 20, 40, 34, 60, 44, 64, 67, 91, 7, 15, 19, 35, 23, 39, 37, 62, 26, 43, 48, 65, 50, 70, 73, 94, 30, 46, 53, 72, 56, 76, 78, 97, 59, 80, 84, 101, 87, 104, 107, 120, 9, 21, 24, 42, 29, 45, 49, 69, 32, 54, 47, 74, 57, 77, 83, 99, 36, 51, 58, 79, 63, 82, 86, 103, 68, 88, 90, 106, 95, 110, 112, 122, 41, 61, 66, 85, 71, 89, 92, 109, 75, 93, 96, 111, 100, 113, 115, 123, 81, 98, 102, 114, 105, 116, 117, 124, 108, 118, 119, 125, 121)
【０３１０】
のようなものであることが可能である。
【０３１１】
この例において、Zシーケンスは具体的には、[1, 2, (5, 10, 3, 12, 8, 22, 4, 14, 17, 25, 11, 28, 31, 52, 6, 16, 13, 27, 18, 33, 38, 55, 20, 40, 34, 60, 44, 64, 67, 91, 7, 15, 19, 35, 23, 39, 37, 62, 26, 43, 48, 65, 50, 70, 73, 94, 30, 46, 53, 72, 56, 76, 78, 97, 59, 80, 84, 101, 87, 104, 107, 120, 9, 21, 24, 42, 29, 45, 49, 69, 32, 54, 47, 74, 57, 77, 83, 99, 36, 51, 58, 79, 63, 82, 86, 103, 68, 88, 90, 106, 95, 110, 112, 122, 41, 61, 66, 85, 71, 89, 92, 109, 75, 93, 96, 111, 100, 113, 115, 123, 81, 98, 102, 114, 105, 116, 117, 124, 108, 118, 119, 125, 121), 126, 127, 128]である。
【０３１２】
(25)N=256であり、シーケンスがQシーケンスであり、Qシーケンスが、要素位置が可変の9つのサブシーケンスを含むことができるとき。nの値は、1から9に及ぶ。シーケンスは、
【０３１３】
【数１０９】
2020528250.tif 000111
【０３１４】
であることが可能である。
【０３１５】
可能な例において、
【０３１６】
【数１１０】
2020528250.tif 000112
【０３１７】
は、
【０３１８】
【数１１１】
2020528250.tif 000113
= (33, 7, 65, 4, 13, 6, 19, 129, 10, 34, 18, 11, 21, 35, 25, 66, 8, 37, 67, 130, 12, 41, 20, 133, 14, 69, 49, 15, 73, 22, 131, 27, 36, 81, 137, 39, 23, 38, 26, 97, 68, 42, 145, 29, 70, 50, 75, 161, 43, 193, 71, 45, 132, 82, 16, 51, 135, 74, 24, 53, 134, 77, 83, 138, 57, 28, 98, 40, 139, 85, 30, 146, 44, 99, 141, 31, 89, 147, 72, 162, 46, 101, 149, 52, 47, 76, 105, 165, 194, 54, 163, 78, 153, 55, 84, 58, 113, 86, 136, 195, 79, 59, 169, 100, 140, 197, 87, 177, 61, 90, 102, 148, 142, 143, 91, 201, 32, 103, 106, 150, 48, 93, 209, 164, 154, 151, 107, 56, 166, 114, 155, 80, 225, 167, 109, 60, 115, 196, 170, 157, 88, 62, 117, 171, 198, 178, 92, 202, 199, 63, 144, 173, 121, 104, 179, 203, 94, 152, 210, 181, 108, 95, 205, 156, 110, 211, 185, 116, 168, 158, 226, 111, 213, 118, 172, 227, 159, 217, 119, 174, 122, 200, 180, 229, 175, 123, 64, 233, 204, 182, 125, 206, 241, 183, 212, 96, 186, 207, 187, 214, 228, 112, 215, 189, 218, 160, 120, 230, 219); 
【数１１２】
2020528250.tif 000114
および
【数１１３】
2020528250.tif 000115
【０３１９】
のようなものであることが可能である。
【０３２０】
この例において、Qシーケンスは具体的には、[1, 2, (5, 9, 3), 17, (33, 7, 65, 4, 13, 6, 19, 129, 10, 34, 18, 11, 21, 35, 25, 66, 8, 37, 67, 130, 12, 41, 20, 133, 14, 69, 49, 15, 73, 22, 131, 27, 36, 81, 137, 39, 23, 38, 26, 97, 68, 42, 145, 29, 70, 50, 75, 161, 43, 193, 71, 45, 132, 82, 16, 51, 135, 74, 24, 53, 134, 77, 83, 138, 57, 28, 98, 40, 139, 85, 30, 146, 44, 99, 141, 31, 89, 147, 72, 162, 46, 101, 149, 52, 47, 76, 105, 165, 194, 54, 163, 78, 153, 55, 84, 58, 113, 86, 136, 195, 79, 59, 169, 100, 140, 197, 87, 177, 61, 90, 102, 148, 142, 143, 91, 201, 32, 103, 106, 150, 48, 93, 209, 164, 154, 151, 107, 56, 166, 114, 155, 80, 225, 167, 109, 60, 115, 196, 170, 157, 88, 62, 117, 171, 198, 178, 92, 202, 199, 63, 144, 173, 121, 104, 179, 203, 94, 152, 210, 181, 108, 95, 205, 156, 110, 211, 185, 116, 168, 158, 226, 111, 213, 118, 172, 227, 159, 217, 119, 174, 122, 200, 180, 229, 175, 123, 64, 233, 204, 182, 125, 206, 241, 183, 212, 96, 186, 207, 187, 214, 228, 112, 215, 189, 218, 160, 120, 230, 219), (231, 176, 124, 234, 221, 126, 235, 184, 242, 188, 208, 237, 127, 243), (216, 245, 190), (220, 249, 191, 232), 222, (236, 223), (238, 244, 239, 246, 128), (247, 250, 251, 192), (253, 224), 240, 248, 252, 254, 255, 256]である。
【０３２１】
(26)N=256であり、シーケンスがZシーケンスであり、Zシーケンスが、要素位置が可変の1つ(n=1)のサブシーケンスを含むことができるとき。シーケンスは、
【０３２２】
【数１１４】
2020528250.tif 000116
【０３２３】
であることが可能である。
【０３２４】
可能な例において、
【０３２５】
【数１１５】
2020528250.tif 000117
【０３２６】
は、
【０３２７】
【数１１６】
2020528250.tif 000118
= (5, 10, 3, 12, 8, 23, 4, 15, 18, 27, 11, 31, 34, 61, 6, 17, 13, 29, 19, 36, 43, 65, 21, 45, 38, 72, 50, 77, 82, 123, 7, 16, 20, 39, 24, 44, 42, 74, 28, 48, 55, 79, 58, 87, 91, 127, 33, 52, 62, 90, 66, 96, 100, 134, 71, 102, 108, 142, 115, 148, 156, 193, 9, 22, 25, 47, 32, 51, 57, 85, 35, 64, 53, 92, 68, 98, 107, 138, 40, 60, 69, 101, 76, 104, 113, 147, 83, 116, 121, 153, 128, 163, 168, 202, 46, 73, 80, 110, 88, 117, 124, 160, 93, 125, 133, 167, 141, 171, 178, 208, 103, 136, 143, 174, 149, 180, 185, 213, 159, 187, 192, 218, 197, 221, 228, 244, 14, 26, 37, 59, 30, 67, 63, 105, 41, 70, 75, 111, 81, 119, 120, 157, 49, 78, 84, 118, 89, 126, 132, 164, 99, 131, 137, 170, 146, 176, 183, 212, 54, 86, 97, 130, 94, 135, 140, 175, 109, 145, 150, 181, 158, 186, 191, 217, 114, 152, 161, 189, 166, 196, 200, 223, 173, 203, 205, 225, 210, 232, 235, 248, 56, 95, 106, 144, 112, 151, 155, 188, 122, 154, 162, 195, 169, 198, 204, 226, 129, 165, 172, 201, 179, 206, 209, 230, 184, 211, 215, 233, 220, 237, 239, 250, 139, 177, 182, 207, 190, 214, 216, 236, 194, 219, 222, 238, 227, 240, 242, 251, 199, 224, 229, 241, 231, 243, 245, 252, 234, 246, 247, 253, 249)
【０３２８】
のようなものであることが可能である。
【０３２９】
この例において、Zシーケンスは具体的には、[1, 2, (5, 10, 3, 12, 8, 23, 4, 15, 18, 27, 11, 31, 34, 61, 6, 17, 13, 29, 19, 36, 43, 65, 21, 45, 38, 72, 50, 77, 82, 123, 7, 16, 20, 39, 24, 44, 42, 74, 28, 48, 55, 79, 58, 87, 91, 127, 33, 52, 62, 90, 66, 96, 100, 134, 71, 102, 108, 142, 115, 148, 156, 193, 9, 22, 25, 47, 32, 51, 57, 85, 35, 64, 53, 92, 68, 98, 107, 138, 40, 60, 69, 101, 76, 104, 113, 147, 83, 116, 121, 153, 128, 163, 168, 202, 46, 73, 80, 110, 88, 117, 124, 160, 93, 125, 133, 167, 141, 171, 178, 208, 103, 136, 143, 174, 149, 180, 185, 213, 159, 187, 192, 218, 197, 221, 228, 244, 14, 26, 37, 59, 30, 67, 63, 105, 41, 70, 75, 111, 81, 119, 120, 157, 49, 78, 84, 118, 89, 126, 132, 164, 99, 131, 137, 170, 146, 176, 183, 212, 54, 86, 97, 130, 94, 135, 140, 175, 109, 145, 150, 181, 158, 186, 191, 217, 114, 152, 161, 189, 166, 196, 200, 223, 173, 203, 205, 225, 210, 232, 235, 248, 56, 95, 106, 144, 112, 151, 155, 188, 122, 154, 162, 195, 169, 198, 204, 226, 129, 165, 172, 201, 179, 206, 209, 230, 184, 211, 215, 233, 220, 237, 239, 250, 139, 177, 182, 207, 190, 214, 216, 236, 194, 219, 222, 238, 227, 240, 242, 251, 199, 224, 229, 241, 231, 243, 245, 252, 234, 246, 247, 253, 249), 254, 255, 256]である。
【０３３０】
(27)N=512であり、シーケンスがQシーケンスであり、Qシーケンスが、要素位置が可変の4つのサブシーケンスを含むことができるとき。nの値は、1から4に及ぶ。シーケンスは、
【０３３１】
【数１１７】
2020528250.tif 000119
【０３３２】
であることが可能である。
【０３３３】
可能な例において、
【０３３４】
【数１１８】
2020528250.tif 000120
【０３３５】
は、
【０３３６】
【数１１９】
2020528250.tif 000121
= (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438, 462, 381, 248, 442, 352, 470, 439, 463, 252, 497, 468, 368, 443, 475, 484, 380, 416, 254, 445, 486, 471, 376, 474, 432, 487, 490, 255, 477); 
【数１２０】
2020528250.tif 000122
および
【数１２１】
2020528250.tif 000123
【０３３７】
のようなものであることが可能である。
【０３３８】
この例において、Qシーケンスは具体的には、[1, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438, 462, 381, 248, 442, 352, 470, 439, 463, 252, 497, 468, 368, 443, 475, 484, 380, 416, 254, 445, 486, 471, 376, 474, 432, 487, 490, 255, 477), (440, 493, 382, 499, 464, 491, 383, 472, 498, 444, 501, 446, 447, 476, 488, 478, 494, 505, 256, 492, 479, 384, 500, 503, 495, 502, 448, 506, 507, 480, 509), (504, 496), 508, 510, 511, 512]である。
【０３３９】
(28)N=512であり、シーケンスがZシーケンスであり、Zシーケンスが、要素位置が可変の1つ(n=1)のサブシーケンスを含むことができるとき。シーケンスは、
【０３４０】
【数１２２】
2020528250.tif 000124
【０３４１】
であることが可能である。
【０３４２】
可能な例において、
【０３４３】
【数１２３】
2020528250.tif 000125
【０３４４】
は、
【０３４５】
【数１２４】
2020528250.tif 000126
= (5, 10, 3, 12, 8, 24, 4, 15, 18, 28, 11, 32, 35, 67, 6, 17, 13, 30, 20, 38, 46, 72, 22, 49, 40, 80, 55, 87, 93, 146, 7, 16, 21, 41, 25, 48, 45, 83, 29, 53, 60, 90, 64, 100, 104, 153, 34, 57, 69, 103, 73, 111, 117, 164, 79, 119, 127, 177, 135, 183, 197, 264, 9, 23, 26, 51, 33, 56, 63, 97, 36, 71, 58, 105, 76, 114, 125, 171, 42, 66, 77, 118, 86, 121, 133, 182, 94, 136, 144, 192, 154, 207, 216, 285, 50, 82, 91, 130, 101, 138, 147, 203, 107, 149, 163, 215, 175, 222, 235, 299, 120, 169, 178, 229, 187, 237, 248, 309, 202, 253, 263, 323, 274, 331, 350, 407, 14, 27, 39, 65, 31, 75, 70, 122, 44, 78, 85, 131, 92, 141, 143, 198, 54, 89, 96, 139, 102, 151, 162, 211, 115, 161, 170, 221, 181, 231, 243, 308, 59, 99, 112, 160, 109, 165, 173, 230, 129, 180, 188, 238, 200, 252, 260, 319, 134, 190, 204, 255, 214, 273, 280, 333, 227, 286, 290, 344, 304, 361, 369, 424, 62, 110, 124, 179, 132, 189, 196, 254, 145, 193, 206, 270, 217, 275, 287, 346, 155, 212, 226, 282, 236, 294, 301, 353, 246, 307, 315, 362, 328, 380, 389, 435, 172, 232, 240, 296, 256, 310, 317, 374, 269, 324, 332, 386, 347, 392, 399, 445, 276, 335, 351, 394, 360, 405, 413, 450, 368, 414, 422, 456, 432, 465, 474, 494, 19, 37, 43, 81, 47, 88, 95, 148, 52, 98, 106, 156, 113, 168, 176, 247, 61, 108, 116, 174, 128, 184, 186, 249, 137, 191, 201, 262, 213, 272, 277, 340, 68, 123, 126, 185, 140, 195, 205, 271, 152, 210, 218, 278, 225, 295, 297, 355, 159, 224, 233, 292, 242, 303, 313, 363, 258, 320, 325, 375, 336, 385, 396, 440, 74, 142, 150, 208, 158, 220, 228, 288, 167, 234, 239, 306, 250, 311, 322, 378, 199, 245, 257, 321, 265, 326, 337, 387, 284, 338, 348, 393, 359, 406, 412, 452, 219, 267, 279, 330, 291, 345, 356, 400, 298, 349, 364, 410, 376, 417, 427, 459, 316, 370, 379, 423, 388, 429, 419, 469, 397, 438, 446, 463, 449, 478, 482, 497, 84, 157, 166, 241, 194, 251, 259, 318, 209, 261, 268, 334, 283, 341, 354, 402, 223, 281, 289, 339, 302, 352, 366, 408, 312, 371, 372, 416, 383, 426, 431, 464, 244, 300, 293, 357, 314, 367, 377, 420, 329, 382, 390, 430, 398, 434, 442, 471, 343, 391, 403, 439, 409, 447, 454, 476, 418, 451, 460, 485, 466, 487, 488, 502, 266, 305, 327, 381, 342, 384, 395, 436, 358, 404, 401, 444, 415, 448, 455, 480, 365, 411, 421, 458, 428, 453, 468, 483, 437, 470, 461, 489, 475, 491, 496, 505, 373, 425, 433, 462, 441, 467, 472, 490, 443, 473, 481, 495, 477, 492, 500, 508, 457, 484, 479, 498, 486, 501, 499, 507, 493, 503, 504, 509, 506)
【０３４６】
のようなものであることが可能である。
【０３４７】
この例において、Zシーケンスは具体的には、[1, 2, (5, 10, 3, 12, 8, 24, 4, 15, 18, 28, 11, 32, 35, 67, 6, 17, 13, 30, 20, 38, 46, 72, 22, 49, 40, 80, 55, 87, 93, 146, 7, 16, 21, 41, 25, 48, 45, 83, 29, 53, 60, 90, 64, 100, 104, 153, 34, 57, 69, 103, 73, 111, 117, 164, 79, 119, 127, 177, 135, 183, 197, 264, 9, 23, 26, 51, 33, 56, 63, 97, 36, 71, 58, 105, 76, 114, 125, 171, 42, 66, 77, 118, 86, 121, 133, 182, 94, 136, 144, 192, 154, 207, 216, 285, 50, 82, 91, 130, 101, 138, 147, 203, 107, 149, 163, 215, 175, 222, 235, 299, 120, 169, 178, 229, 187, 237, 248, 309, 202, 253, 263, 323, 274, 331, 350, 407, 14, 27, 39, 65, 31, 75, 70, 122, 44, 78, 85, 131, 92, 141, 143, 198, 54, 89, 96, 139, 102, 151, 162, 211, 115, 161, 170, 221, 181, 231, 243, 308, 59, 99, 112, 160, 109, 165, 173, 230, 129, 180, 188, 238, 200, 252, 260, 319, 134, 190, 204, 255, 214, 273, 280, 333, 227, 286, 290, 344, 304, 361, 369, 424, 62, 110, 124, 179, 132, 189, 196, 254, 145, 193, 206, 270, 217, 275, 287, 346, 155, 212, 226, 282, 236, 294, 301, 353, 246, 307, 315, 362, 328, 380, 389, 435, 172, 232, 240, 296, 256, 310, 317, 374, 269, 324, 332, 386, 347, 392, 399, 445, 276, 335, 351, 394, 360, 405, 413, 450, 368, 414, 422, 456, 432, 465, 474, 494, 19, 37, 43, 81, 47, 88, 95, 148, 52, 98, 106, 156, 113, 168, 176, 247, 61, 108, 116, 174, 128, 184, 186, 249, 137, 191, 201, 262, 213, 272, 277, 340, 68, 123, 126, 185, 140, 195, 205, 271, 152, 210, 218, 278, 225, 295, 297, 355, 159, 224, 233, 292, 242, 303, 313, 363, 258, 320, 325, 375, 336, 385, 396, 440, 74, 142, 150, 208, 158, 220, 228, 288, 167, 234, 239, 306, 250, 311, 322, 378, 199, 245, 257, 321, 265, 326, 337, 387, 284, 338, 348, 393, 359, 406, 412, 452, 219, 267, 279, 330, 291, 345, 356, 400, 298, 349, 364, 410, 376, 417, 427, 459, 316, 370, 379, 423, 388, 429, 419, 469, 397, 438, 446, 463, 449, 478, 482, 497, 84, 157, 166, 241, 194, 251, 259, 318, 209, 261, 268, 334, 283, 341, 354, 402, 223, 281, 289, 339, 302, 352, 366, 408, 312, 371, 372, 416, 383, 426, 431, 464, 244, 300, 293, 357, 314, 367, 377, 420, 329, 382, 390, 430, 398, 434, 442, 471, 343, 391, 403, 439, 409, 447, 454, 476, 418, 451, 460, 485, 466, 487, 488, 502, 266, 305, 327, 381, 342, 384, 395, 436, 358, 404, 401, 444, 415, 448, 455, 480, 365, 411, 421, 458, 428, 453, 468, 483, 437, 470, 461, 489, 475, 491, 496, 505, 373, 425, 433, 462, 441, 467, 472, 490, 443, 473, 481, 495, 477, 492, 500, 508, 457, 484, 479, 498, 486, 501, 499, 507, 493, 503, 504, 509, 506), 510, 511, 512]である。
【０３４８】
(29)N=1024であり、シーケンスがQシーケンスであり、Qシーケンスが、要素位置が可変の3つ(n=3)のサブシーケンスを含むことができるとき。シーケンスは、
【０３４９】
【数１２５】
2020528250.tif 000127
【０３５０】
であることが可能である。
【０３５１】
可能な例において、
【０３５２】
【数１２６】
2020528250.tif 000128
【０３５３】
は、
【０３５４】
【数１２７】
2020528250.tif 000129
= (33, 7, 65, 513, 4, 13, 6, 19, 129, 10, 34, 18, 11, 257, 21, 35, 25, 66, 8, 37, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 70, 50, 75, 161, 43, 521, 273, 193, 71, 45, 132, 82, 16, 289, 51, 135, 74, 515, 24, 53, 321, 134, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 209, 268, 386, 325, 305, 537, 769, 533, 164, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 171, 198, 642, 178, 282, 92, 553, 202, 389, 294, 199, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 156, 110, 534, 401, 306, 301, 643, 211, 185, 327, 539, 116, 168, 593, 158, 226, 307, 548, 330, 111, 771, 213, 118, 172, 551, 331, 227, 649, 388, 309, 159, 609, 417, 338, 535, 217, 272, 550, 119, 280, 538, 333, 390, 174, 580, 122, 200, 777, 180, 229, 554, 339, 657, 313, 541, 391, 175, 582, 394, 284, 773, 123, 673, 555, 785, 64, 341, 705, 449, 562, 354, 801, 395, 233, 204, 528, 583, 557, 296, 286, 182, 125, 206, 241, 644, 586, 563, 287, 300, 355, 183, 402, 212, 397, 345, 587, 833, 565, 96, 186, 207, 328, 646, 536, 403, 594, 187, 357, 589, 569, 308, 647, 419, 214, 302, 228, 303, 897, 595, 361, 112, 650, 772, 418, 540, 215, 405, 310, 189, 450, 332, 218, 160, 610, 597, 552, 651, 120, 230, 334, 409, 542, 774, 611, 658, 311, 421, 601, 219, 369, 231, 653, 392, 176, 314, 340, 543, 335, 124, 556, 775, 234, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 246, 619, 350, 788, 128, 782, 898, 408, 667, 437, 592, 364, 621, 466, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 446, 933, 847, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 874, 639, 755, 256, 969, 870, 492, 479, 384, 911, 816, 918, 728, 871, 702, 932, 861, 500, 757, 732, 824, 923, 875, 977, 919, 503, 934, 744, 761, 882, 495, 703, 922, 877, 502, 848, 993, 448, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021)
および
【数１２８】
2020528250.tif 000130
【０３５５】
のようなものであることが可能である。
【０３５６】
この例において、Qシーケンスは具体的には、[1, 2, (5, 9, 3), 17, (33, 7, 65, 513, 4, 13, 6, 19, 129, 10, 34, 18, 11, 257, 21, 35, 25, 66, 8, 37, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 70, 50, 75, 161, 43, 521, 273, 193, 71, 45, 132, 82, 16, 289, 51, 135, 74, 515, 24, 53, 321, 134, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 209, 268, 386, 325, 305, 537, 769, 533, 164, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 171, 198, 642, 178, 282, 92, 553, 202, 389, 294, 199, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 156, 110, 534, 401, 306, 301, 643, 211, 185, 327, 539, 116, 168, 593, 158, 226, 307, 548, 330, 111, 771, 213, 118, 172, 551, 331, 227, 649, 388, 309, 159, 609, 417, 338, 535, 217, 272, 550, 119, 280, 538, 333, 390, 174, 580, 122, 200, 777, 180, 229, 554, 339, 657, 313, 541, 391, 175, 582, 394, 284, 773, 123, 673, 555, 785, 64, 341, 705, 449, 562, 354, 801, 395, 233, 204, 528, 583, 557, 296, 286, 182, 125, 206, 241, 644, 586, 563, 287, 300, 355, 183, 402, 212, 397, 345, 587, 833, 565, 96, 186, 207, 328, 646, 536, 403, 594, 187, 357, 589, 569, 308, 647, 419, 214, 302, 228, 303, 897, 595, 361, 112, 650, 772, 418, 540, 215, 405, 310, 189, 450, 332, 218, 160, 610, 597, 552, 651, 120, 230, 334, 409, 542, 774, 611, 658, 311, 421, 601, 219, 369, 231, 653, 392, 176, 314, 340, 543, 335, 124, 556, 775, 234, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 246, 619, 350, 788, 128, 782, 898, 408, 667, 437, 592, 364, 621, 466, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 446, 933, 847, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 874, 639, 755, 256, 969, 870, 492, 479, 384, 911, 816, 918, 728, 871, 702, 932, 861, 500, 757, 732, 824, 923, 875, 977, 919, 503, 934, 744, 761, 882, 495, 703, 922, 877, 502, 848, 993, 448, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021), (1016, 1008), 1020, 1022, 1023, 1024]である。
【０３５７】
(30)N=1024であり、シーケンスがZシーケンスであり、Zシーケンスが、要素位置が可変の1つ(n=1)のサブシーケンスを含むことができるとき。シーケンスは、
【０３５８】
【数１２９】
2020528250.tif 000131
【０３５９】
であることが可能である。
【０３６０】
可能な例において、
【０３６１】
【数１３０】
2020528250.tif 000132
【０３６２】
は、
【０３６３】
【数１３１】
2020528250.tif 000133
= (5, 11, 3, 13, 8, 25, 4, 16, 19, 29, 12, 34, 37, 71, 6, 18, 14, 31, 21, 40, 48, 77, 23, 52, 42, 85, 58, 93, 100, 162, 7, 17, 22, 43, 26, 51, 47, 89, 30, 56, 63, 97, 68, 108, 112, 170, 36, 60, 73, 111, 78, 120, 127, 185, 84, 130, 139, 201, 149, 208, 226, 323, 9, 24, 27, 54, 35, 59, 67, 104, 38, 75, 61, 114, 81, 124, 137, 194, 44, 70, 82, 129, 92, 132, 146, 206, 101, 150, 159, 219, 172, 239, 251, 356, 53, 88, 98, 143, 109, 152, 163, 234, 116, 165, 184, 250, 198, 259, 277, 378, 131, 192, 202, 269, 213, 280, 296, 395, 232, 303, 319, 416, 339, 431, 464, 574, 15, 28, 41, 69, 32, 80, 74, 133, 46, 83, 91, 144, 99, 156, 158, 227, 57, 95, 103, 153, 110, 168, 183, 244, 125, 182, 193, 258, 205, 272, 288, 390, 62, 107, 122, 181, 118, 186, 196, 270, 141, 204, 214, 281, 230, 301, 314, 411, 147, 217, 235, 306, 248, 338, 348, 433, 266, 357, 364, 452, 386, 482, 498, 613, 66, 119, 136, 203, 145, 215, 224, 304, 160, 221, 238, 332, 252, 340, 358, 454, 173, 246, 265, 350, 279, 371, 383, 468, 293, 389, 406, 484, 426, 518, 536, 641, 195, 273, 284, 373, 307, 396, 408, 508, 331, 419, 432, 530, 460, 542, 557, 667, 341, 435, 465, 547, 480, 570, 588, 681, 496, 590, 609, 698, 633, 727, 757, 844, 20, 39, 45, 86, 49, 94, 102, 164, 55, 106, 115, 174, 123, 191, 200, 294, 65, 117, 126, 197, 140, 209, 212, 297, 151, 218, 231, 317, 247, 337, 345, 445, 72, 134, 138, 210, 154, 223, 236, 336, 169, 243, 254, 346, 263, 372, 374, 471, 177, 262, 274, 368, 287, 385, 403, 486, 311, 412, 420, 510, 439, 528, 551, 654, 79, 157, 167, 240, 176, 256, 267, 359, 189, 276, 283, 388, 299, 397, 415, 514, 228, 291, 309, 413, 324, 423, 440, 532, 352, 441, 461, 545, 479, 572, 585, 687, 255, 328, 347, 428, 365, 453, 473, 559, 377, 463, 488, 581, 512, 597, 621, 708, 407, 500, 516, 611, 534, 625, 601, 740, 553, 648, 670, 720, 678, 772, 791, 849, 90, 175, 187, 286, 222, 300, 313, 410, 242, 316, 330, 434, 351, 446, 469, 563, 261, 349, 362, 444, 384, 467, 492, 577, 398, 502, 504, 595, 524, 618, 630, 723, 290, 381, 370, 475, 404, 494, 513, 604, 427, 522, 538, 628, 555, 638, 659, 747, 451, 540, 566, 651, 579, 673, 693, 765, 599, 684, 711, 802, 730, 807, 814, 878, 326, 387, 425, 520, 447, 526, 549, 643, 477, 568, 561, 664, 592, 675, 695, 783, 490, 583, 606, 705, 623, 690, 737, 795, 646, 743, 714, 817, 761, 831, 848, 899, 506, 616, 635, 717, 656, 733, 750, 822, 662, 754, 787, 847, 769, 836, 871, 938, 701, 799, 776, 858, 806, 875, 866, 929, 837, 884, 894, 949, 920, 961, 975, 993, 10, 33, 76, 121, 50, 135, 105, 211, 64, 155, 171, 225, 128, 249, 257, 333, 87, 166, 142, 237, 180, 260, 292, 361, 178, 298, 268, 382, 312, 399, 414, 533, 96, 161, 207, 275, 190, 295, 282, 393, 220, 308, 321, 417, 335, 436, 449, 541, 241, 327, 344, 443, 355, 462, 470, 567, 367, 481, 499, 587, 509, 614, 626, 738, 113, 188, 199, 302, 245, 315, 334, 430, 229, 343, 353, 456, 366, 466, 483, 580, 271, 363, 376, 489, 392, 472, 497, 600, 405, 521, 531, 619, 552, 649, 660, 759, 289, 391, 401, 519, 422, 507, 537, 634, 438, 544, 571, 650, 582, 669, 685, 774, 476, 562, 591, 680, 603, 691, 713, 788, 636, 706, 729, 810, 745, 820, 842, 915, 148, 216, 264, 342, 233, 360, 369, 485, 285, 379, 394, 501, 409, 525, 535, 627, 310, 402, 421, 511, 437, 554, 564, 652, 455, 550, 578, 666, 602, 694, 709, 780, 320, 429, 448, 558, 459, 565, 586, 677, 493, 589, 617, 697, 631, 715, 735, 804, 515, 615, 642, 718, 657, 731, 748, 823, 674, 762, 771, 835, 790, 855, 872, 931, 325, 458, 487, 593, 505, 612, 624, 719, 529, 622, 644, 739, 661, 758, 770, 833, 548, 653, 672, 752, 688, 763, 784, 853, 704, 789, 798, 860, 813, 879, 889, 942, 584, 676, 696, 778, 726, 792, 801, 868, 732, 811, 824, 886, 838, 895, 904, 951, 751, 826, 843, 898, 859, 908, 916, 956, 869, 919, 928, 966, 937, 976, 985, 1008, 179, 253, 278, 380, 318, 400, 418, 539, 305, 424, 442, 556, 457, 575, 596, 689, 322, 450, 478, 573, 495, 598, 610, 710, 517, 620, 639, 722, 655, 746, 753, 834, 329, 474, 491, 608, 523, 637, 629, 734, 546, 647, 663, 749, 679, 773, 775, 851, 569, 668, 692, 766, 703, 782, 796, 861, 724, 805, 812, 880, 825, 890, 901, 948, 354, 527, 503, 645, 560, 671, 665, 767, 594, 683, 699, 786, 712, 793, 809, 876, 607, 700, 716, 797, 744, 818, 827, 887, 755, 828, 840, 897, 857, 911, 918, 962, 640, 721, 741, 819, 768, 846, 854, 905, 777, 841, 863, 913, 874, 923, 934, 969, 800, 870, 881, 930, 893, 940, 925, 980, 902, 946, 954, 973, 957, 989, 995, 1013, 375, 576, 543, 682, 605, 702, 707, 803, 632, 728, 736, 821, 756, 832, 850, 907, 658, 742, 764, 829, 781, 852, 865, 914, 794, 873, 862, 922, 888, 933, 939, 974, 686, 779, 760, 856, 808, 867, 882, 926, 816, 885, 892, 943, 903, 936, 950, 982, 839, 896, 909, 947, 917, 955, 964, 987, 924, 960, 970, 998, 977, 991, 1001, 1017, 725, 785, 815, 883, 830, 891, 900, 945, 845, 910, 906, 958, 921, 952, 965, 992, 864, 912, 927, 968, 935, 963, 979, 996, 944, 981, 971, 999, 986, 1004, 1006, 1015, 877, 932, 941, 972, 953, 978, 983, 1002, 959, 984, 994, 1009, 988, 1003, 1011, 1020, 967, 997, 990, 1007, 1000, 1014, 1010, 1019, 1005, 1012, 1016, 1021, 1018)
【０３６４】
のようなものであることが可能である。
【０３６５】
この例において、Zシーケンスは具体的には、[1, 2, (5, 11, 3, 13, 8, 25, 4, 16, 19, 29, 12, 34, 37, 71, 6, 18, 14, 31, 21, 40, 48, 77, 23, 52, 42, 85, 58, 93, 100, 162, 7, 17, 22, 43, 26, 51, 47, 89, 30, 56, 63, 97, 68, 108, 112, 170, 36, 60, 73, 111, 78, 120, 127, 185, 84, 130, 139, 201, 149, 208, 226, 323, 9, 24, 27, 54, 35, 59, 67, 104, 38, 75, 61, 114, 81, 124, 137, 194, 44, 70, 82, 129, 92, 132, 146, 206, 101, 150, 159, 219, 172, 239, 251, 356, 53, 88, 98, 143, 109, 152, 163, 234, 116, 165, 184, 250, 198, 259, 277, 378, 131, 192, 202, 269, 213, 280, 296, 395, 232, 303, 319, 416, 339, 431, 464, 574, 15, 28, 41, 69, 32, 80, 74, 133, 46, 83, 91, 144, 99, 156, 158, 227, 57, 95, 103, 153, 110, 168, 183, 244, 125, 182, 193, 258, 205, 272, 288, 390, 62, 107, 122, 181, 118, 186, 196, 270, 141, 204, 214, 281, 230, 301, 314, 411, 147, 217, 235, 306, 248, 338, 348, 433, 266, 357, 364, 452, 386, 482, 498, 613, 66, 119, 136, 203, 145, 215, 224, 304, 160, 221, 238, 332, 252, 340, 358, 454, 173, 246, 265, 350, 279, 371, 383, 468, 293, 389, 406, 484, 426, 518, 536, 641, 195, 273, 284, 373, 307, 396, 408, 508, 331, 419, 432, 530, 460, 542, 557, 667, 341, 435, 465, 547, 480, 570, 588, 681, 496, 590, 609, 698, 633, 727, 757, 844, 20, 39, 45, 86, 49, 94, 102, 164, 55, 106, 115, 174, 123, 191, 200, 294, 65, 117, 126, 197, 140, 209, 212, 297, 151, 218, 231, 317, 247, 337, 345, 445, 72, 134, 138, 210, 154, 223, 236, 336, 169, 243, 254, 346, 263, 372, 374, 471, 177, 262, 274, 368, 287, 385, 403, 486, 311, 412, 420, 510, 439, 528, 551, 654, 79, 157, 167, 240, 176, 256, 267, 359, 189, 276, 283, 388, 299, 397, 415, 514, 228, 291, 309, 413, 324, 423, 440, 532, 352, 441, 461, 545, 479, 572, 585, 687, 255, 328, 347, 428, 365, 453, 473, 559, 377, 463, 488, 581, 512, 597, 621, 708, 407, 500, 516, 611, 534, 625, 601, 740, 553, 648, 670, 720, 678, 772, 791, 849, 90, 175, 187, 286, 222, 300, 313, 410, 242, 316, 330, 434, 351, 446, 469, 563, 261, 349, 362, 444, 384, 467, 492, 577, 398, 502, 504, 595, 524, 618, 630, 723, 290, 381, 370, 475, 404, 494, 513, 604, 427, 522, 538, 628, 555, 638, 659, 747, 451, 540, 566, 651, 579, 673, 693, 765, 599, 684, 711, 802, 730, 807, 814, 878, 326, 387, 425, 520, 447, 526, 549, 643, 477, 568, 561, 664, 592, 675, 695, 783, 490, 583, 606, 705, 623, 690, 737, 795, 646, 743, 714, 817, 761, 831, 848, 899, 506, 616, 635, 717, 656, 733, 750, 822, 662, 754, 787, 847, 769, 836, 871, 938, 701, 799, 776, 858, 806, 875, 866, 929, 837, 884, 894, 949, 920, 961, 975, 993, 10, 33, 76, 121, 50, 135, 105, 211, 64, 155, 171, 225, 128, 249, 257, 333, 87, 166, 142, 237, 180, 260, 292, 361, 178, 298, 268, 382, 312, 399, 414, 533, 96, 161, 207, 275, 190, 295, 282, 393, 220, 308, 321, 417, 335, 436, 449, 541, 241, 327, 344, 443, 355, 462, 470, 567, 367, 481, 499, 587, 509, 614, 626, 738, 113, 188, 199, 302, 245, 315, 334, 430, 229, 343, 353, 456, 366, 466, 483, 580, 271, 363, 376, 489, 392, 472, 497, 600, 405, 521, 531, 619, 552, 649, 660, 759, 289, 391, 401, 519, 422, 507, 537, 634, 438, 544, 571, 650, 582, 669, 685, 774, 476, 562, 591, 680, 603, 691, 713, 788, 636, 706, 729, 810, 745, 820, 842, 915, 148, 216, 264, 342, 233, 360, 369, 485, 285, 379, 394, 501, 409, 525, 535, 627, 310, 402, 421, 511, 437, 554, 564, 652, 455, 550, 578, 666, 602, 694, 709, 780, 320, 429, 448, 558, 459, 565, 586, 677, 493, 589, 617, 697, 631, 715, 735, 804, 515, 615, 642, 718, 657, 731, 748, 823, 674, 762, 771, 835, 790, 855, 872, 931, 325, 458, 487, 593, 505, 612, 624, 719, 529, 622, 644, 739, 661, 758, 770, 833, 548, 653, 672, 752, 688, 763, 784, 853, 704, 789, 798, 860, 813, 879, 889, 942, 584, 676, 696, 778, 726, 792, 801, 868, 732, 811, 824, 886, 838, 895, 904, 951, 751, 826, 843, 898, 859, 908, 916, 956, 869, 919, 928, 966, 937, 976, 985, 1008, 179, 253, 278, 380, 318, 400, 418, 539, 305, 424, 442, 556, 457, 575, 596, 689, 322, 450, 478, 573, 495, 598, 610, 710, 517, 620, 639, 722, 655, 746, 753, 834, 329, 474, 491, 608, 523, 637, 629, 734, 546, 647, 663, 749, 679, 773, 775, 851, 569, 668, 692, 766, 703, 782, 796, 861, 724, 805, 812, 880, 825, 890, 901, 948, 354, 527, 503, 645, 560, 671, 665, 767, 594, 683, 699, 786, 712, 793, 809, 876, 607, 700, 716, 797, 744, 818, 827, 887, 755, 828, 840, 897, 857, 911, 918, 962, 640, 721, 741, 819, 768, 846, 854, 905, 777, 841, 863, 913, 874, 923, 934, 969, 800, 870, 881, 930, 893, 940, 925, 980, 902, 946, 954, 973, 957, 989, 995, 1013, 375, 576, 543, 682, 605, 702, 707, 803, 632, 728, 736, 821, 756, 832, 850, 907, 658, 742, 764, 829, 781, 852, 865, 914, 794, 873, 862, 922, 888, 933, 939, 974, 686, 779, 760, 856, 808, 867, 882, 926, 816, 885, 892, 943, 903, 936, 950, 982, 839, 896, 909, 947, 917, 955, 964, 987, 924, 960, 970, 998, 977, 991, 1001, 1017, 725, 785, 815, 883, 830, 891, 900, 945, 845, 910, 906, 958, 921, 952, 965, 992, 864, 912, 927, 968, 935, 963, 979, 996, 944, 981, 971, 999, 986, 1004, 1006, 1015, 877, 932, 941, 972, 953, 978, 983, 1002, 959, 984, 994, 1009, 988, 1003, 1011, 1020, 967, 997, 990, 1007, 1000, 1014, 1010, 1019, 1005, 1012, 1016, 1021, 1018), 1022, 1023, 1024]である。
【０３６６】
シーケンスの前述の例において、サブシーケンス
【０３６７】
【数１３２】
2020528250.tif 000134
【０３６８】
内の要素の位置は、サブシーケンス内で調節されることが可能である。例えば、実施例1の例(1)において、
【０３６９】
【数１３３】
2020528250.tif 000135
【０３７０】
であり、次に、シーケンス内の第1のサブシーケンス
【０３７１】
【数１３４】
2020528250.tif 000136
【０３７２】
内の要素の位置は、(5, 3, 9)、(3, 5, 9)、(3, 9, 5)、(5, 9, 3)、(9, 3, 5)、(9, 5, 3)、または同様のものに調節されることが可能である。新しいシーケンスは、調節後に取得される。前述の特定のシーケンスにおいて、丸括弧内の要素セットは、前述のサブシーケンス
【０３７３】
【数１３５】
2020528250.tif 000137
【０３７４】
を表現し、丸括弧内の要素の位置は、互いに交換されることが可能であるが、丸括弧内の要素の位置は、丸括弧の外側の要素の位置と交換されることは不可能である。
【０３７５】
本出願の本実施形態におけるシーケンスに基づいてPolar符号化を行う処理は、例を使用することによって下記において説明される。
【０３７６】
本出願の本実施形態におけるシーケンスは、単純なネスティング特性を満たし、すなわち、比較的短い母符号長を有する別のシーケンスが、比較的長い母符号長を有するシーケンスに基づいて取得されることが可能である。具体的には、例えば、比較的短い母符号長N2を有するシーケンスは、比較的長い母符号長N1を有するシーケンスに基づいて取得される。シーケンス番号がN2以下の要素は、比較的長い母符号長N1を有するシーケンスから抽出され、取得されたサブシーケンスは、比較的短い母符号長N2を有するシーケンスである。比較的短い母符号長N2を有する取得されたシーケンス内の要素のオーダーは、比較的長い母符号長N1を有するシーケンス内のこれらの要素のオーダーと同じである。長さKの符号化予定ビットは、長さKinfoの情報ビット、および長さKCRCのチェックビットを含み、符号長はMであり、母符号長はNであり、ここで、K=27、Kinfo=8、KCRC=19、M=60、およびN=64であることが想定される。パラメータがPolar符号のために構築されるとき、N=64のシーケンスが取得される必要がある。取得されたシーケンスがQシーケンスであるということが想定される。N=64のシーケンスの前述の例におけるQシーケンスが、本出願の本実施形態において直接使用されることが可能であり、または、N=64のQシーケンスが、N>64のQシーケンスからネスティング特性に基づいて取得されることが可能である。例えば、実施例1におけるN=128のQシーケンスが使用される。サブチャネルのシーケンス番号が64以下である全てのシーケンス番号が抽出され、取得されたシーケンス番号のオーダーは不変であり続け、[1, 2, (5, 9, 3), 17, 33, (7, 4, 13, 6, 19, 10, 34, 18, 11), 21, 35, 25, (8, 37), (12, 41), (20, 14, 49), 15, 22, (27, 36, 39, 23, 38, 26), 42, 29, (50, 43, 45, 16, 51, 24, 53), (57, 28, 40), 30, (44, 31, 46), 52, 47, 54, (55, 58), 59, 61, 32, 48, 56, 60, 62, 63, 64]というN=64の新しいシーケンスを形成する。シーケンス内のいくつかのサブシーケンスにおける要素の位置は、交換されることが可能である。したがって、N=128のシーケンスからネスティング特性に基づいて取得されたN=64の新しいシーケンスは、実施例1の例(1)におけるN=64のシーケンスとはわずかに異なり、つまり、丸括弧の範囲が大きくなり、より多くのシーケンスが形成されることが可能である。
【０３７７】
例えば、実施例1の例(1)におけるQN=64のシーケンスが直接取得される。K個の偏波チャネルの位置は、符号化予定ビットを置くために、取得されたQシーケンスに基づいて信頼性の降順に選択され、ここで、K=27である。具体的には、符号化予定ビットは、シーケンス番号が、(43, 45, 16, 51, 24, 53, 57, 28, 40, 30, 44, 31, 46, 52, 47, 54, 55, 58, 59, 61, 32, 48, 56, 60, 62, 63, 64)である偏波チャネルの位置に、またはシーケンス番号が、(50, 45, 16, 51, 24, 53, 57, 28, 40, 30, 44, 31, 46, 52, 47, 54, 55, 58, 59, 61, 32, 48, 56, 60, 62, 63, 64)である偏波チャネルの位置に置かれる。QN=64の直接取得されたシーケンスにおいて、サブシーケンス
【０３７８】
【数１３６】
2020528250.tif 000138
【０３７９】
における2つの要素(50, 43)の位置は、相互に交換されることが可能である。したがって、2つの可能な組合せが存在することが可能である。符号化予定ビットは、サブシーケンス
【０３８０】
【数１３７】
2020528250.tif 000139
【０３８１】
に対応する偏波チャネル内の等しい位置に置かれる。したがって、要素を交換すべきかどうかは考慮される必要がない。
【０３８２】
情報ビットを置く前述の例の前提条件は、27個の符号化予定ビットの送信優先度が同じであるというものである。符号化予定ビットの優先度が異なる場合、例えば、選択された27個の偏波チャネル内の、信頼性が最も高い18個の偏波チャネルの位置に18個のチェックビットが置かれる必要があり、1つのチェックビットは、いくつかの情報ビットの信頼性より信頼性が低い位置に置かれる必要がある。この場合、チェックビットが置かれるとき、4つのサブシーケンス
【０３８３】
【数１３８】
2020528250.tif 000140
【０３８４】
から
【０３８５】
【数１３９】
2020528250.tif 000141
【０３８６】
におけるチェックビットのオーダーが考慮されることが可能である。例えば、チェックビットは、
【０３８７】
【数１４０】
2020528250.tif 000142
【０３８８】
における第1の位置に置かれる必要がある。
【０３８９】
【数１４１】
2020528250.tif 000143
【０３９０】
であるとき、第1の位置は16であり、16と51のオーダーが交換された後、第1の位置は51である。したがって、16の位置または51の位置がチェックビットのために選択されるかどうかは、最終的な性能に影響を及ぼす可能性がある。
【０３９１】
符号化予定ビットが置かれる位置以外の位置は、凍結ビットの位置である。Polar符号化およびレートマッチングは、符号化予定ビットの位置、および凍結ビットの位置に基づいて行われる。
【０３９２】
さらに、N=64の新しいシーケンスは、N=256のシーケンス、N=512のシーケンス、またはN=1024のシーケンスというシーケンスを使用することによってネスティング特性に基づいて取得されることが可能である。
【０３９３】
N=64の例が上記において説明のために使用され、別の符号長の符号化方法は、これに類似している。詳細は本明細書において再び説明されない。
【０３９４】
本出願の本実施形態における前述の例におけるシーケンス(1)から(30)は、シーケンスのいくつかのグループの共通部分のセットを選ぶことによって取得されることが可能である。例えば、前述の例におけるシーケンス(1)は、母符号長が64であるシーケンスのいくつかのグループの共通部分のセットを選ぶことによって取得される。間違いなく、シーケンスは、別の手法で取得されることが可能である。
【０３９５】
可能な例において、以下のシーケンスS1からS20が、シミュレーションを通じて取得される。シーケンスS1からS20は、母符号長が1024であるシーケンスである。ネスティング特性に基づいて、母符号長が64、128、256、および512であるシーケンスは、母符号長が個々に64、128、256、512、および1024であるシーケンスの20個のグループを取得するために、シーケンスS1からS20に基づいて個々に取得されることが可能である。実施例1の例(1)から例(10)におけるシーケンスは、シーケンスの第1のグループからシーケンスの第5のグループに基づいて取得されることが可能である。実施例2の例(11)から例(20)におけるシーケンスは、シーケンスの第1のグループからシーケンスの第10のグループに基づいて取得されることが可能である。実施例3の例(21)から例(30)におけるシーケンスは、シーケンスの第1のグループからシーケンスの第12のグループに基づいて取得されることが可能である。組み合わされたシーケンスの大きい方の数は、取得されたシーケンス内の位置が不変であり続ける要素の小さい方の数、位置が可変である要素の大きい方の数、および取得されたシーケンスの大きい方の範囲を示すということが理解されよう。
【０３９６】
本出願の本実施形態において、図2において示されたPolar符号化方法は、シーケンスS1からS20のいずれか1つを使用することによってさらに行われることが可能である。
【０３９７】
具体的には、シーケンスS1からS20は、以下のようなものであることが可能である。
シーケンスS1:[1, 2, 3, 5, 9, 17, 33, 4, 6, 65, 7, 10, 11, 18, 129, 13, 19, 34, 21, 35, 25, 257, 37, 66, 8, 67, 41, 12, 69, 130, 14, 49, 20, 131, 513, 73, 15, 22, 36, 133, 81, 23, 26, 258, 38, 137, 97, 27, 259, 39, 68, 42, 145, 29, 261, 70, 43, 50, 71, 161, 132, 265, 514, 45, 74, 16, 51, 134, 515, 75, 273, 53, 82, 24, 193, 135, 517, 77, 83, 138, 57, 289, 98, 28, 260, 40, 85, 139, 521, 146, 30, 99, 262, 44, 141, 147, 529, 89, 321, 101, 31, 263, 72, 162, 266, 46, 52, 149, 163, 545, 105, 267, 516, 47, 76, 274, 54, 153, 385, 165, 194, 136, 269, 518, 78, 113, 275, 55, 84, 58, 290, 195, 577, 519, 79, 169, 277, 86, 140, 522, 59, 291, 100, 197, 87, 142, 523, 177, 148, 281, 530, 61, 90, 293, 322, 102, 32, 264, 641, 201, 143, 525, 150, 531, 91, 323, 103, 164, 297, 546, 106, 268, 48, 209, 151, 533, 93, 325, 154, 386, 166, 547, 107, 270, 305, 114, 276, 56, 225, 155, 537, 387, 769, 167, 549, 196, 329, 578, 109, 271, 520, 80, 115, 170, 278, 60, 292, 157, 389, 198, 579, 337, 117, 171, 279, 553, 88, 524, 178, 282, 62, 294, 199, 581, 393, 642, 173, 202, 144, 526, 179, 561, 121, 353, 283, 532, 63, 92, 295, 324, 104, 298, 643, 203, 585, 401, 527, 181, 210, 152, 285, 534, 94, 326, 299, 548, 108, 645, 306, 205, 211, 593, 535, 95, 327, 185, 417, 226, 156, 538, 388, 770, 168, 301, 550, 330, 110, 272, 307, 116, 213, 649, 158, 227, 609, 539, 390, 771, 551, 331, 580, 111, 309, 338, 118, 172, 280, 554, 657, 217, 449, 229, 159, 541, 391, 773, 200, 333, 582, 339, 119, 394, 174, 555, 180, 313, 562, 122, 354, 284, 64, 296, 583, 673, 233, 341, 395, 644, 777, 175, 557, 204, 586, 402, 528, 182, 563, 123, 286, 355, 300, 397, 646, 206, 587, 241, 403, 785, 183, 565, 212, 345, 594, 125, 357, 287, 536, 96, 328, 186, 418, 302, 705, 647, 308, 207, 589, 405, 214, 595, 650, 187, 569, 419, 801, 228, 361, 610, 540, 772, 303, 552, 332, 112, 310, 215, 597, 651, 409, 658, 189, 218, 421, 450, 230, 160, 542, 611, 392, 774, 334, 369, 311, 340, 120, 556, 653, 314, 659, 219, 601, 451, 833, 231, 613, 543, 775, 335, 584, 425, 674, 234, 342, 396, 778, 176, 558, 315, 564, 124, 661, 356, 221, 453, 675, 235, 343, 617, 398, 779, 433, 559, 588, 242, 404, 786, 184, 317, 566, 346, 126, 358, 288, 665, 897, 677, 457, 706, 237, 399, 648, 781, 208, 590, 243, 625, 406, 787, 567, 347, 596, 127, 359, 188, 570, 420, 802, 362, 304, 707, 465, 591, 245, 407, 681, 789, 216, 349, 598, 652, 410, 190, 571, 422, 803, 363, 612, 709, 370, 312, 599, 654, 689, 249, 481, 411, 660, 793, 191, 573, 220, 423, 602, 805, 452, 834, 232, 365, 614, 544, 776, 336, 371, 426, 713, 655, 316, 413, 662, 222, 603, 454, 835, 615, 373, 427, 676, 809, 236, 344, 618, 780, 434, 560, 318, 721, 663, 223, 605, 455, 837, 666, 898, 429, 678, 458, 238, 619, 400, 782, 435, 817, 244, 377, 626, 788, 319, 568, 348, 128, 360, 737, 667, 899, 679, 459, 708, 841, 239, 621, 783, 437, 466, 592, 246, 627, 408, 682, 790, 350, 572, 804, 669, 364, 901, 461, 710, 467, 849, 247, 629, 683, 791, 351, 600, 441, 690, 250, 482, 412, 794, 192, 574, 424, 806, 366, 711, 372, 469, 905, 685, 714, 656, 691, 251, 633, 414, 483, 865, 795, 575, 604, 807, 836, 367, 616, 374, 428, 810, 715, 913, 693, 473, 722, 253, 485, 415, 664, 797, 224, 606, 456, 838, 375, 430, 811, 620, 436, 818, 717, 378, 320, 723, 607, 839, 697, 929, 489, 738, 668, 900, 431, 680, 813, 460, 842, 240, 622, 784, 438, 819, 379, 628, 725, 670, 739, 902, 462, 843, 497, 623, 439, 821, 468, 850, 248, 381, 630, 684, 792, 352, 442, 729, 961, 741, 671, 903, 463, 712, 845, 470, 851, 631, 906, 686, 443, 692, 825, 252, 634, 484, 866, 796, 576, 808, 368, 471, 745, 853, 907, 687, 716, 914, 445, 694, 474, 254, 635, 486, 416, 798, 867, 376, 812, 909, 718, 753, 915, 695, 475, 724, 857, 255, 637, 487, 869, 799, 608, 840, 698, 930, 490, 432, 814, 820, 719, 380, 917, 477, 726, 699, 931, 491, 740, 873, 815, 844, 498, 624, 440, 822, 382, 727, 921, 701, 730, 933, 962, 493, 742, 672, 904, 464, 846, 499, 881, 823, 852, 383, 632, 444, 826, 731, 963, 743, 847, 501, 937, 472, 746, 854, 908, 688, 446, 827, 636, 868, 733, 965, 747, 855, 910, 945, 505, 754, 916, 447, 696, 829, 476, 858, 256, 638, 488, 870, 800, 969, 749, 911, 720, 755, 918, 478, 859, 639, 871, 700, 932, 492, 874, 816, 977, 757, 919, 479, 728, 861, 922, 702, 934, 494, 875, 500, 882, 824, 384, 761, 993, 923, 703, 732, 935, 964, 495, 744, 877, 848, 502, 883, 938, 828, 925, 734, 966, 503, 885, 939, 748, 856, 946, 506, 448, 830, 735, 967, 941, 970, 750, 912, 947, 507, 756, 889, 831, 860, 640, 872, 971, 751, 949, 978, 509, 758, 920, 480, 862, 876, 973, 979, 759, 863, 953, 762, 994, 924, 704, 936, 496, 878, 884, 981, 763, 926, 995, 879, 504, 886, 940, 985, 765, 997, 927, 736, 968, 887, 942, 948, 508, 890, 832, 1001, 943, 972, 752, 950, 510, 891, 974, 1009, 951, 980, 511, 760, 893, 864, 954, 975, 982, 955, 764, 996, 880, 983, 957, 986, 766, 998, 928, 888, 987, 767, 999, 1002, 944, 892, 989, 1003, 1010, 952, 512, 894, 1005, 976, 1011, 895, 956, 1013, 984, 958, 1017, 959, 988, 768, 1000, 990, 1004, 991, 1006, 1012, 896, 1007, 1014, 1015, 1018, 960, 1019, 1021, 992, 1008, 1016, 1020, 1022, 1023, 1024]
シーケンスS2:[1, 2, 3, 5, 9, 17, 33, 4, 6, 65, 7, 10, 11, 129, 18, 13, 19, 34, 257, 21, 35, 25, 66, 37, 67, 513, 8, 12, 130, 41, 69, 14, 20, 131, 49, 15, 73, 258, 22, 133, 36, 81, 23, 259, 26, 137, 38, 261, 97, 145, 27, 514, 39, 515, 265, 68, 42, 29, 161, 70, 43, 517, 50, 75, 273, 193, 521, 529, 71, 45, 132, 16, 74, 289, 545, 51, 24, 53, 134, 82, 321, 77, 135, 28, 57, 83, 138, 260, 40, 98, 385, 30, 85, 139, 262, 146, 31, 99, 516, 44, 89, 141, 263, 147, 72, 266, 46, 101, 162, 518, 577, 519, 52, 149, 522, 47, 76, 267, 163, 274, 523, 641, 105, 54, 153, 78, 269, 194, 165, 275, 55, 84, 530, 525, 531, 136, 58, 113, 195, 290, 79, 169, 277, 59, 86, 61, 87, 140, 100, 197, 90, 291, 281, 546, 769, 142, 177, 91, 102, 148, 143, 533, 547, 537, 32, 103, 264, 106, 322, 293, 201, 323, 578, 150, 297, 48, 93, 209, 549, 579, 268, 386, 325, 305, 164, 151, 107, 56, 154, 225, 387, 329, 270, 114, 520, 553, 642, 80, 166, 109, 155, 276, 60, 271, 115, 167, 524, 581, 561, 157, 196, 170, 198, 171, 278, 292, 279, 117, 88, 62, 178, 282, 526, 643, 532, 527, 63, 92, 585, 770, 144, 389, 294, 199, 104, 337, 173, 283, 202, 121, 179, 295, 94, 534, 645, 535, 593, 548, 771, 152, 324, 393, 298, 203, 108, 285, 181, 210, 538, 95, 205, 299, 353, 649, 609, 326, 185, 211, 401, 306, 301, 110, 156, 327, 116, 111, 773, 550, 657, 539, 551, 168, 213, 307, 330, 158, 226, 118, 172, 331, 227, 388, 309, 217, 417, 338, 159, 777, 272, 580, 119, 541, 554, 280, 333, 390, 174, 122, 200, 180, 229, 339, 313, 391, 123, 394, 284, 64, 175, 341, 449, 354, 395, 233, 204, 673, 555, 557, 562, 582, 296, 286, 182, 206, 125, 785, 705, 183, 287, 528, 583, 644, 586, 563, 300, 355, 212, 402, 186, 397, 345, 207, 302, 801, 96, 187, 241, 536, 587, 565, 646, 594, 328, 403, 214, 357, 308, 303, 833, 589, 647, 112, 540, 569, 595, 650, 772, 228, 418, 332, 215, 405, 310, 189, 552, 610, 897, 160, 218, 361, 419, 409, 369, 230, 450, 421, 542, 597, 651, 774, 658, 311, 120, 334, 219, 543, 611, 176, 392, 231, 314, 124, 340, 335, 221, 451, 425, 315, 556, 601, 653, 234, 775, 659, 613, 235, 288, 453, 126, 342, 396, 778, 584, 558, 674, 356, 343, 564, 661, 559, 617, 779, 675, 184, 398, 433, 317, 346, 242, 208, 404, 358, 786, 188, 588, 566, 665, 625, 781, 237, 127, 243, 347, 399, 706, 216, 677, 787, 590, 567, 648, 406, 359, 304, 570, 596, 362, 707, 190, 457, 349, 465, 802, 420, 407, 245, 410, 591, 681, 789, 571, 598, 363, 573, 220, 422, 599, 652, 612, 709, 602, 803, 370, 793, 312, 191, 654, 689, 603, 411, 232, 249, 365, 336, 423, 614, 660, 655, 316, 222, 371, 426, 452, 413, 481, 236, 223, 344, 318, 544, 373, 615, 427, 776, 128, 454, 238, 560, 834, 805, 713, 835, 662, 809, 605, 618, 721, 780, 434, 898, 319, 455, 837, 817, 676, 663, 348, 429, 400, 377, 244, 239, 458, 435, 360, 568, 619, 666, 737, 899, 841, 782, 626, 350, 246, 459, 592, 678, 621, 667, 788, 572, 783, 627, 679, 408, 364, 351, 437, 192, 247, 466, 412, 461, 250, 366, 600, 708, 574, 669, 682, 790, 804, 791, 710, 683, 629, 441, 690, 794, 604, 575, 467, 424, 372, 251, 414, 367, 469, 482, 374, 656, 901, 806, 711, 428, 415, 253, 616, 849, 685, 795, 714, 633, 691, 807, 606, 483, 473, 224, 664, 836, 905, 810, 715, 620, 797, 693, 375, 485, 430, 456, 722, 607, 717, 811, 865, 838, 697, 723, 913, 818, 378, 436, 813, 320, 622, 240, 431, 460, 379, 668, 839, 489, 438, 628, 623, 462, 381, 439, 352, 497, 680, 725, 819, 842, 670, 738, 630, 468, 248, 442, 463, 470, 443, 252, 684, 843, 739, 900, 821, 729, 929, 850, 671, 784, 631, 792, 845, 902, 686, 368, 634, 712, 254, 692, 741, 851, 825, 903, 687, 471, 416, 484, 445, 376, 474, 906, 796, 486, 635, 745, 853, 961, 866, 907, 716, 694, 808, 475, 798, 637, 695, 255, 718, 576, 799, 812, 867, 432, 380, 698, 914, 487, 724, 909, 857, 719, 477, 814, 608, 490, 699, 753, 840, 915, 726, 869, 820, 815, 440, 491, 624, 382, 498, 493, 464, 672, 930, 844, 740, 917, 822, 727, 632, 701, 873, 931, 921, 881, 730, 383, 499, 444, 446, 472, 962, 933, 823, 742, 846, 731, 447, 688, 904, 636, 826, 743, 852, 847, 256, 476, 733, 963, 937, 827, 746, 501, 488, 638, 505, 800, 696, 854, 908, 868, 855, 747, 910, 829, 965, 858, 754, 720, 916, 870, 478, 700, 749, 639, 816, 945, 755, 859, 911, 492, 479, 728, 918, 871, 384, 494, 500, 874, 702, 969, 495, 861, 502, 932, 919, 757, 922, 875, 732, 977, 934, 882, 761, 824, 703, 923, 744, 877, 848, 935, 828, 734, 883, 448, 938, 503, 964, 925, 993, 748, 735, 856, 885, 939, 506, 966, 507, 830, 750, 946, 860, 831, 967, 756, 941, 912, 872, 751, 889, 480, 970, 947, 862, 758, 971, 509, 920, 640, 876, 863, 759, 949, 978, 924, 973, 762, 878, 979, 496, 936, 704, 884, 953, 763, 504, 926, 879, 981, 994, 886, 940, 927, 765, 736, 887, 995, 942, 968, 985, 508, 890, 948, 832, 752, 943, 997, 972, 891, 1001, 510, 950, 974, 893, 951, 864, 760, 1009, 511, 980, 954, 764, 975, 955, 880, 982, 983, 928, 996, 766, 957, 888, 986, 998, 987, 944, 892, 999, 767, 512, 989, 1002, 952, 1003, 894, 976, 895, 1010, 956, 1005, 1011, 958, 984, 959, 988, 1013, 1000, 1017, 768, 990, 1004, 991, 1006, 1012, 1007, 1014, 896, 960, 1015, 1018, 1019, 992, 1021, 1008, 1016, 1020, 1022, 1023, 1024]
シーケンスS3:[1, 2, 3, 5, 9, 17, 33, 4, 6, 65, 7, 10, 11, 129, 18, 13, 19, 34, 257, 21, 35, 25, 66, 37, 8, 130, 67, 513, 12, 41, 69, 20, 14, 131, 49, 15, 73, 258, 22, 133, 36, 23, 259, 81, 26, 137, 38, 27, 514, 97, 261, 39, 515, 265, 68, 42, 145, 29, 70, 43, 517, 50, 161, 273, 71, 289, 545, 45, 193, 521, 529, 132, 74, 51, 134, 82, 75, 16, 24, 53, 321, 135, 77, 57, 83, 28, 138, 98, 40, 385, 260, 85, 139, 262, 30, 146, 44, 99, 516, 89, 141, 31, 147, 46, 263, 72, 266, 101, 162, 518, 577, 519, 52, 149, 522, 47, 76, 267, 105, 274, 523, 641, 163, 54, 153, 78, 269, 194, 165, 275, 55, 84, 530, 525, 531, 136, 58, 113, 79, 277, 195, 290, 59, 169, 86, 140, 100, 87, 197, 142, 291, 61, 281, 546, 769, 90, 102, 148, 177, 91, 143, 533, 547, 537, 293, 201, 264, 32, 150, 322, 323, 578, 103, 106, 93, 48, 297, 164, 151, 209, 549, 579, 386, 268, 305, 325, 107, 154, 387, 166, 56, 329, 114, 520, 553, 642, 155, 80, 109, 225, 270, 167, 524, 581, 561, 60, 276, 271, 115, 196, 170, 292, 278, 157, 88, 171, 117, 279, 198, 62, 282, 526, 643, 532, 527, 178, 294, 389, 92, 585, 770, 199, 144, 63, 121, 202, 283, 173, 104, 337, 179, 295, 94, 534, 645, 535, 593, 548, 771, 298, 393, 324, 285, 203, 181, 108, 152, 210, 538, 95, 205, 299, 401, 326, 353, 649, 609, 306, 301, 156, 211, 110, 168, 185, 116, 226, 327, 158, 111, 773, 550, 657, 539, 551, 307, 213, 330, 118, 172, 331, 227, 388, 309, 272, 580, 417, 217, 338, 159, 777, 119, 541, 554, 280, 333, 390, 174, 122, 200, 180, 229, 394, 284, 391, 175, 313, 123, 673, 555, 557, 562, 582, 354, 204, 64, 182, 339, 296, 449, 341, 286, 395, 233, 125, 785, 705, 206, 183, 287, 528, 583, 644, 586, 563, 300, 355, 212, 402, 186, 397, 241, 536, 587, 565, 646, 594, 207, 302, 801, 345, 403, 328, 357, 308, 96, 418, 214, 187, 405, 112, 540, 569, 595, 650, 772, 303, 833, 589, 647, 228, 361, 215, 189, 552, 610, 897, 332, 310, 419, 409, 218, 450, 230, 160, 421, 542, 597, 651, 774, 658, 392, 334, 311, 369, 340, 120, 314, 219, 543, 611, 335, 231, 234, 775, 659, 613, 176, 124, 315, 556, 601, 653, 342, 221, 425, 451, 396, 778, 584, 558, 674, 356, 288, 184, 235, 126, 343, 564, 661, 559, 617, 779, 675, 317, 242, 346, 453, 398, 404, 208, 433, 358, 786, 188, 588, 566, 665, 625, 781, 237, 127, 243, 399, 706, 347, 457, 359, 406, 304, 570, 596, 190, 216, 677, 787, 590, 567, 648, 362, 707, 245, 349, 420, 407, 465, 802, 410, 591, 681, 789, 571, 598, 312, 363, 573, 220, 422, 599, 652, 612, 709, 602, 803, 370, 793, 191, 654, 689, 603, 249, 232, 411, 336, 365, 423, 614, 660, 655, 316, 222, 371, 426, 236, 452, 481, 413, 344, 223, 318, 544, 373, 615, 427, 776, 454, 238, 560, 834, 805, 713, 835, 662, 809, 605, 618, 721, 780, 348, 319, 244, 434, 898, 455, 837, 817, 676, 663, 360, 568, 619, 666, 737, 899, 841, 782, 626, 429, 377, 400, 239, 458, 435, 128, 350, 246, 459, 592, 678, 621, 667, 788, 572, 783, 627, 679, 437, 408, 466, 364, 247, 351, 412, 461, 250, 366, 600, 708, 574, 669, 682, 790, 804, 791, 710, 683, 629, 467, 192, 441, 690, 794, 604, 575, 372, 424, 251, 482, 469, 367, 414, 374, 656, 901, 806, 711, 428, 415, 253, 616, 849, 685, 795, 714, 633, 691, 807, 606, 483, 473, 224, 664, 836, 905, 810, 715, 620, 797, 693, 375, 430, 456, 722, 607, 717, 811, 865, 838, 697, 723, 913, 818, 378, 436, 813, 485, 320, 622, 431, 240, 379, 668, 839, 460, 438, 628, 623, 489, 381, 462, 497, 680, 725, 819, 842, 670, 738, 630, 352, 439, 468, 248, 442, 463, 470, 443, 252, 684, 843, 739, 900, 821, 729, 929, 850, 671, 784, 631, 792, 845, 902, 686, 368, 634, 712, 254, 692, 741, 851, 825, 903, 687, 471, 416, 484, 445, 376, 474, 906, 796, 486, 635, 745, 853, 961, 866, 907, 716, 694, 808, 475, 798, 637, 695, 255, 718, 576, 799, 812, 867, 432, 380, 698, 914, 487, 724, 909, 857, 719, 477, 814, 608, 490, 699, 753, 840, 915, 726, 869, 820, 815, 440, 491, 624, 382, 498, 493, 464, 672, 930, 844, 740, 917, 822, 727, 632, 701, 873, 931, 921, 881, 730, 383, 499, 444, 446, 472, 962, 933, 823, 742, 846, 731, 447, 688, 904, 636, 826, 743, 852, 847, 256, 476, 733, 963, 937, 827, 746, 501, 488, 638, 505, 800, 696, 854, 908, 868, 855, 747, 910, 829, 858, 754, 720, 916, 870, 478, 700, 749, 639, 816, 965, 945, 755, 859, 911, 492, 479, 728, 918, 871, 384, 494, 500, 874, 702, 969, 495, 861, 502, 932, 919, 757, 922, 875, 732, 977, 934, 882, 761, 824, 703, 923, 744, 877, 848, 935, 828, 734, 883, 448, 938, 503, 964, 925, 993, 748, 735, 856, 885, 939, 506, 966, 507, 830, 750, 946, 860, 831, 967, 756, 941, 912, 872, 751, 889, 480, 970, 947, 862, 758, 971, 509, 920, 640, 876, 863, 759, 949, 978, 924, 973, 762, 878, 979, 496, 936, 704, 884, 953, 763, 504, 926, 879, 981, 994, 886, 940, 927, 765, 736, 887, 995, 942, 968, 985, 508, 890, 948, 832, 752, 943, 997, 972, 891, 1001, 510, 950, 974, 893, 951, 864, 760, 1009, 511, 980, 954, 764, 975, 955, 880, 982, 983, 928, 996, 766, 957, 888, 986, 998, 987, 944, 892, 999, 767, 512, 989, 1002, 952, 1003, 894, 976, 895, 1010, 956, 1005, 1011, 958, 984, 959, 988, 1013, 1000, 1017, 768, 990, 1004, 991, 1006, 1012, 1007, 1014, 896, 960, 1015, 1018, 1019, 992, 1021, 1008, 1016, 1020, 1022, 1023, 1024]
シーケンスS4:[1, 2, 3, 5, 9, 17, 33, 4, 6, 513, 65, 7, 10, 11, 129, 18, 13, 19, 34, 257, 21, 35, 25, 66, 37, 8, 130, 67, 12, 41, 69, 20, 514, 14, 131, 49, 15, 73, 258, 22, 133, 36, 23, 259, 81, 26, 137, 38, 27, 515, 97, 261, 39, 265, 68, 42, 145, 29, 70, 43, 50, 161, 273, 517, 71, 289, 45, 193, 132, 74, 51, 134, 82, 75, 16, 521, 24, 53, 321, 135, 77, 57, 83, 28, 138, 98, 529, 40, 385, 260, 85, 139, 262, 30, 146, 545, 44, 99, 89, 141, 31, 147, 46, 263, 516, 72, 266, 101, 162, 52, 149, 47, 518, 76, 267, 105, 274, 163, 54, 153, 577, 78, 269, 194, 165, 275, 55, 519, 84, 136, 58, 113, 79, 277, 522, 195, 290, 59, 169, 86, 140, 523, 100, 87, 197, 142, 291, 641, 61, 281, 90, 102, 148, 177, 530, 91, 143, 293, 201, 264, 525, 32, 150, 322, 323, 531, 103, 106, 93, 48, 297, 546, 164, 151, 209, 386, 769, 268, 305, 325, 107, 533, 154, 387, 166, 56, 329, 547, 114, 155, 80, 537, 109, 225, 270, 167, 578, 60, 276, 271, 115, 549, 196, 170, 292, 278, 520, 157, 88, 171, 642, 117, 279, 198, 62, 579, 282, 178, 294, 524, 389, 92, 199, 144, 553, 63, 121, 202, 581, 283, 173, 104, 532, 337, 179, 295, 526, 94, 298, 393, 643, 324, 285, 203, 561, 181, 108, 152, 527, 210, 95, 205, 585, 299, 401, 326, 770, 353, 306, 534, 301, 156, 211, 645, 110, 168, 185, 548, 116, 226, 535, 327, 158, 111, 771, 307, 213, 593, 330, 118, 172, 538, 331, 227, 649, 388, 309, 272, 550, 417, 217, 539, 338, 159, 609, 119, 280, 773, 333, 390, 174, 551, 122, 200, 777, 180, 229, 580, 394, 284, 554, 391, 175, 657, 313, 123, 541, 354, 204, 64, 582, 182, 339, 555, 296, 449, 562, 341, 286, 673, 395, 785, 233, 125, 583, 206, 183, 801, 287, 300, 557, 355, 212, 705, 402, 186, 644, 397, 241, 586, 207, 302, 563, 345, 646, 403, 328, 594, 357, 308, 587, 96, 528, 418, 214, 536, 187, 405, 565, 112, 833, 303, 228, 647, 361, 215, 589, 189, 569, 332, 310, 595, 419, 409, 540, 218, 650, 450, 230, 610, 160, 552, 421, 392, 897, 334, 772, 311, 369, 597, 340, 651, 120, 774, 314, 219, 542, 335, 658, 231, 234, 556, 176, 611, 124, 315, 601, 342, 653, 221, 543, 425, 451, 659, 396, 558, 356, 775, 288, 584, 184, 235, 778, 126, 613, 343, 674, 317, 242, 564, 346, 661, 453, 559, 398, 588, 404, 208, 779, 433, 617, 358, 786, 188, 675, 237, 566, 127, 665, 243, 399, 590, 347, 781, 457, 706, 359, 677, 406, 787, 304, 567, 190, 596, 216, 648, 362, 570, 245, 349, 625, 420, 591, 407, 789, 465, 707, 410, 802, 312, 571, 363, 681, 220, 598, 422, 652, 370, 612, 191, 599, 249, 709, 232, 654, 411, 803, 336, 573, 365, 793, 423, 316, 222, 602, 371, 614, 426, 660, 236, 689, 452, 603, 481, 655, 413, 805, 344, 713, 223, 776, 318, 544, 373, 662, 427, 834, 454, 835, 238, 615, 348, 618, 605, 319, 560, 244, 809, 434, 676, 455, 663, 360, 721, 429, 898, 377, 780, 400, 817, 239, 837, 458, 619, 666, 435, 899, 128, 678, 350, 568, 246, 841, 459, 626, 667, 437, 592, 408, 621, 466, 737, 364, 782, 247, 679, 572, 351, 788, 412, 783, 461, 627, 708, 250, 682, 366, 804, 467, 790, 192, 669, 600, 441, 683, 372, 629, 791, 424, 710, 251, 574, 482, 794, 690, 469, 806, 367, 901, 604, 414, 711, 374, 656, 428, 575, 633, 415, 714, 253, 795, 685, 483, 616, 473, 849, 691, 224, 807, 606, 375, 810, 430, 905, 836, 456, 797, 378, 715, 693, 436, 620, 664, 485, 722, 320, 607, 717, 431, 811, 913, 240, 838, 379, 865, 818, 460, 813, 668, 438, 723, 622, 489, 680, 381, 697, 628, 462, 738, 839, 497, 670, 623, 352, 819, 725, 439, 842, 630, 468, 684, 843, 248, 739, 442, 900, 821, 463, 784, 929, 470, 729, 850, 671, 443, 631, 792, 252, 845, 902, 368, 686, 634, 254, 712, 692, 471, 741, 906, 416, 796, 903, 484, 687, 825, 635, 445, 866, 716, 376, 576, 694, 474, 851, 808, 961, 486, 853, 798, 475, 907, 745, 255, 637, 718, 695, 432, 799, 812, 380, 867, 724, 914, 487, 698, 909, 477, 753, 719, 814, 490, 857, 915, 840, 440, 869, 820, 608, 491, 930, 726, 382, 699, 917, 624, 498, 815, 740, 873, 493, 727, 701, 844, 464, 822, 931, 921, 383, 730, 962, 742, 499, 672, 933, 904, 444, 846, 823, 881, 852, 446, 632, 826, 731, 472, 847, 743, 746, 447, 688, 636, 827, 854, 256, 733, 937, 963, 476, 908, 868, 800, 696, 501, 747, 638, 855, 829, 488, 754, 858, 965, 910, 505, 916, 720, 945, 478, 870, 700, 749, 639, 755, 492, 911, 859, 969, 871, 479, 918, 816, 702, 728, 384, 874, 757, 861, 932, 919, 494, 977, 922, 824, 875, 732, 500, 934, 882, 703, 761, 495, 744, 923, 848, 877, 935, 828, 502, 734, 883, 938, 748, 964, 448, 993, 925, 856, 735, 830, 885, 503, 939, 966, 750, 860, 831, 756, 506, 946, 967, 872, 941, 889, 912, 507, 751, 970, 947, 640, 862, 758, 971, 480, 949, 920, 978, 876, 759, 863, 924, 509, 973, 762, 878, 979, 704, 953, 884, 936, 496, 763, 994, 981, 879, 926, 886, 940, 927, 504, 765, 995, 985, 736, 887, 942, 968, 890, 948, 997, 508, 832, 943, 752, 891, 972, 950, 1001, 893, 974, 1009, 864, 510, 951, 980, 760, 954, 975, 982, 955, 764, 880, 766, 983, 928, 996, 511, 957, 888, 986, 998, 987, 767, 944, 892, 999, 989, 1002, 952, 1003, 894, 1010, 1005, 976, 512, 895, 1011, 956, 958, 984, 959, 768, 988, 1013, 1000, 1017, 990, 1004, 991, 896, 1006, 1012, 1007, 1014, 960, 1015, 1018, 1019, 992, 1021, 1008, 1016, 1020, 1022, 1023, 1024]
シーケンスS5:[1, 2, 5, 9, 3, 17, 33, 7, 65, 513, 4, 13, 6, 19, 129, 10, 34, 18, 11, 257, 21, 35, 25, 66, 8, 37, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 70, 50, 75, 161, 43, 521, 273, 193, 71, 45, 132, 82, 16, 289, 51, 135, 74, 515, 24, 53, 321, 134, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 209, 268, 386, 325, 305, 537, 769, 533, 164, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 171, 198, 642, 178, 282, 92, 553, 202, 389, 294, 199, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 156, 110, 534, 401, 306, 301, 643, 211, 185, 327, 539, 116, 168, 593, 158, 226, 307, 548, 330, 111, 771, 213, 118, 172, 551, 331, 227, 649, 388, 309, 159, 609, 417, 338, 535, 217, 272, 550, 119, 280, 538, 333, 390, 174, 580, 122, 200, 777, 180, 229, 554, 339, 657, 313, 541, 391, 175, 582, 394, 284, 773, 123, 673, 555, 785, 64, 341, 705, 449, 562, 354, 801, 395, 233, 204, 528, 583, 557, 296, 286, 182, 125, 206, 241, 644, 586, 563, 287, 300, 355, 183, 402, 212, 397, 345, 587, 833, 565, 96, 186, 207, 328, 646, 536, 403, 594, 187, 357, 589, 569, 308, 647, 419, 214, 302, 228, 303, 897, 595, 361, 112, 650, 772, 418, 540, 215, 405, 310, 189, 450, 332, 218, 160, 610, 597, 552, 651, 120, 230, 334, 409, 542, 774, 611, 658, 311, 421, 601, 219, 369, 231, 653, 392, 176, 314, 340, 543, 335, 124, 556, 775, 234, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 246, 619, 350, 788, 128, 782, 898, 408, 667, 437, 592, 364, 621, 466, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 446, 933, 847, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 874, 639, 755, 256, 969, 870, 492, 479, 384, 911, 816, 918, 728, 871, 702, 932, 861, 500, 757, 732, 824, 923, 875, 977, 919, 503, 934, 744, 761, 882, 495, 703, 922, 877, 502, 848, 993, 448, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021, 1016, 1008, 1020, 1022, 1023, 1024]
シーケンスS6:[1, 2, 3, 5, 9, 17, 33, 4, 257, 513, 6, 65, 7, 10, 11, 129, 18, 13, 19, 34, 21, 35, 25, 66, 37, 258, 67, 8, 12, 130, 41, 69, 514, 14, 20, 131, 49, 15, 73, 259, 22, 133, 36, 81, 23, 26, 137, 38, 97, 515, 261, 145, 27, 39, 68, 42, 29, 161, 70, 265, 43, 50, 75, 517, 193, 71, 45, 273, 132, 16, 74, 51, 24, 53, 289, 521, 134, 82, 77, 135, 28, 57, 260, 83, 138, 40, 529, 98, 262, 30, 85, 139, 146, 31, 321, 545, 99, 44, 89, 141, 263, 147, 72, 46, 516, 101, 266, 162, 52, 149, 47, 267, 769, 76, 163, 105, 385, 54, 153, 78, 518, 194, 274, 165, 55, 84, 269, 577, 136, 58, 113, 275, 195, 79, 519, 169, 290, 59, 86, 61, 277, 522, 87, 140, 291, 100, 197, 523, 90, 281, 142, 177, 322, 91, 641, 102, 148, 293, 143, 32, 530, 323, 103, 106, 264, 525, 201, 150, 48, 268, 93, 531, 209, 386, 164, 151, 546, 297, 107, 56, 325, 533, 154, 225, 270, 114, 80, 547, 276, 166, 109, 537, 387, 155, 60, 305, 578, 115, 167, 271, 157, 549, 329, 196, 170, 278, 770, 198, 171, 389, 579, 117, 292, 88, 62, 520, 337, 178, 63, 524, 279, 92, 282, 144, 642, 199, 393, 104, 553, 294, 173, 353, 581, 202, 121, 401, 526, 179, 283, 94, 532, 152, 295, 203, 643, 324, 108, 298, 561, 181, 210, 285, 527, 95, 417, 205, 585, 326, 185, 771, 299, 211, 110, 534, 306, 156, 331, 645, 116, 449, 548, 111, 327, 168, 593, 301, 213, 535, 388, 158, 272, 538, 226, 118, 649, 330, 172, 307, 550, 227, 280, 609, 217, 309, 773, 159, 390, 657, 119, 338, 174, 539, 333, 122, 551, 391, 200, 580, 180, 229, 554, 284, 123, 541, 313, 64, 673, 339, 175, 394, 582, 233, 296, 777, 204, 354, 555, 182, 286, 562, 341, 587, 206, 395, 705, 125, 402, 583, 183, 287, 557, 212, 355, 785, 186, 300, 644, 207, 345, 528, 96, 397, 586, 187, 563, 403, 328, 536, 241, 302, 565, 214, 801, 357, 112, 646, 418, 228, 594, 308, 589, 405, 215, 647, 303, 189, 540, 332, 569, 160, 419, 772, 361, 218, 595, 310, 650, 230, 409, 552, 334, 610, 120, 450, 774, 219, 542, 421, 176, 597, 311, 651, 340, 658, 231, 392, 543, 314, 833, 124, 369, 611, 221, 556, 451, 335, 601, 234, 653, 425, 775, 235, 315, 659, 342, 584, 126, 558, 317, 613, 343, 184, 778, 396, 674, 356, 564, 242, 453, 661, 208, 559, 346, 779, 398, 588, 188, 433, 675, 347, 617, 237, 897, 358, 566, 404, 665, 127, 590, 399, 288, 706, 243, 786, 359, 677, 362, 567, 216, 596, 457, 781, 406, 648, 190, 570, 304, 625, 349, 245, 787, 465, 707, 420, 591, 407, 681, 220, 802, 363, 571, 312, 598, 191, 573, 410, 789, 481, 599, 232, 652, 370, 803, 336, 612, 422, 709, 249, 602, 365, 793, 411, 222, 316, 654, 371, 689, 423, 834, 236, 603, 413, 614, 452, 660, 426, 805, 223, 655, 454, 544, 427, 835, 128, 615, 373, 618, 344, 776, 318, 713, 238, 662, 560, 434, 780, 319, 605, 348, 721, 244, 898, 400, 676, 455, 663, 360, 809, 429, 619, 239, 568, 458, 837, 666, 377, 737, 435, 782, 246, 626, 350, 592, 408, 788, 678, 459, 621, 192, 899, 364, 667, 437, 572, 466, 817, 627, 351, 679, 247, 783, 461, 669, 841, 441, 708, 467, 682, 366, 790, 250, 710, 683, 412, 901, 372, 629, 804, 367, 600, 424, 574, 251, 849, 690, 469, 575, 414, 791, 604, 482, 794, 374, 656, 428, 711, 905, 253, 616, 483, 806, 685, 473, 865, 415, 714, 633, 375, 913, 691, 224, 795, 430, 606, 664, 378, 807, 456, 715, 836, 436, 620, 810, 485, 693, 379, 722, 797, 240, 607, 929, 320, 717, 431, 838, 697, 489, 811, 723, 460, 622, 818, 438, 668, 462, 843, 628, 248, 961, 623, 381, 839, 680, 439, 813, 725, 468, 900, 670, 442, 784, 738, 463, 630, 352, 842, 684, 252, 819, 739, 443, 792, 729, 821, 497, 671, 902, 470, 631, 850, 368, 686, 845, 484, 634, 903, 471, 712, 692, 445, 741, 796, 416, 635, 825, 576, 254, 851, 687, 474, 906, 745, 486, 808, 716, 866, 376, 694, 798, 475, 853, 718, 432, 907, 637, 914, 487, 695, 799, 380, 724, 867, 698, 477, 812, 719, 490, 857, 608, 909, 255, 699, 915, 840, 491, 753, 814, 726, 382, 869, 624, 440, 930, 740, 820, 498, 917, 727, 815, 464, 701, 844, 672, 444, 931, 873, 730, 493, 822, 742, 921, 383, 846, 632, 962, 499, 731, 933, 688, 823, 472, 852, 743, 904, 446, 826, 636, 881, 501, 733, 963, 847, 746, 256, 937, 747, 827, 476, 854, 638, 829, 855, 447, 696, 908, 868, 754, 488, 965, 720, 858, 910, 505, 700, 945, 859, 478, 749, 870, 916, 639, 911, 492, 800, 755, 871, 874, 479, 728, 969, 918, 702, 384, 816, 861, 757, 977, 932, 494, 919, 732, 875, 824, 703, 500, 922, 993, 744, 882, 495, 848, 934, 761, 877, 923, 734, 502, 828, 883, 935, 748, 925, 448, 964, 938, 735, 966, 939, 640, 503, 885, 856, 830, 750, 946, 831, 506, 860, 756, 912, 967, 872, 941, 507, 751, 970, 889, 947, 758, 862, 920, 509, 971, 704, 876, 949, 978, 863, 759, 480, 973, 953, 979, 878, 762, 924, 884, 879, 496, 936, 763, 981, 926, 994, 886, 940, 765, 504, 995, 985, 927, 887, 736, 942, 890, 968, 948, 997, 508, 891, 752, 832, 943, 1001, 972, 950, 974, 760, 893, 951, 510, 980, 954, 975, 864, 764, 955, 1009, 982, 880, 996, 983, 957, 928, 511, 766, 986, 998, 888, 987, 944, 999, 892, 989, 1002, 767, 1003, 894, 952, 1010, 976, 956, 512, 1005, 895, 1011, 984, 958, 1013, 768, 988, 959, 1000, 1017, 990, 1004, 991, 896, 1006, 1012, 1007, 1014, 960, 1015, 1018, 1019, 1021, 992, 1008, 1016, 1020, 1022, 1023, 1024]
シーケンスS7:[1, 2, 3, 5, 9, 17, 4, 33, 6, 7, 65, 10, 11, 18, 13, 19, 129, 34, 21, 35, 25, 8, 37, 66, 257, 67, 12, 41, 69, 14, 20, 49, 130, 15, 73, 22, 131, 513, 36, 23, 133, 81, 26, 38, 27, 258, 137, 39, 68, 97, 42, 259, 29, 145, 43, 70, 261, 50, 71, 16, 45, 74, 51, 265, 132, 161, 514, 75, 24, 53, 134, 82, 515, 273, 77, 135, 83, 28, 57, 193, 138, 517, 40, 98, 85, 260, 30, 139, 289, 521, 146, 99, 44, 31, 262, 141, 89, 147, 72, 101, 46, 263, 529, 321, 52, 266, 162, 149, 47, 76, 105, 267, 54, 163, 516, 274, 153, 545, 78, 55, 269, 136, 165, 84, 113, 58, 194, 275, 518, 385, 79, 59, 86, 195, 140, 290, 169, 519, 277, 577, 522, 100, 87, 32, 291, 61, 197, 142, 90, 523, 281, 148, 177, 102, 264, 143, 293, 530, 91, 322, 201, 525, 150, 103, 48, 531, 106, 641, 323, 93, 268, 297, 164, 151, 209, 154, 546, 107, 533, 325, 56, 270, 166, 114, 276, 155, 547, 305, 386, 80, 109, 271, 537, 167, 115, 329, 60, 196, 225, 170, 520, 278, 387, 157, 549, 578, 769, 88, 117, 292, 62, 171, 198, 279, 389, 579, 337, 524, 282, 553, 178, 63, 199, 144, 294, 173, 92, 121, 202, 283, 581, 526, 179, 393, 104, 295, 532, 561, 642, 324, 94, 203, 353, 298, 527, 285, 152, 181, 585, 210, 108, 534, 643, 401, 95, 299, 326, 205, 211, 156, 548, 306, 185, 535, 110, 645, 327, 272, 593, 301, 538, 168, 116, 330, 226, 307, 213, 388, 158, 550, 417, 111, 539, 770, 649, 331, 118, 227, 172, 280, 159, 551, 309, 390, 580, 338, 217, 609, 554, 771, 541, 119, 333, 64, 200, 229, 174, 391, 122, 657, 339, 284, 555, 313, 582, 449, 180, 394, 773, 296, 175, 562, 123, 204, 354, 233, 583, 341, 528, 286, 395, 557, 182, 586, 563, 777, 644, 402, 96, 673, 355, 125, 300, 206, 287, 183, 397, 587, 345, 212, 241, 186, 536, 403, 565, 646, 328, 207, 357, 594, 302, 785, 589, 308, 187, 214, 418, 112, 647, 405, 595, 303, 540, 569, 705, 650, 332, 361, 228, 215, 160, 552, 310, 419, 189, 218, 610, 597, 772, 542, 651, 409, 801, 120, 334, 230, 311, 392, 421, 658, 340, 219, 611, 369, 556, 314, 450, 543, 774, 653, 335, 601, 231, 176, 124, 659, 234, 315, 584, 342, 451, 221, 613, 396, 558, 425, 775, 833, 564, 778, 674, 356, 126, 235, 661, 343, 288, 559, 317, 453, 184, 398, 588, 346, 617, 242, 779, 404, 566, 675, 433, 127, 208, 358, 237, 399, 786, 665, 347, 590, 243, 457, 188, 567, 781, 648, 406, 677, 359, 596, 304, 625, 570, 706, 787, 362, 897, 591, 349, 216, 245, 420, 190, 407, 571, 598, 707, 465, 652, 410, 802, 681, 363, 789, 312, 191, 422, 220, 612, 370, 249, 599, 544, 411, 803, 573, 709, 654, 336, 365, 602, 232, 793, 423, 660, 689, 371, 316, 452, 222, 614, 481, 426, 776, 655, 413, 805, 603, 834, 713, 236, 662, 344, 223, 615, 373, 560, 318, 427, 454, 618, 835, 605, 780, 809, 676, 434, 128, 663, 238, 319, 455, 400, 721, 429, 666, 348, 619, 377, 244, 458, 837, 568, 782, 435, 678, 360, 239, 626, 788, 667, 817, 898, 592, 350, 459, 621, 246, 783, 408, 679, 437, 627, 841, 572, 708, 466, 737, 682, 364, 790, 899, 669, 351, 247, 461, 192, 250, 600, 467, 629, 412, 804, 574, 683, 441, 710, 791, 366, 901, 849, 794, 424, 690, 372, 251, 482, 575, 711, 469, 656, 414, 806, 685, 367, 604, 633, 714, 795, 691, 905, 224, 616, 374, 483, 253, 428, 415, 807, 836, 606, 715, 473, 865, 810, 797, 664, 693, 375, 320, 456, 485, 722, 430, 620, 378, 913, 607, 811, 838, 717, 436, 240, 723, 431, 668, 818, 697, 379, 460, 622, 489, 839, 784, 813, 680, 438, 628, 842, 738, 819, 725, 900, 670, 352, 929, 623, 381, 248, 462, 439, 843, 468, 630, 739, 497, 684, 442, 792, 671, 821, 902, 463, 850, 729, 252, 631, 845, 576, 443, 712, 470, 741, 686, 368, 903, 634, 851, 796, 825, 961, 692, 906, 484, 254, 471, 416, 808, 687, 445, 635, 716, 474, 866, 745, 853, 798, 907, 694, 376, 255, 486, 914, 608, 475, 867, 637, 812, 718, 799, 695, 909, 857, 487, 724, 432, 753, 698, 380, 915, 490, 840, 719, 477, 869, 814, 820, 699, 726, 930, 624, 382, 491, 917, 815, 440, 844, 873, 740, 498, 727, 672, 822, 931, 701, 383, 464, 493, 730, 921, 632, 846, 499, 444, 742, 823, 904, 933, 852, 731, 881, 826, 962, 847, 472, 743, 501, 688, 446, 636, 746, 827, 854, 963, 733, 908, 937, 256, 447, 476, 868, 638, 747, 505, 855, 800, 829, 965, 696, 910, 858, 488, 754, 916, 945, 639, 720, 478, 870, 749, 911, 859, 755, 969, 700, 492, 918, 479, 871, 816, 874, 861, 728, 757, 932, 702, 384, 919, 494, 977, 922, 875, 500, 824, 703, 934, 495, 732, 882, 761, 923, 848, 877, 744, 502, 935, 883, 828, 964, 734, 993, 938, 925, 503, 448, 748, 506, 856, 735, 885, 830, 939, 966, 946, 640, 507, 750, 831, 967, 912, 941, 860, 889, 756, 970, 947, 480, 872, 751, 509, 862, 971, 758, 920, 949, 978, 876, 863, 759, 973, 704, 496, 762, 979, 924, 953, 878, 936, 884, 763, 994, 981, 926, 879, 504, 736, 886, 995, 765, 940, 927, 985, 508, 887, 832, 968, 997, 942, 890, 948, 752, 510, 943, 891, 972, 1001, 950, 511, 864, 893, 760, 974, 951, 980, 1009, 954, 975, 764, 955, 982, 880, 996, 766, 983, 928, 957, 986, 888, 767, 998, 987, 999, 944, 892, 1002, 989, 512, 894, 1003, 952, 1010, 895, 976, 1005, 1011, 956, 984, 1013, 958, 768, 959, 988, 1017, 1000, 990, 1004, 991, 896, 1006, 1012, 1007, 1014, 1015, 960, 1018, 1019, 992, 1021, 1008, 1016, 1020, 1022, 1023, 1024]
シーケンスS8:[1, 2, 3, 5, 9, 17, 33, 4, 6, 7, 65, 10, 11, 18, 13, 129, 19, 34, 21, 35, 25, 257, 37, 8, 66, 67, 41, 12, 69, 14, 130, 49, 20, 15, 73, 513, 131, 22, 133, 36, 23, 81, 26, 258, 38, 137, 27, 259, 39, 97, 68, 42, 29, 145, 261, 70, 43, 50, 71, 265, 45, 16, 74, 514, 161, 132, 51, 75, 515, 134, 273, 53, 24, 82, 77, 517, 135, 193, 83, 138, 57, 28, 289, 260, 40, 98, 521, 139, 85, 30, 146, 262, 99, 141, 44, 31, 89, 529, 147, 263, 321, 101, 72, 266, 46, 162, 149, 52, 267, 47, 105, 545, 76, 516, 163, 274, 54, 153, 269, 385, 78, 518, 165, 136, 275, 194, 55, 113, 84, 58, 79, 519, 577, 290, 195, 277, 522, 169, 140, 86, 59, 291, 197, 100, 523, 87, 142, 281, 61, 32, 90, 530, 177, 148, 293, 264, 322, 102, 525, 143, 201, 641, 91, 531, 150, 323, 103, 297, 268, 48, 106, 546, 164, 93, 533, 151, 209, 325, 154, 270, 107, 547, 386, 166, 305, 276, 56, 114, 537, 155, 271, 329, 769, 109, 549, 387, 80, 520, 167, 578, 225, 196, 278, 115, 170, 157, 60, 579, 389, 292, 553, 279, 198, 524, 337, 171, 117, 88, 282, 62, 178, 581, 294, 199, 393, 526, 173, 144, 283, 202, 642, 63, 121, 561, 92, 532, 179, 295, 353, 324, 104, 527, 585, 298, 203, 643, 285, 401, 94, 534, 181, 152, 210, 326, 299, 205, 108, 645, 548, 95, 535, 593, 306, 211, 538, 327, 185, 156, 301, 272, 330, 770, 417, 110, 550, 388, 168, 307, 226, 649, 213, 116, 539, 158, 331, 771, 111, 551, 609, 580, 390, 227, 309, 554, 280, 338, 172, 118, 541, 159, 217, 657, 333, 773, 391, 449, 582, 229, 555, 200, 339, 394, 119, 174, 313, 284, 64, 122, 562, 180, 583, 296, 354, 777, 557, 395, 528, 341, 175, 586, 233, 673, 204, 644, 286, 123, 563, 402, 182, 355, 587, 397, 300, 287, 206, 646, 345, 785, 125, 565, 403, 96, 536, 183, 594, 241, 212, 357, 328, 186, 589, 302, 207, 647, 705, 418, 595, 405, 308, 650, 569, 214, 540, 187, 303, 361, 801, 332, 772, 419, 112, 552, 610, 228, 651, 597, 310, 215, 409, 542, 189, 160, 218, 658, 334, 774, 611, 421, 392, 450, 311, 230, 653, 556, 369, 340, 120, 543, 601, 314, 219, 659, 335, 775, 833, 613, 451, 584, 231, 778, 425, 558, 396, 342, 176, 315, 234, 674, 221, 124, 661, 564, 453, 356, 779, 559, 617, 343, 588, 398, 235, 675, 317, 288, 346, 786, 433, 126, 566, 404, 184, 242, 665, 358, 781, 399, 457, 897, 590, 237, 677, 208, 648, 347, 787, 706, 127, 567, 625, 596, 406, 243, 570, 359, 188, 591, 304, 362, 802, 707, 420, 349, 789, 681, 407, 652, 465, 598, 245, 571, 216, 410, 190, 363, 803, 709, 612, 422, 599, 312, 654, 370, 793, 573, 411, 544, 191, 602, 249, 689, 220, 660, 365, 805, 336, 776, 423, 834, 481, 614, 452, 232, 655, 371, 713, 426, 603, 413, 316, 222, 662, 835, 615, 809, 454, 780, 427, 560, 373, 618, 344, 236, 676, 605, 318, 223, 663, 721, 434, 837, 666, 455, 782, 619, 429, 400, 458, 898, 319, 238, 678, 377, 817, 348, 788, 435, 128, 568, 626, 244, 667, 360, 783, 841, 621, 459, 899, 592, 239, 679, 737, 708, 350, 790, 627, 437, 682, 408, 466, 246, 669, 572, 461, 364, 901, 804, 351, 791, 710, 849, 683, 629, 467, 600, 247, 794, 441, 574, 412, 192, 250, 690, 366, 806, 711, 424, 482, 905, 685, 656, 469, 372, 795, 714, 575, 633, 604, 414, 251, 691, 367, 807, 865, 836, 483, 616, 810, 715, 428, 374, 797, 415, 473, 913, 606, 253, 693, 224, 664, 722, 838, 485, 811, 456, 375, 717, 620, 430, 607, 320, 378, 818, 723, 436, 839, 697, 668, 813, 784, 431, 842, 489, 929, 622, 460, 900, 240, 680, 379, 819, 738, 725, 628, 438, 670, 843, 623, 462, 902, 739, 381, 821, 352, 792, 439, 850, 684, 497, 630, 468, 248, 671, 729, 442, 845, 463, 903, 961, 741, 712, 851, 906, 631, 686, 825, 470, 796, 443, 576, 634, 252, 692, 368, 808, 866, 484, 907, 853, 687, 745, 471, 716, 798, 635, 445, 416, 474, 914, 254, 694, 867, 486, 909, 812, 376, 799, 718, 857, 637, 475, 915, 608, 255, 695, 753, 724, 869, 840, 698, 487, 814, 719, 432, 490, 930, 477, 380, 917, 820, 726, 699, 815, 873, 844, 491, 931, 624, 740, 382, 822, 727, 440, 498, 921, 701, 672, 730, 846, 493, 933, 464, 904, 962, 383, 823, 742, 881, 852, 499, 632, 826, 731, 444, 847, 963, 743, 937, 908, 854, 688, 501, 827, 746, 472, 733, 636, 446, 965, 868, 855, 910, 747, 829, 800, 447, 858, 505, 945, 638, 476, 916, 256, 696, 754, 870, 488, 911, 969, 749, 720, 859, 639, 478, 918, 755, 871, 700, 816, 874, 492, 932, 861, 479, 919, 977, 757, 728, 922, 702, 875, 494, 934, 384, 824, 882, 500, 923, 703, 761, 732, 877, 848, 495, 935, 993, 964, 744, 883, 938, 502, 925, 828, 734, 966, 939, 885, 856, 503, 748, 830, 735, 448, 506, 946, 967, 941, 912, 970, 831, 750, 889, 860, 507, 947, 640, 756, 872, 971, 751, 862, 509, 949, 480, 920, 978, 758, 973, 876, 863, 979, 759, 953, 924, 704, 762, 878, 496, 936, 994, 981, 884, 926, 763, 879, 995, 940, 886, 504, 927, 985, 765, 736, 997, 968, 887, 942, 832, 890, 508, 948, 943, 1001, 972, 752, 891, 510, 950, 974, 893, 864, 511, 951, 1009, 980, 760, 954, 975, 982, 955, 764, 880, 996, 983, 957, 928, 986, 766, 998, 888, 987, 767, 999, 944, 1002, 989, 892, 1003, 894, 512, 952, 1010, 1005, 976, 895, 1011, 956, 1013, 984, 958, 959, 1017, 988, 768, 1000, 990, 1004, 991, 1006, 896, 1012, 1007, 1014, 1015, 960, 1018, 1019, 1021, 992, 1008, 1016, 1020, 1022, 1023, 1024]
シーケンスS9:[1, 2, 3, 5, 9, 17, 33, 4, 6, 65, 7, 10, 11, 129, 18, 13, 19, 34, 257, 21, 35, 25, 66, 37, 67, 513, 8, 41, 130, 12, 69, 49, 14, 131, 20, 15, 73, 258, 22, 133, 23, 81, 36, 259, 26, 137, 97, 261, 38, 145, 27, 514, 39, 515, 265, 68, 29, 42, 161, 43, 45, 517, 50, 70, 273, 193, 521, 529, 16, 71, 132, 74, 51, 289, 545, 24, 75, 53, 134, 82, 321, 77, 135, 28, 57, 83, 138, 260, 40, 98, 385, 30, 85, 139, 262, 146, 31, 99, 516, 44, 89, 141, 263, 147, 101, 266, 72, 46, 162, 518, 577, 519, 52, 149, 522, 47, 105, 267, 163, 274, 523, 641, 76, 54, 153, 113, 269, 194, 165, 275, 78, 55, 530, 525, 531, 136, 58, 84, 195, 290, 79, 169, 277, 59, 86, 61, 87, 140, 100, 197, 90, 291, 281, 546, 769, 142, 177, 91, 102, 148, 143, 533, 547, 537, 32, 103, 264, 48, 322, 293, 201, 323, 578, 150, 297, 93, 106, 209, 549, 579, 268, 386, 325, 305, 164, 151, 56, 107, 154, 225, 387, 329, 270, 114, 520, 553, 642, 80, 166, 109, 155, 276, 60, 271, 115, 167, 524, 581, 561, 88, 196, 62, 157, 170, 278, 292, 279, 198, 171, 117, 178, 282, 526, 643, 532, 527, 92, 63, 585, 770, 144, 389, 294, 199, 104, 337, 173, 283, 202, 121, 179, 295, 94, 534, 645, 535, 593, 548, 771, 152, 324, 393, 298, 203, 108, 285, 181, 210, 538, 95, 205, 299, 353, 649, 609, 326, 185, 211, 401, 306, 301, 110, 156, 327, 116, 111, 773, 550, 657, 539, 551, 168, 213, 307, 330, 158, 226, 118, 172, 331, 227, 388, 309, 217, 417, 338, 159, 777, 272, 580, 119, 541, 554, 280, 333, 390, 174, 122, 200, 180, 229, 339, 313, 391, 175, 394, 284, 123, 233, 341, 449, 354, 395, 204, 182, 673, 555, 557, 562, 582, 296, 286, 125, 183, 206, 785, 705, 64, 287, 528, 583, 644, 586, 563, 300, 355, 186, 402, 212, 397, 345, 207, 302, 801, 96, 187, 241, 536, 587, 565, 646, 594, 328, 403, 214, 357, 308, 303, 833, 589, 647, 112, 540, 569, 595, 650, 772, 160, 418, 332, 228, 405, 310, 215, 552, 610, 897, 120, 189, 361, 419, 409, 369, 218, 450, 421, 542, 597, 651, 774, 658, 311, 230, 334, 219, 543, 611, 176, 392, 124, 314, 231, 340, 335, 221, 451, 425, 315, 556, 601, 653, 234, 775, 659, 613, 126, 288, 184, 342, 396, 356, 778, 584, 558, 674, 343, 235, 564, 661, 559, 617, 779, 675, 398, 317, 346, 242, 208, 404, 358, 188, 237, 786, 127, 588, 566, 665, 625, 781, 304, 453, 433, 243, 347, 706, 399, 677, 787, 590, 567, 648, 216, 406, 359, 570, 596, 362, 707, 190, 457, 349, 420, 802, 407, 245, 410, 363, 591, 681, 789, 571, 598, 220, 573, 422, 370, 599, 652, 612, 709, 602, 803, 312, 793, 191, 411, 654, 689, 603, 232, 249, 365, 465, 336, 423, 614, 660, 655, 316, 222, 371, 426, 452, 413, 236, 223, 344, 373, 427, 544, 481, 615, 454, 776, 318, 238, 434, 560, 834, 805, 713, 835, 662, 809, 605, 618, 721, 780, 348, 898, 319, 455, 837, 817, 676, 663, 244, 429, 400, 360, 239, 377, 458, 435, 350, 568, 619, 666, 737, 899, 841, 782, 626, 246, 459, 408, 592, 678, 621, 667, 788, 572, 783, 627, 679, 128, 364, 351, 247, 437, 466, 412, 461, 250, 366, 467, 600, 708, 574, 669, 682, 790, 804, 791, 710, 683, 629, 424, 690, 794, 604, 575, 192, 372, 441, 251, 414, 367, 469, 482, 374, 656, 901, 806, 711, 428, 415, 253, 616, 849, 685, 795, 714, 633, 691, 807, 606, 224, 375, 483, 664, 836, 905, 810, 715, 620, 797, 693, 430, 456, 473, 378, 722, 607, 717, 811, 865, 838, 697, 723, 913, 818, 436, 320, 813, 240, 622, 431, 485, 460, 379, 668, 839, 438, 489, 628, 623, 462, 381, 439, 352, 248, 680, 725, 819, 842, 670, 738, 630, 468, 442, 252, 463, 497, 443, 368, 684, 843, 739, 900, 821, 729, 929, 850, 671, 784, 631, 792, 845, 902, 686, 470, 634, 712, 471, 692, 741, 851, 825, 903, 687, 416, 484, 254, 445, 376, 474, 906, 796, 486, 635, 745, 853, 961, 866, 907, 716, 694, 808, 475, 798, 637, 695, 432, 718, 576, 799, 812, 867, 380, 487, 698, 914, 255, 724, 909, 857, 719, 477, 814, 608, 490, 699, 753, 840, 915, 726, 869, 820, 815, 440, 491, 624, 382, 464, 383, 498, 672, 930, 844, 740, 917, 822, 727, 632, 701, 873, 931, 921, 881, 730, 444, 493, 499, 446, 472, 962, 933, 823, 742, 846, 731, 447, 688, 904, 636, 826, 743, 852, 847, 733, 963, 937, 827, 746, 476, 501, 638, 488, 505, 800, 696, 854, 908, 868, 855, 747, 910, 829, 858, 754, 720, 916, 870, 700, 749, 639, 816, 965, 945, 755, 859, 911, 256, 478, 492, 479, 728, 918, 871, 494, 874, 702, 969, 500, 861, 495, 932, 919, 757, 922, 875, 732, 934, 882, 824, 703, 502, 923, 384, 744, 761, 877, 977, 848, 935, 828, 734, 883, 938, 964, 925, 748, 735, 856, 885, 939, 993, 448, 503, 506, 966, 507, 830, 750, 946, 860, 831, 967, 756, 941, 912, 872, 751, 889, 480, 970, 947, 862, 758, 971, 509, 920, 640, 876, 863, 759, 949, 978, 924, 973, 762, 878, 979, 496, 936, 704, 884, 953, 763, 504, 926, 879, 981, 994, 886, 940, 927, 765, 736, 887, 995, 942, 968, 985, 508, 890, 948, 832, 752, 943, 997, 972, 891, 950, 1001, 974, 893, 510, 951, 864, 760, 511, 980, 954, 764, 975, 1009, 955, 880, 982, 983, 928, 996, 766, 957, 888, 986, 998, 987, 944, 892, 999, 767, 989, 1002, 952, 1003, 894, 976, 895, 1010, 956, 1005, 1011, 958, 984, 959, 988, 1013, 1000, 1017, 512, 768, 990, 1004, 991, 1006, 1012, 1007, 1014, 896, 960, 1015, 1018, 1019, 992, 1021, 1008, 1016, 1020, 1022, 1023, 1024]
シーケンスS10:[1, 2, 3, 5, 9, 17, 33, 4, 257, 513, 6, 65, 7, 10, 11, 18, 129, 13, 19, 34, 21, 35, 25, 37, 66, 258, 8, 67, 41, 12, 69, 130, 514, 14, 49, 20, 73, 131, 15, 259, 22, 133, 36, 81, 23, 26, 137, 38, 27, 515, 261, 97, 39, 68, 42, 145, 29, 70, 43, 265, 50, 71, 161, 517, 45, 74, 132, 273, 16, 51, 75, 134, 53, 82, 289, 521, 24, 193, 77, 135, 83, 138, 260, 57, 28, 98, 529, 139, 262, 40, 85, 146, 30, 99, 321, 545, 141, 44, 89, 147, 263, 31, 101, 72, 516, 162, 266, 46, 149, 52, 105, 267, 769, 163, 47, 76, 274, 153, 54, 165, 518, 194, 385, 78, 113, 136, 269, 577, 55, 84, 58, 275, 195, 79, 519, 169, 290, 140, 86, 59, 277, 522, 197, 100, 291, 87, 142, 523, 177, 281, 61, 90, 293, 148, 530, 32, 201, 322, 102, 143, 641, 264, 91, 150, 323, 525, 103, 106, 164, 297, 209, 531, 48, 268, 93, 151, 546, 325, 154, 107, 386, 533, 166, 114, 270, 155, 56, 547, 305, 225, 109, 537, 276, 167, 196, 329, 549, 80, 115, 387, 170, 578, 271, 157, 60, 278, 770, 198, 171, 389, 520, 117, 292, 88, 178, 579, 337, 62, 199, 553, 279, 173, 282, 202, 524, 121, 393, 144, 581, 294, 179, 283, 642, 63, 92, 353, 526, 203, 295, 104, 561, 181, 324, 210, 532, 298, 94, 401, 585, 152, 205, 285, 643, 108, 326, 211, 527, 299, 95, 771, 306, 185, 156, 534, 327, 226, 417, 645, 110, 301, 548, 168, 330, 213, 593, 388, 116, 535, 272, 158, 307, 538, 227, 111, 649, 331, 172, 390, 550, 217, 309, 539, 118, 338, 773, 159, 280, 609, 229, 449, 200, 551, 333, 119, 580, 391, 174, 554, 122, 180, 657, 339, 64, 541, 394, 233, 582, 313, 175, 284, 555, 204, 354, 777, 123, 395, 562, 182, 296, 583, 341, 673, 206, 402, 557, 241, 286, 586, 125, 355, 644, 183, 397, 785, 212, 300, 528, 96, 345, 563, 186, 403, 587, 207, 646, 287, 357, 565, 214, 328, 594, 187, 801, 418, 228, 536, 302, 112, 705, 405, 589, 308, 215, 647, 361, 189, 595, 419, 650, 218, 303, 772, 332, 160, 569, 409, 540, 230, 310, 610, 421, 651, 219, 450, 774, 120, 552, 334, 231, 597, 369, 658, 392, 542, 234, 311, 611, 340, 833, 176, 314, 653, 221, 556, 451, 335, 601, 124, 659, 425, 775, 235, 396, 543, 342, 613, 242, 584, 315, 674, 453, 126, 778, 356, 558, 343, 661, 184, 398, 564, 237, 617, 433, 779, 317, 675, 208, 346, 559, 404, 588, 243, 786, 288, 665, 457, 566, 127, 677, 358, 399, 706, 188, 897, 347, 590, 406, 625, 245, 648, 359, 781, 362, 567, 216, 596, 420, 570, 465, 190, 787, 304, 707, 349, 591, 407, 681, 249, 802, 410, 652, 363, 598, 191, 571, 422, 789, 370, 709, 220, 612, 411, 803, 312, 599, 481, 654, 232, 689, 365, 793, 423, 222, 452, 573, 336, 602, 371, 805, 236, 660, 426, 544, 413, 713, 316, 834, 223, 614, 454, 655, 427, 776, 238, 603, 373, 662, 344, 835, 434, 615, 244, 618, 676, 318, 809, 455, 721, 429, 560, 128, 780, 458, 605, 377, 663, 400, 837, 435, 666, 239, 619, 319, 898, 678, 348, 626, 459, 782, 246, 667, 360, 568, 437, 817, 737, 466, 621, 247, 788, 350, 679, 408, 708, 461, 841, 592, 364, 627, 250, 899, 467, 682, 783, 351, 669, 441, 572, 412, 790, 192, 710, 683, 482, 901, 366, 629, 804, 424, 600, 469, 690, 251, 849, 574, 372, 711, 414, 791, 685, 483, 794, 367, 714, 428, 633, 905, 253, 656, 473, 806, 691, 374, 795, 415, 575, 604, 485, 865, 715, 224, 807, 456, 616, 693, 375, 836, 430, 722, 810, 378, 606, 913, 436, 664, 320, 717, 797, 240, 620, 838, 489, 723, 431, 811, 607, 460, 818, 697, 379, 668, 839, 438, 738, 462, 929, 622, 248, 813, 680, 497, 842, 725, 381, 900, 628, 439, 784, 670, 468, 819, 739, 352, 623, 442, 843, 684, 252, 902, 729, 463, 821, 630, 850, 470, 671, 792, 443, 741, 961, 484, 712, 845, 368, 631, 903, 471, 686, 634, 445, 692, 851, 474, 576, 906, 745, 254, 825, 687, 416, 796, 716, 486, 866, 635, 907, 475, 694, 808, 376, 853, 718, 487, 914, 753, 798, 490, 637, 867, 432, 695, 909, 724, 477, 812, 608, 380, 857, 698, 915, 255, 719, 799, 869, 491, 726, 840, 699, 498, 930, 740, 382, 814, 624, 917, 440, 820, 727, 873, 493, 701, 931, 730, 464, 815, 844, 672, 499, 921, 742, 822, 383, 933, 731, 962, 444, 632, 846, 743, 881, 501, 904, 746, 823, 472, 852, 688, 826, 446, 733, 963, 847, 636, 256, 937, 747, 908, 505, 854, 754, 827, 965, 447, 638, 868, 855, 696, 476, 910, 749, 945, 829, 488, 720, 858, 916, 478, 755, 800, 969, 639, 870, 492, 911, 700, 859, 918, 479, 757, 871, 874, 728, 494, 932, 977, 702, 816, 861, 500, 919, 761, 922, 875, 703, 384, 934, 882, 732, 923, 495, 824, 993, 744, 877, 935, 734, 502, 964, 848, 883, 748, 938, 503, 925, 828, 735, 966, 939, 750, 506, 885, 856, 946, 756, 830, 967, 448, 941, 640, 970, 889, 912, 947, 507, 751, 831, 860, 971, 758, 872, 949, 509, 978, 759, 862, 920, 973, 876, 762, 480, 979, 863, 953, 924, 704, 994, 878, 936, 496, 981, 763, 884, 926, 995, 879, 940, 765, 504, 985, 886, 927, 997, 736, 968, 887, 942, 890, 948, 508, 832, 752, 1001, 943, 972, 891, 950, 974, 760, 1009, 893, 510, 951, 980, 864, 954, 764, 975, 982, 955, 996, 880, 983, 957, 986, 511, 766, 928, 998, 987, 888, 999, 1002, 944, 989, 892, 767, 1003, 1010, 894, 952, 1005, 976, 512, 1011, 895, 956, 1013, 984, 958, 768, 1017, 959, 988, 1000, 990, 1004, 991, 1006, 1012, 896, 1007, 1014, 1015, 1018, 960, 1019, 1021, 992, 1008, 1016, 1020, 1022, 1023, 1024]
シーケンスS11:[1, 2, 3, 5, 9, 17, 4, 33, 6, 7, 65, 10, 11, 18, 13, 19, 129, 34, 21, 35, 25, 8, 37, 66, 257, 67, 12, 41, 69, 14, 20, 49, 130, 15, 73, 131, 22, 513, 36, 23, 133, 81, 26, 38, 27, 258, 137, 39, 68, 97, 42, 259, 29, 145, 43, 70, 261, 50, 71, 16, 45, 74, 51, 265, 132, 161, 514, 75, 24, 53, 134, 82, 515, 273, 77, 135, 83, 28, 57, 193, 138, 517, 40, 98, 85, 260, 139, 30, 289, 521, 146, 99, 44, 31, 262, 141, 89, 147, 72, 101, 46, 263, 529, 321, 52, 266, 162, 149, 47, 76, 105, 267, 163, 54, 516, 274, 153, 545, 78, 55, 269, 136, 165, 84, 113, 58, 194, 275, 518, 385, 79, 59, 195, 86, 140, 290, 169, 519, 277, 577, 522, 100, 87, 32, 291, 61, 197, 142, 90, 523, 281, 148, 177, 102, 264, 143, 293, 530, 91, 322, 201, 525, 150, 103, 48, 531, 106, 641, 323, 93, 268, 297, 164, 151, 209, 154, 546, 107, 533, 325, 56, 270, 166, 114, 276, 155, 547, 305, 386, 80, 109, 271, 537, 167, 115, 329, 60, 196, 225, 170, 520, 387, 278, 157, 549, 578, 769, 88, 117, 292, 171, 62, 198, 279, 389, 579, 337, 524, 282, 553, 178, 63, 199, 144, 294, 173, 92, 121, 202, 283, 581, 526, 179, 393, 104, 295, 532, 561, 642, 324, 203, 94, 353, 298, 527, 285, 152, 181, 585, 210, 108, 643, 534, 401, 95, 299, 326, 205, 211, 156, 548, 306, 185, 535, 110, 645, 327, 272, 593, 301, 538, 168, 116, 330, 226, 307, 213, 388, 158, 550, 417, 111, 539, 770, 649, 331, 227, 118, 172, 280, 159, 551, 309, 390, 580, 338, 217, 609, 554, 771, 541, 119, 333, 64, 200, 229, 174, 391, 122, 657, 339, 284, 555, 313, 582, 449, 180, 394, 773, 296, 175, 562, 123, 204, 354, 233, 583, 341, 528, 395, 286, 557, 182, 586, 563, 777, 644, 402, 96, 673, 355, 125, 300, 206, 287, 183, 397, 587, 345, 212, 241, 186, 536, 403, 565, 646, 328, 207, 357, 594, 302, 785, 589, 308, 187, 214, 418, 112, 647, 405, 595, 303, 540, 569, 705, 650, 332, 361, 228, 215, 160, 552, 419, 310, 189, 218, 610, 597, 772, 651, 542, 409, 801, 120, 334, 230, 311, 392, 421, 658, 340, 219, 611, 369, 556, 314, 450, 543, 774, 653, 335, 601, 231, 176, 124, 659, 234, 315, 584, 451, 342, 221, 613, 396, 558, 425, 775, 833, 564, 778, 674, 356, 235, 126, 661, 343, 288, 559, 317, 453, 184, 398, 588, 346, 617, 242, 779, 404, 675, 566, 433, 127, 208, 358, 237, 399, 786, 665, 347, 590, 243, 457, 188, 567, 781, 648, 406, 677, 359, 596, 304, 625, 570, 706, 787, 362, 897, 591, 349, 216, 245, 420, 190, 407, 571, 707, 598, 465, 652, 410, 802, 681, 363, 789, 312, 191, 422, 220, 612, 370, 249, 599, 544, 411, 803, 573, 709, 654, 336, 365, 602, 232, 793, 423, 660, 689, 371, 316, 452, 222, 614, 481, 426, 776, 655, 413, 805, 603, 834, 713, 236, 662, 344, 223, 615, 373, 560, 427, 318, 454, 618, 835, 605, 780, 809, 676, 434, 128, 663, 238, 319, 455, 400, 721, 429, 666, 348, 619, 377, 244, 458, 837, 568, 782, 435, 678, 360, 239, 626, 788, 667, 817, 898, 592, 459, 350, 621, 246, 783, 408, 679, 437, 627, 841, 572, 708, 466, 737, 682, 364, 899, 790, 669, 351, 247, 461, 192, 250, 600, 467, 629, 412, 804, 683, 574, 441, 710, 791, 366, 901, 849, 794, 424, 690, 372, 251, 482, 575, 711, 469, 656, 414, 806, 685, 367, 604, 633, 714, 795, 691, 905, 224, 616, 483, 374, 253, 428, 415, 807, 836, 715, 606, 473, 865, 810, 797, 664, 693, 375, 320, 456, 485, 722, 430, 620, 378, 913, 607, 811, 838, 717, 436, 240, 723, 431, 668, 818, 697, 379, 460, 622, 489, 839, 784, 813, 680, 438, 628, 842, 738, 819, 725, 900, 670, 352, 929, 623, 381, 248, 462, 439, 843, 468, 739, 630, 497, 684, 442, 792, 671, 821, 902, 463, 850, 729, 252, 631, 845, 576, 443, 712, 470, 741, 686, 368, 903, 634, 851, 796, 825, 961, 692, 906, 484, 254, 471, 416, 808, 687, 445, 635, 716, 474, 866, 745, 853, 907, 798, 694, 376, 255, 486, 914, 608, 475, 867, 637, 812, 718, 799, 695, 909, 857, 487, 724, 432, 753, 698, 380, 915, 490, 840, 719, 477, 869, 814, 820, 699, 726, 930, 624, 491, 382, 917, 815, 440, 844, 873, 740, 498, 727, 672, 931, 822, 701, 383, 464, 493, 730, 921, 632, 846, 499, 444, 742, 823, 904, 933, 852, 731, 881, 826, 962, 847, 472, 743, 501, 688, 446, 636, 746, 827, 963, 854, 733, 908, 937, 256, 447, 476, 868, 747, 638, 505, 855, 800, 829, 965, 696, 910, 858, 488, 754, 916, 945, 639, 720, 478, 870, 749, 911, 859, 755, 969, 700, 492, 918, 479, 871, 816, 874, 861, 728, 757, 932, 702, 384, 919, 494, 977, 922, 875, 500, 824, 703, 934, 495, 732, 882, 761, 923, 848, 877, 744, 502, 935, 883, 828, 964, 734, 993, 938, 925, 503, 448, 748, 506, 856, 735, 885, 939, 830, 966, 946, 640, 507, 750, 831, 967, 912, 941, 860, 889, 756, 970, 947, 480, 872, 751, 509, 971, 862, 758, 920, 949, 978, 876, 863, 759, 973, 704, 496, 762, 979, 924, 953, 878, 936, 884, 763, 994, 981, 926, 879, 504, 736, 995, 886, 765, 940, 927, 985, 508, 887, 832, 968, 997, 942, 890, 948, 752, 510, 943, 891, 972, 1001, 950, 511, 864, 893, 760, 974, 951, 980, 1009, 954, 975, 764, 955, 982, 880, 996, 766, 983, 928, 957, 986, 888, 767, 998, 987, 999, 944, 892, 1002, 989, 512, 1003, 894, 952, 1010, 895, 976, 1005, 1011, 956, 984, 1013, 958, 768, 959, 988, 1017, 1000, 990, 1004, 991, 896, 1006, 1012, 1007, 1014, 1015, 960, 1018, 1019, 992, 1021, 1008, 1016, 1020, 1022, 1023, 1024]
シーケンスS12:[1, 2, 3, 5, 9, 17, 4, 33, 6, 7, 10, 65, 11, 18, 13, 19, 129, 21, 34, 35, 25, 8, 37, 66, 257, 12, 67, 41, 14, 69, 20, 49, 15, 130, 73, 22, 131, 23, 36, 513, 133, 26, 81, 38, 27, 137, 39, 258, 29, 68, 42, 97, 259, 43, 145, 70, 261, 50, 16, 71, 45, 74, 51, 265, 132, 161, 75, 24, 53, 514, 134, 82, 77, 515, 273, 135, 28, 83, 57, 138, 40, 193, 517, 30, 85, 98, 139, 260, 289, 31, 44, 521, 99, 146, 141, 89, 262, 147, 72, 46, 101, 263, 52, 529, 47, 266, 149, 321, 162, 76, 105, 54, 267, 163, 153, 78, 55, 516, 274, 545, 269, 136, 84, 165, 58, 113, 79, 275, 194, 518, 59, 385, 86, 140, 195, 169, 519, 277, 290, 32, 87, 61, 522, 100, 577, 142, 291, 197, 90, 523, 281, 148, 177, 102, 143, 91, 264, 293, 530, 48, 201, 525, 103, 150, 322, 93, 531, 106, 268, 151, 323, 297, 164, 641, 107, 154, 56, 209, 533, 546, 270, 325, 166, 114, 155, 80, 276, 109, 547, 305, 271, 167, 60, 386, 537, 115, 157, 329, 196, 170, 520, 278, 225, 549, 387, 88, 62, 117, 578, 171, 279, 292, 198, 769, 63, 524, 389, 282, 579, 337, 553, 178, 144, 199, 92, 173, 121, 294, 283, 202, 526, 179, 104, 581, 393, 295, 94, 532, 203, 561, 527, 285, 152, 324, 298, 181, 353, 642, 95, 108, 585, 210, 534, 299, 205, 643, 401, 326, 156, 211, 185, 535, 110, 548, 306, 272, 327, 301, 168, 645, 538, 116, 593, 111, 158, 330, 307, 213, 226, 550, 388, 539, 417, 118, 159, 331, 172, 280, 649, 227, 551, 309, 770, 64, 217, 390, 541, 119, 580, 338, 554, 609, 333, 200, 771, 174, 229, 122, 391, 284, 339, 555, 313, 180, 657, 582, 175, 394, 123, 296, 449, 773, 204, 562, 528, 286, 233, 583, 341, 557, 182, 354, 395, 96, 125, 586, 563, 287, 300, 206, 777, 183, 355, 644, 402, 673, 397, 587, 345, 212, 186, 536, 241, 207, 565, 403, 328, 302, 357, 646, 594, 187, 112, 589, 308, 214, 785, 303, 647, 540, 405, 418, 595, 569, 160, 332, 215, 189, 361, 650, 228, 552, 310, 705, 419, 218, 542, 120, 597, 610, 651, 409, 334, 311, 772, 230, 801, 219, 392, 543, 340, 556, 421, 314, 611, 369, 658, 335, 176, 653, 231, 124, 450, 601, 774, 315, 221, 659, 234, 584, 342, 558, 396, 613, 451, 425, 775, 126, 564, 288, 235, 343, 559, 317, 778, 184, 356, 661, 833, 674, 398, 127, 588, 453, 346, 617, 242, 208, 566, 779, 404, 237, 675, 433, 358, 399, 347, 188, 665, 590, 243, 567, 786, 304, 457, 781, 359, 648, 406, 596, 677, 570, 625, 591, 349, 216, 787, 190, 362, 245, 706, 407, 420, 571, 897, 598, 191, 363, 652, 410, 312, 707, 465, 681, 789, 802, 220, 544, 249, 422, 599, 573, 612, 370, 411, 336, 365, 654, 232, 803, 709, 602, 423, 316, 222, 793, 371, 660, 689, 614, 655, 413, 452, 426, 603, 776, 481, 805, 223, 236, 344, 560, 318, 713, 615, 373, 662, 834, 427, 128, 454, 605, 618, 319, 780, 663, 835, 238, 809, 676, 434, 400, 455, 348, 429, 619, 377, 666, 244, 568, 721, 239, 458, 782, 435, 360, 837, 678, 626, 667, 592, 350, 788, 621, 246, 459, 817, 783, 408, 679, 572, 437, 898, 627, 351, 192, 364, 669, 841, 247, 708, 466, 682, 790, 737, 461, 899, 250, 600, 574, 412, 629, 467, 683, 441, 791, 366, 804, 710, 251, 424, 575, 901, 794, 372, 849, 690, 367, 656, 414, 711, 604, 469, 685, 482, 633, 806, 224, 795, 253, 714, 691, 616, 374, 415, 428, 905, 483, 807, 606, 320, 715, 473, 797, 375, 664, 836, 810, 693, 865, 456, 430, 607, 620, 485, 378, 722, 240, 811, 717, 436, 913, 838, 431, 379, 668, 723, 697, 622, 460, 818, 784, 489, 839, 813, 680, 438, 628, 352, 623, 381, 670, 842, 248, 819, 725, 738, 462, 439, 900, 929, 630, 671, 843, 468, 684, 442, 792, 739, 497, 463, 821, 252, 576, 729, 902, 631, 850, 443, 368, 845, 712, 470, 686, 741, 634, 903, 796, 851, 254, 825, 692, 416, 471, 687, 445, 906, 484, 635, 808, 961, 255, 716, 474, 798, 376, 745, 853, 694, 866, 907, 608, 486, 637, 475, 799, 812, 718, 695, 867, 914, 432, 909, 487, 380, 857, 724, 698, 753, 719, 477, 915, 490, 840, 814, 869, 699, 624, 382, 820, 726, 491, 815, 440, 917, 930, 383, 672, 844, 727, 701, 873, 740, 498, 464, 822, 493, 931, 730, 632, 444, 921, 846, 499, 823, 742, 731, 904, 852, 933, 826, 881, 847, 472, 688, 446, 743, 636, 501, 962, 256, 827, 733, 746, 854, 447, 908, 963, 937, 638, 476, 800, 747, 505, 855, 829, 696, 868, 910, 488, 639, 965, 858, 754, 720, 478, 916, 749, 945, 870, 911, 859, 700, 755, 479, 492, 816, 969, 871, 918, 384, 861, 728, 702, 874, 757, 919, 494, 932, 703, 875, 922, 500, 824, 977, 495, 732, 761, 934, 882, 923, 848, 877, 744, 502, 935, 828, 734, 883, 448, 925, 503, 964, 938, 993, 735, 748, 506, 856, 830, 885, 939, 640, 966, 507, 831, 750, 946, 912, 967, 860, 941, 889, 756, 480, 751, 509, 970, 947, 872, 862, 758, 971, 920, 949, 863, 704, 876, 759, 978, 496, 973, 762, 924, 979, 953, 878, 763, 936, 884, 879, 926, 504, 981, 994, 736, 765, 886, 927, 940, 995, 508, 832, 985, 887, 968, 942, 997, 890, 752, 510, 948, 943, 891, 511, 972, 1001, 950, 864, 893, 760, 974, 951, 980, 954, 1009, 975, 764, 955, 880, 982, 766, 928, 983, 957, 996, 767, 986, 888, 998, 987, 944, 999, 892, 512, 989, 1002, 894, 1003, 952, 895, 1010, 976, 1005, 956, 1011, 984, 958, 1013, 768, 959, 988, 1017, 1000, 990, 991, 1004, 896, 1006, 1012, 1007, 1014, 960, 1015, 1018, 1019, 992, 1021, 1008, 1016, 1020, 1022, 1023, 1024]
シーケンスS13:[1, 2, 3, 5, 9, 17, 33, 4, 6, 513, 65, 7, 10, 11, 129, 18, 13, 19, 34, 257, 21, 35, 25, 66, 37, 67, 8, 41, 130, 12, 69, 49, 514, 14, 131, 20, 15, 73, 258, 22, 133, 23, 81, 36, 259, 26, 137, 97, 261, 515, 38, 145, 27, 39, 265, 68, 29, 42, 161, 43, 45, 50, 70, 517, 273, 193, 16, 71, 132, 74, 51, 289, 24, 75, 53, 521, 134, 82, 321, 77, 135, 28, 57, 83, 138, 260, 529, 40, 98, 385, 30, 85, 139, 262, 146, 545, 31, 99, 44, 89, 141, 263, 147, 101, 516, 266, 72, 46, 162, 52, 149, 47, 518, 105, 267, 163, 274, 76, 54, 153, 577, 113, 269, 194, 165, 275, 78, 519, 55, 136, 58, 84, 195, 290, 522, 79, 169, 277, 59, 86, 61, 523, 87, 140, 100, 197, 90, 641, 291, 281, 142, 177, 91, 102, 530, 148, 143, 32, 103, 264, 525, 48, 322, 293, 201, 531, 323, 150, 297, 93, 106, 546, 209, 268, 386, 325, 769, 305, 164, 151, 56, 533, 107, 154, 225, 387, 329, 547, 270, 114, 80, 537, 166, 109, 155, 276, 578, 60, 271, 115, 167, 549, 88, 196, 62, 157, 579, 170, 278, 292, 520, 279, 198, 171, 117, 553, 178, 282, 92, 642, 63, 144, 389, 294, 524, 199, 104, 337, 581, 173, 283, 202, 561, 121, 179, 295, 526, 94, 152, 324, 643, 393, 298, 203, 532, 108, 285, 181, 527, 210, 95, 205, 585, 299, 353, 326, 770, 185, 211, 534, 401, 306, 301, 645, 110, 156, 327, 535, 116, 111, 593, 168, 213, 307, 548, 330, 158, 771, 226, 118, 172, 538, 331, 227, 649, 388, 309, 217, 609, 417, 338, 773, 159, 272, 550, 119, 280, 657, 333, 390, 174, 539, 122, 200, 551, 180, 229, 777, 339, 313, 580, 391, 175, 541, 394, 284, 554, 123, 233, 341, 673, 449, 354, 555, 395, 204, 557, 182, 296, 562, 286, 582, 125, 183, 785, 206, 64, 705, 287, 300, 528, 355, 186, 583, 402, 212, 644, 397, 345, 586, 207, 302, 563, 96, 801, 187, 241, 536, 328, 403, 587, 214, 565, 357, 308, 646, 303, 112, 594, 160, 833, 418, 332, 589, 228, 405, 647, 310, 540, 215, 120, 569, 189, 361, 595, 419, 650, 409, 369, 772, 218, 552, 450, 421, 610, 311, 897, 230, 334, 542, 219, 597, 176, 651, 392, 124, 774, 314, 658, 231, 340, 543, 335, 611, 221, 451, 556, 425, 601, 315, 653, 234, 126, 775, 288, 659, 184, 613, 342, 778, 396, 356, 584, 343, 558, 235, 674, 398, 317, 564, 346, 661, 242, 559, 208, 617, 404, 358, 779, 188, 675, 237, 786, 127, 588, 304, 566, 453, 665, 433, 243, 625, 347, 781, 399, 706, 216, 677, 406, 787, 359, 590, 362, 567, 190, 648, 457, 570, 349, 420, 596, 407, 707, 245, 802, 410, 591, 363, 681, 220, 789, 422, 571, 370, 598, 312, 573, 191, 599, 411, 652, 232, 612, 249, 709, 365, 602, 465, 803, 336, 793, 423, 316, 222, 654, 371, 689, 426, 603, 452, 614, 413, 660, 236, 655, 223, 544, 344, 615, 373, 776, 427, 560, 481, 834, 454, 805, 318, 713, 238, 835, 434, 662, 809, 348, 605, 319, 618, 455, 721, 244, 780, 429, 898, 400, 837, 360, 817, 239, 676, 377, 663, 458, 568, 619, 435, 666, 350, 737, 246, 899, 459, 841, 408, 782, 626, 128, 592, 364, 678, 351, 621, 247, 667, 437, 788, 572, 466, 783, 412, 627, 461, 679, 600, 250, 708, 366, 574, 467, 669, 424, 682, 790, 192, 804, 372, 791, 710, 441, 683, 251, 629, 414, 690, 794, 367, 604, 469, 575, 656, 482, 901, 374, 806, 428, 711, 616, 415, 849, 253, 685, 795, 224, 714, 375, 633, 691, 483, 807, 606, 430, 664, 456, 836, 905, 473, 810, 378, 715, 620, 436, 797, 693, 320, 722, 240, 607, 717, 431, 811, 865, 485, 838, 460, 697, 723, 379, 913, 818, 438, 813, 622, 489, 668, 462, 839, 628, 381, 623, 680, 439, 725, 819, 352, 842, 670, 248, 738, 630, 468, 684, 843, 442, 739, 252, 900, 821, 463, 729, 929, 497, 850, 671, 784, 443, 631, 792, 368, 845, 902, 470, 686, 634, 471, 712, 692, 416, 741, 851, 484, 825, 903, 254, 687, 906, 796, 445, 635, 745, 376, 853, 961, 474, 866, 907, 716, 486, 694, 808, 475, 798, 637, 432, 695, 718, 576, 380, 799, 812, 487, 867, 698, 914, 255, 724, 909, 477, 857, 719, 814, 490, 608, 699, 753, 440, 840, 915, 726, 491, 869, 820, 382, 815, 624, 672, 464, 930, 844, 740, 383, 917, 822, 727, 498, 632, 701, 873, 444, 931, 921, 881, 493, 730, 962, 933, 499, 823, 742, 846, 731, 446, 688, 904, 636, 472, 826, 743, 852, 447, 847, 733, 963, 937, 476, 827, 746, 638, 501, 800, 696, 854, 908, 488, 868, 855, 747, 910, 505, 829, 858, 754, 720, 256, 916, 870, 700, 478, 749, 639, 816, 965, 945, 492, 755, 859, 911, 728, 479, 918, 871, 874, 702, 494, 969, 861, 932, 919, 757, 500, 922, 875, 732, 934, 882, 495, 824, 703, 923, 744, 502, 761, 877, 977, 848, 935, 828, 384, 734, 883, 938, 964, 925, 448, 748, 735, 856, 885, 939, 993, 503, 966, 830, 750, 946, 860, 831, 506, 967, 756, 941, 912, 872, 751, 507, 889, 970, 947, 862, 758, 971, 920, 480, 640, 876, 863, 759, 949, 978, 924, 509, 973, 762, 878, 979, 936, 704, 884, 953, 496, 763, 926, 879, 981, 994, 886, 940, 927, 504, 765, 736, 887, 995, 942, 968, 985, 890, 948, 832, 508, 752, 943, 997, 972, 891, 950, 1001, 974, 893, 951, 864, 510, 760, 980, 954, 764, 975, 1009, 955, 880, 982, 983, 928, 996, 766, 511, 957, 888, 986, 998, 987, 944, 892, 999, 767, 989, 1002, 952, 1003, 894, 976, 895, 1010, 512, 956, 1005, 1011, 958, 984, 959, 988, 1013, 1000, 1017, 768, 990, 1004, 991, 1006, 1012, 1007, 1014, 896, 960, 1015, 1018, 1019, 992, 1021, 1008, 1016, 1020, 1022, 1023, 1024]
シーケンスS14:[1, 2, 5, 9, 3, 17, 33, 7, 65, 513, 4, 13, 6, 19, 129, 10, 34, 18, 11, 37, 67, 25, 257, 21, 66, 35, 8, 130, 41, 12, 73, 133, 514, 20, 49, 69, 14, 258, 15, 22, 131, 27, 81, 36, 259, 39, 137, 97, 23, 517, 38, 26, 68, 265, 42, 145, 29, 70, 261, 50, 75, 161, 43, 521, 135, 71, 45, 82, 273, 16, 51, 132, 193, 74, 24, 515, 138, 53, 289, 77, 134, 83, 28, 98, 260, 40, 529, 57, 139, 85, 30, 146, 262, 44, 321, 545, 99, 141, 266, 31, 89, 147, 263, 101, 519, 162, 72, 46, 274, 52, 149, 267, 577, 47, 76, 105, 165, 194, 54, 163, 516, 385, 269, 78, 153, 55, 86, 525, 290, 113, 275, 58, 79, 136, 518, 195, 84, 291, 169, 277, 87, 531, 59, 140, 323, 197, 102, 641, 61, 148, 177, 281, 100, 90, 522, 293, 142, 322, 201, 91, 546, 32, 143, 103, 264, 530, 48, 387, 106, 297, 209, 523, 154, 93, 150, 268, 549, 164, 325, 114, 151, 579, 166, 56, 305, 107, 276, 537, 270, 386, 155, 769, 80, 109, 225, 167, 533, 60, 170, 115, 196, 578, 329, 271, 278, 88, 547, 157, 117, 389, 520, 337, 292, 279, 198, 642, 62, 178, 171, 553, 92, 282, 202, 199, 524, 63, 144, 295, 585, 173, 393, 104, 645, 121, 294, 283, 532, 353, 179, 203, 561, 324, 298, 94, 581, 108, 152, 210, 526, 285, 181, 401, 770, 95, 205, 299, 527, 327, 156, 534, 306, 110, 326, 643, 211, 185, 226, 539, 168, 301, 593, 116, 388, 330, 548, 111, 417, 771, 213, 272, 118, 551, 307, 158, 649, 227, 172, 331, 609, 338, 390, 535, 309, 217, 550, 122, 391, 538, 159, 280, 333, 580, 119, 174, 777, 339, 180, 554, 200, 354, 657, 284, 313, 541, 449, 229, 582, 394, 123, 182, 773, 233, 296, 562, 175, 395, 587, 64, 204, 673, 355, 555, 402, 341, 647, 125, 286, 583, 183, 300, 557, 241, 212, 594, 287, 345, 785, 397, 206, 528, 96, 419, 563, 186, 644, 214, 403, 705, 308, 328, 586, 357, 536, 207, 187, 650, 302, 112, 565, 303, 801, 361, 228, 589, 418, 160, 646, 405, 595, 310, 215, 540, 450, 332, 610, 120, 772, 218, 189, 552, 230, 569, 334, 409, 651, 311, 597, 340, 421, 542, 219, 658, 369, 774, 124, 231, 556, 176, 833, 392, 314, 611, 242, 653, 451, 335, 778, 221, 543, 342, 601, 425, 315, 659, 184, 775, 234, 613, 356, 674, 126, 288, 584, 396, 558, 235, 786, 317, 346, 564, 188, 661, 453, 779, 404, 559, 343, 398, 588, 208, 617, 237, 677, 433, 706, 347, 566, 362, 675, 127, 243, 897, 358, 781, 406, 590, 216, 665, 399, 567, 304, 598, 359, 802, 420, 625, 457, 787, 349, 190, 570, 245, 591, 411, 648, 220, 707, 312, 596, 363, 803, 465, 681, 407, 789, 422, 599, 232, 571, 249, 652, 370, 835, 191, 709, 410, 614, 316, 573, 365, 660, 423, 336, 222, 689, 452, 793, 371, 612, 426, 602, 236, 805, 344, 654, 413, 834, 481, 713, 223, 603, 318, 544, 454, 655, 427, 615, 373, 776, 434, 560, 238, 899, 618, 348, 809, 244, 721, 455, 666, 319, 605, 377, 662, 429, 780, 239, 676, 360, 837, 459, 626, 400, 663, 678, 246, 568, 435, 817, 458, 619, 350, 788, 466, 782, 898, 364, 667, 408, 592, 128, 621, 247, 737, 437, 679, 572, 351, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 430, 575, 656, 253, 807, 415, 685, 905, 374, 616, 483, 633, 806, 224, 795, 865, 428, 691, 473, 715, 836, 456, 810, 378, 606, 620, 436, 664, 722, 320, 797, 431, 693, 913, 240, 607, 717, 462, 811, 485, 839, 668, 379, 818, 622, 438, 838, 723, 248, 697, 381, 738, 680, 460, 813, 628, 489, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 446, 672, 917, 822, 464, 727, 962, 844, 491, 632, 730, 701, 383, 742, 846, 921, 472, 823, 852, 933, 731, 498, 881, 636, 743, 444, 688, 904, 826, 476, 754, 963, 847, 733, 501, 854, 937, 827, 447, 696, 746, 868, 638, 488, 800, 908, 747, 829, 494, 858, 700, 965, 916, 478, 855, 910, 720, 505, 749, 945, 859, 874, 639, 479, 755, 870, 918, 728, 500, 911, 816, 871, 932, 256, 969, 861, 702, 757, 923, 492, 732, 824, 875, 977, 919, 503, 934, 744, 761, 882, 495, 703, 922, 828, 877, 935, 848, 506, 734, 964, 883, 938, 748, 384, 856, 925, 993, 735, 830, 966, 502, 939, 885, 946, 750, 860, 756, 480, 967, 831, 889, 941, 751, 872, 507, 971, 912, 758, 947, 970, 862, 978, 448, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021, 1016, 1008, 1020, 1022, 1023, 1024]
シーケンスS15:[1, 2, 3, 5, 9, 17, 33, 4, 6, 65, 7, 10, 11, 129, 18, 13, 19, 34, 257, 21, 35, 25, 66, 37, 67, 513, 8, 12, 130, 41, 69, 14, 20, 131, 49, 15, 73, 258, 22, 133, 36, 81, 23, 259, 26, 137, 38, 261, 97, 145, 27, 514, 39, 515, 265, 68, 42, 29, 161, 70, 43, 517, 50, 71, 273, 193, 521, 529, 45, 16, 132, 74, 51, 289, 545, 24, 75, 53, 134, 82, 321, 77, 135, 28, 57, 83, 138, 260, 40, 98, 385, 30, 85, 139, 262, 146, 31, 99, 516, 44, 89, 141, 263, 147, 101, 266, 72, 46, 162, 518, 577, 519, 52, 149, 522, 47, 76, 267, 163, 274, 523, 641, 105, 54, 153, 78, 269, 194, 165, 275, 55, 84, 530, 525, 531, 136, 58, 113, 195, 290, 79, 169, 277, 59, 86, 61, 87, 140, 100, 197, 90, 291, 281, 546, 769, 142, 177, 91, 102, 148, 143, 533, 547, 537, 32, 103, 264, 48, 322, 293, 201, 323, 578, 150, 297, 93, 106, 209, 549, 579, 268, 386, 325, 305, 164, 151, 107, 56, 154, 225, 387, 329, 270, 114, 520, 553, 642, 80, 166, 109, 155, 276, 60, 271, 115, 167, 524, 581, 561, 157, 196, 170, 198, 171, 278, 292, 279, 117, 88, 62, 178, 282, 526, 643, 532, 527, 63, 92, 585, 770, 144, 389, 294, 199, 104, 337, 173, 283, 202, 121, 179, 295, 94, 534, 645, 535, 593, 548, 771, 152, 324, 393, 298, 203, 108, 285, 181, 210, 538, 95, 205, 299, 353, 649, 609, 326, 185, 211, 401, 306, 301, 110, 156, 327, 116, 111, 773, 550, 657, 539, 551, 168, 213, 307, 330, 158, 226, 118, 172, 331, 227, 388, 309, 217, 417, 338, 159, 777, 272, 580, 119, 541, 554, 280, 333, 390, 174, 122, 200, 180, 229, 339, 313, 391, 64, 394, 284, 175, 233, 341, 449, 354, 395, 204, 123, 673, 555, 557, 562, 582, 296, 286, 182, 206, 125, 785, 705, 183, 287, 528, 583, 644, 586, 563, 300, 355, 212, 402, 186, 397, 345, 207, 302, 801, 96, 187, 241, 536, 587, 565, 646, 594, 328, 403, 214, 357, 308, 303, 833, 589, 647, 112, 540, 569, 595, 650, 772, 228, 418, 332, 215, 405, 310, 189, 552, 610, 897, 160, 218, 361, 419, 409, 369, 230, 450, 421, 542, 597, 651, 774, 658, 311, 120, 334, 219, 543, 611, 176, 392, 231, 314, 124, 340, 335, 221, 451, 425, 315, 556, 601, 653, 234, 775, 659, 613, 235, 288, 453, 126, 342, 396, 778, 584, 558, 674, 356, 343, 564, 661, 559, 617, 779, 675, 184, 398, 433, 317, 346, 242, 208, 404, 358, 786, 188, 588, 566, 665, 625, 781, 237, 127, 243, 347, 399, 706, 216, 677, 787, 590, 567, 648, 406, 359, 304, 570, 596, 362, 707, 190, 457, 349, 465, 802, 420, 407, 245, 410, 591, 681, 789, 571, 598, 363, 573, 220, 422, 599, 652, 612, 709, 602, 803, 370, 793, 312, 191, 654, 689, 603, 411, 232, 249, 365, 336, 423, 614, 660, 655, 316, 222, 371, 426, 452, 413, 481, 236, 223, 344, 318, 544, 373, 615, 427, 776, 128, 454, 238, 560, 834, 805, 713, 835, 662, 809, 605, 618, 721, 780, 434, 898, 319, 455, 837, 817, 676, 663, 348, 429, 400, 377, 244, 239, 458, 435, 360, 568, 619, 666, 737, 899, 841, 782, 626, 350, 246, 459, 592, 678, 621, 667, 788, 572, 783, 627, 679, 408, 364, 351, 192, 247, 437, 466, 412, 461, 250, 366, 600, 708, 574, 669, 682, 790, 804, 791, 710, 683, 629, 441, 690, 794, 604, 575, 467, 424, 372, 251, 414, 367, 469, 482, 374, 656, 901, 806, 711, 428, 415, 253, 616, 849, 685, 795, 714, 633, 691, 807, 606, 483, 473, 224, 664, 836, 905, 810, 715, 620, 797, 693, 375, 485, 430, 456, 722, 607, 717, 811, 865, 838, 697, 723, 913, 818, 378, 436, 813, 320, 622, 240, 431, 460, 379, 668, 839, 489, 438, 628, 623, 462, 381, 439, 352, 497, 680, 725, 819, 842, 670, 738, 630, 468, 248, 442, 463, 470, 443, 252, 684, 843, 739, 900, 821, 729, 929, 850, 671, 784, 631, 792, 845, 902, 686, 368, 634, 712, 254, 692, 741, 851, 825, 903, 687, 471, 416, 484, 445, 376, 474, 906, 796, 486, 635, 745, 853, 961, 866, 907, 716, 694, 808, 475, 798, 637, 695, 255, 718, 576, 799, 812, 867, 432, 380, 698, 914, 487, 724, 909, 857, 719, 477, 814, 608, 490, 699, 753, 840, 915, 726, 869, 820, 815, 440, 491, 624, 382, 498, 493, 464, 672, 930, 844, 740, 917, 822, 727, 632, 701, 873, 931, 921, 881, 730, 383, 499, 444, 446, 472, 962, 933, 823, 742, 846, 731, 447, 688, 904, 636, 826, 743, 852, 847, 256, 476, 733, 963, 937, 827, 746, 501, 488, 638, 505, 800, 696, 854, 908, 868, 855, 747, 910, 829, 858, 754, 720, 916, 870, 478, 700, 749, 639, 816, 965, 945, 755, 859, 911, 492, 479, 728, 918, 871, 384, 494, 500, 874, 702, 969, 495, 861, 502, 932, 919, 757, 922, 875, 732, 977, 934, 882, 761, 824, 703, 923, 744, 877, 848, 935, 828, 734, 883, 448, 938, 503, 964, 925, 993, 748, 735, 856, 885, 939, 506, 966, 507, 830, 750, 946, 860, 831, 967, 756, 941, 912, 872, 751, 889, 480, 970, 947, 862, 758, 971, 509, 920, 640, 876, 863, 759, 949, 978, 924, 973, 762, 878, 979, 496, 936, 704, 884, 953, 763, 504, 926, 879, 981, 994, 886, 940, 927, 765, 736, 887, 995, 942, 968, 985, 508, 890, 948, 832, 752, 943, 997, 972, 891, 1001, 510, 950, 974, 893, 951, 864, 760, 1009, 511, 980, 954, 764, 975, 955, 880, 982, 983, 928, 996, 766, 957, 888, 986, 998, 987, 944, 892, 999, 767, 512, 989, 1002, 952, 1003, 894, 976, 895, 1010, 956, 1005, 1011, 958, 984, 959, 988, 1013, 1000, 1017, 768, 990, 1004, 991, 1006, 1012, 1007, 1014, 896, 960, 1015, 1018, 1019, 992, 1021, 1008, 1016, 1020, 1022, 1023, 1024]
シーケンスS16:[1, 2, 5, 9, 3, 17, 33, 7, 65, 513, 4, 13, 6, 19, 129, 10, 34, 18, 11, 25, 21, 35, 257, 66, 37, 8, 67, 130, 12, 41, 20, 133, 514, 14, 69, 49, 73, 258, 15, 22, 131, 81, 27, 36, 259, 137, 39, 97, 23, 517, 38, 26, 68, 265, 42, 145, 29, 70, 261, 50, 43, 161, 71, 521, 45, 75, 82, 132, 273, 193, 16, 51, 74, 53, 24, 515, 135, 138, 289, 77, 134, 83, 28, 98, 260, 40, 529, 57, 139, 85, 30, 146, 262, 44, 321, 545, 99, 141, 266, 31, 89, 147, 263, 72, 519, 162, 46, 101, 385, 149, 52, 47, 577, 76, 267, 54, 274, 165, 194, 105, 516, 163, 269, 78, 153, 275, 55, 525, 58, 113, 136, 86, 79, 290, 518, 195, 84, 291, 59, 277, 169, 531, 100, 140, 323, 197, 87, 641, 177, 61, 90, 281, 102, 148, 522, 293, 142, 322, 91, 143, 546, 32, 201, 103, 264, 530, 106, 387, 48, 297, 523, 209, 154, 93, 150, 268, 164, 537, 769, 533, 325, 151, 56, 166, 107, 305, 114, 578, 276, 549, 270, 386, 155, 80, 109, 225, 167, 60, 579, 170, 115, 196, 329, 271, 278, 157, 547, 88, 117, 389, 520, 337, 292, 279, 198, 642, 62, 178, 171, 553, 92, 282, 199, 63, 524, 144, 173, 295, 585, 202, 393, 104, 645, 121, 294, 283, 532, 353, 179, 203, 561, 324, 298, 94, 581, 152, 210, 181, 526, 285, 108, 401, 770, 95, 205, 299, 527, 327, 156, 534, 306, 110, 326, 643, 211, 116, 185, 539, 168, 301, 593, 226, 388, 330, 548, 111, 417, 771, 158, 272, 213, 551, 307, 118, 649, 172, 227, 331, 609, 338, 390, 535, 309, 217, 550, 159, 391, 538, 119, 280, 333, 580, 174, 122, 777, 339, 200, 554, 180, 657, 354, 284, 541, 313, 449, 582, 229, 394, 773, 123, 175, 673, 555, 785, 204, 562, 395, 182, 341, 583, 557, 64, 296, 286, 233, 125, 183, 206, 287, 300, 355, 212, 402, 186, 397, 587, 345, 594, 647, 528, 96, 563, 241, 644, 207, 705, 328, 586, 403, 536, 214, 357, 308, 419, 565, 801, 589, 187, 302, 646, 112, 569, 303, 595, 361, 228, 650, 772, 418, 540, 215, 405, 310, 189, 450, 332, 218, 610, 597, 552, 651, 160, 230, 120, 334, 409, 311, 421, 219, 542, 369, 658, 231, 774, 392, 176, 556, 314, 833, 340, 221, 611, 653, 335, 451, 778, 124, 543, 342, 601, 425, 234, 659, 235, 775, 315, 613, 126, 674, 356, 184, 584, 288, 558, 396, 564, 661, 242, 779, 559, 317, 346, 617, 675, 897, 404, 343, 398, 188, 453, 208, 433, 786, 237, 588, 566, 665, 781, 347, 362, 127, 243, 358, 706, 406, 677, 590, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 410, 652, 370, 835, 411, 709, 232, 614, 316, 573, 365, 660, 423, 336, 222, 689, 452, 793, 371, 612, 426, 602, 236, 805, 413, 654, 481, 834, 223, 713, 344, 603, 318, 544, 454, 655, 427, 615, 373, 776, 434, 560, 238, 899, 618, 348, 809, 244, 721, 455, 666, 319, 605, 377, 662, 429, 780, 239, 676, 360, 837, 400, 626, 246, 663, 678, 435, 568, 458, 817, 350, 619, 459, 788, 466, 782, 898, 364, 667, 408, 592, 128, 621, 437, 737, 351, 679, 572, 247, 682, 250, 627, 461, 708, 841, 412, 783, 366, 790, 441, 600, 424, 669, 629, 467, 901, 251, 849, 804, 372, 791, 192, 710, 482, 574, 690, 414, 683, 367, 604, 794, 469, 714, 374, 711, 253, 575, 656, 483, 807, 415, 685, 905, 375, 616, 224, 633, 806, 428, 795, 865, 430, 691, 473, 715, 836, 456, 810, 378, 606, 620, 436, 664, 722, 485, 797, 320, 693, 913, 431, 607, 717, 240, 811, 379, 839, 668, 438, 818, 622, 460, 838, 723, 248, 697, 381, 738, 680, 462, 813, 628, 489, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 826, 501, 688, 446, 933, 847, 636, 963, 733, 937, 476, 854, 827, 447, 746, 868, 638, 908, 800, 488, 696, 747, 829, 858, 754, 855, 916, 965, 478, 910, 720, 505, 749, 945, 639, 755, 870, 256, 911, 700, 859, 479, 918, 871, 728, 494, 874, 969, 932, 702, 816, 861, 500, 757, 492, 875, 732, 923, 824, 977, 919, 934, 744, 761, 882, 495, 703, 922, 877, 935, 828, 848, 734, 503, 883, 938, 384, 964, 748, 506, 856, 925, 993, 735, 502, 830, 966, 939, 885, 946, 750, 860, 756, 480, 967, 831, 889, 941, 751, 872, 507, 971, 912, 758, 947, 970, 862, 978, 448, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021, 1016, 1008, 1020, 1022, 1023, 1024]
シーケンスS17:[1, 2, 5, 9, 3, 17, 33, 7, 65, 513, 4, 13, 6, 19, 129, 10, 34, 18, 11, 257, 21, 35, 25, 66, 37, 8, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 161, 70, 50, 75, 43, 521, 273, 193, 71, 45, 132, 82, 16, 289, 51, 135, 74, 515, 24, 134, 321, 53, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 164, 268, 386, 325, 305, 537, 769, 533, 209, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 198, 178, 642, 171, 282, 92, 553, 202, 199, 389, 294, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 211, 185, 534, 401, 306, 301, 643, 156, 110, 327, 539, 116, 168, 593, 158, 111, 307, 548, 330, 213, 771, 226, 118, 172, 551, 331, 227, 649, 388, 309, 159, 609, 417, 338, 535, 217, 272, 550, 119, 280, 538, 333, 390, 174, 580, 122, 180, 777, 200, 229, 554, 339, 657, 313, 541, 391, 123, 582, 394, 284, 773, 233, 673, 555, 785, 175, 341, 705, 449, 562, 354, 801, 395, 204, 182, 528, 583, 557, 296, 286, 64, 125, 206, 241, 644, 586, 563, 287, 300, 355, 183, 402, 212, 397, 345, 587, 833, 565, 96, 186, 207, 328, 646, 536, 403, 214, 594, 357, 308, 419, 187, 589, 569, 302, 647, 228, 303, 897, 595, 361, 112, 650, 772, 418, 540, 215, 405, 310, 189, 450, 332, 160, 218, 610, 597, 552, 651, 230, 120, 334, 409, 542, 774, 611, 658, 311, 421, 601, 219, 369, 176, 653, 392, 231, 314, 340, 543, 335, 234, 556, 775, 124, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 350, 619, 128, 788, 246, 782, 898, 437, 667, 466, 592, 408, 621, 364, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 933, 847, 446, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 639, 755, 256, 969, 479, 384, 870, 492, 911, 816, 918, 728, 871, 874, 702, 932, 861, 500, 757, 732, 824, 923, 875, 977, 919, 503, 934, 744, 761, 882, 495, 703, 922, 848, 993, 448, 502, 877, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021, 1016, 1008, 1020, 1022, 1023, 1024]
シーケンスS18:[1, 2, 3, 5, 9, 17, 33, 4, 6, 65, 7, 10, 11, 129, 18, 13, 19, 34, 257, 21, 35, 25, 66, 37, 67, 513, 8, 12, 130, 41, 69, 14, 20, 131, 49, 15, 73, 258, 22, 133, 36, 81, 23, 259, 26, 137, 38, 261, 97, 145, 27, 514, 39, 515, 265, 68, 42, 29, 161, 70, 43, 517, 50, 71, 273, 45, 521, 529, 16, 132, 74, 193, 51, 289, 545, 24, 75, 53, 134, 82, 321, 77, 135, 28, 57, 83, 138, 260, 40, 98, 385, 85, 30, 139, 262, 146, 31, 99, 516, 44, 89, 141, 263, 147, 101, 266, 72, 46, 162, 518, 577, 519, 52, 149, 522, 47, 76, 267, 163, 274, 523, 641, 105, 54, 153, 78, 269, 194, 165, 275, 55, 84, 530, 525, 531, 136, 58, 113, 195, 290, 79, 169, 277, 59, 86, 100, 87, 140, 61, 197, 90, 291, 281, 546, 769, 142, 177, 91, 102, 148, 143, 533, 547, 537, 32, 103, 264, 106, 322, 293, 201, 323, 578, 150, 297, 48, 93, 209, 549, 579, 268, 386, 325, 305, 164, 151, 107, 56, 154, 225, 387, 329, 270, 114, 520, 553, 642, 80, 166, 109, 155, 276, 60, 271, 115, 167, 524, 581, 561, 157, 196, 170, 198, 171, 278, 292, 279, 117, 88, 62, 178, 282, 526, 643, 532, 527, 63, 92, 585, 770, 144, 389, 294, 199, 104, 337, 173, 283, 202, 121, 179, 295, 94, 534, 645, 535, 593, 548, 771, 152, 324, 393, 298, 203, 108, 285, 181, 210, 538, 95, 205, 299, 353, 649, 609, 326, 185, 211, 401, 306, 301, 110, 156, 327, 116, 111, 773, 550, 657, 539, 551, 168, 213, 307, 330, 158, 226, 118, 172, 331, 227, 388, 309, 217, 417, 338, 159, 777, 272, 580, 119, 541, 554, 280, 333, 390, 174, 122, 200, 180, 229, 339, 313, 391, 64, 394, 284, 175, 123, 341, 449, 354, 395, 233, 204, 673, 555, 557, 562, 582, 296, 286, 182, 206, 125, 785, 705, 183, 287, 528, 583, 644, 586, 563, 300, 355, 212, 402, 186, 397, 345, 207, 302, 801, 96, 187, 241, 536, 587, 565, 646, 594, 328, 403, 214, 357, 308, 303, 833, 589, 647, 112, 540, 569, 595, 650, 772, 228, 418, 332, 215, 405, 310, 189, 552, 610, 897, 160, 218, 361, 419, 409, 369, 230, 450, 421, 542, 597, 651, 774, 658, 311, 120, 334, 219, 543, 611, 231, 392, 234, 314, 176, 340, 335, 221, 451, 425, 315, 556, 601, 653, 124, 775, 659, 613, 235, 288, 453, 126, 342, 396, 778, 584, 558, 674, 356, 343, 564, 661, 559, 617, 779, 675, 184, 398, 433, 317, 346, 242, 208, 404, 358, 786, 188, 588, 566, 665, 625, 781, 237, 127, 243, 347, 399, 706, 216, 677, 787, 590, 567, 648, 406, 359, 304, 570, 596, 362, 707, 190, 457, 349, 465, 802, 420, 407, 245, 410, 591, 681, 789, 571, 598, 363, 573, 220, 422, 599, 652, 612, 709, 602, 803, 370, 793, 312, 191, 654, 689, 603, 411, 232, 249, 365, 336, 423, 614, 660, 655, 316, 222, 371, 426, 452, 413, 481, 236, 223, 344, 318, 544, 373, 615, 427, 776, 128, 454, 238, 560, 834, 805, 713, 835, 662, 809, 605, 618, 721, 780, 434, 898, 319, 455, 837, 817, 676, 663, 348, 429, 400, 377, 244, 239, 458, 435, 360, 568, 619, 666, 737, 899, 841, 782, 626, 350, 246, 459, 592, 678, 621, 667, 788, 572, 783, 627, 679, 408, 364, 351, 192, 247, 437, 466, 412, 461, 250, 366, 600, 708, 574, 669, 682, 790, 804, 791, 710, 683, 629, 441, 690, 794, 604, 575, 467, 424, 372, 251, 482, 414, 469, 367, 374, 656, 901, 806, 711, 428, 415, 253, 616, 849, 685, 795, 714, 633, 691, 807, 606, 483, 473, 224, 664, 836, 905, 810, 715, 620, 797, 693, 375, 485, 430, 456, 722, 607, 717, 811, 865, 838, 697, 723, 913, 818, 378, 436, 813, 320, 622, 240, 431, 460, 379, 668, 839, 489, 438, 628, 623, 462, 381, 439, 352, 497, 680, 725, 819, 842, 670, 738, 630, 468, 248, 442, 463, 470, 443, 252, 684, 843, 739, 900, 821, 729, 929, 850, 671, 784, 631, 792, 845, 902, 686, 368, 634, 712, 254, 692, 741, 851, 825, 903, 687, 471, 416, 484, 445, 376, 474, 906, 796, 486, 635, 745, 853, 961, 866, 907, 716, 694, 808, 475, 798, 637, 695, 255, 718, 576, 799, 812, 867, 432, 380, 698, 914, 487, 724, 909, 857, 719, 477, 814, 608, 490, 699, 753, 840, 915, 726, 869, 820, 815, 440, 491, 624, 382, 498, 493, 464, 672, 930, 844, 740, 917, 822, 727, 632, 701, 873, 931, 921, 881, 730, 383, 499, 444, 446, 472, 962, 933, 823, 742, 846, 731, 447, 688, 904, 636, 826, 743, 852, 847, 256, 476, 733, 963, 937, 827, 746, 501, 488, 638, 505, 800, 696, 854, 908, 868, 855, 747, 910, 829, 858, 754, 720, 916, 870, 478, 700, 749, 639, 816, 965, 945, 755, 859, 911, 492, 479, 728, 918, 871, 384, 494, 500, 874, 702, 969, 495, 861, 502, 932, 919, 757, 922, 875, 732, 977, 934, 882, 761, 824, 703, 923, 744, 877, 848, 935, 828, 734, 883, 448, 938, 503, 964, 925, 993, 748, 735, 856, 885, 939, 506, 966, 507, 830, 750, 946, 860, 831, 967, 756, 941, 912, 872, 751, 889, 480, 970, 947, 862, 758, 971, 509, 920, 640, 876, 863, 759, 949, 978, 924, 973, 762, 878, 979, 496, 936, 704, 884, 953, 763, 504, 926, 879, 981, 994, 886, 940, 927, 765, 736, 887, 995, 942, 968, 985, 508, 890, 948, 832, 752, 943, 997, 972, 891, 1001, 510, 950, 974, 893, 951, 864, 760, 1009, 511, 980, 954, 764, 975, 955, 880, 982, 983, 928, 996, 766, 957, 888, 986, 998, 987, 944, 892, 999, 767, 512, 989, 1002, 952, 1003, 894, 976, 895, 1010, 956, 1005, 1011, 958, 984, 959, 988, 1013, 1000, 1017, 768, 990, 1004, 991, 1006, 1012, 1007, 1014, 896, 960, 1015, 1018, 1019, 992, 1021, 1008, 1016, 1020, 1022, 1023, 1024]
シーケンスS19:[1, 2, 3, 5, 9, 17, 33, 4, 257, 513, 6, 65, 7, 10, 11, 129, 18, 13, 19, 34, 21, 35, 25, 66, 37, 258, 8, 130, 67, 12, 41, 69, 514, 20, 14, 131, 49, 15, 73, 259, 22, 133, 36, 23, 81, 26, 137, 38, 27, 515, 261, 97, 39, 68, 42, 145, 29, 70, 43, 265, 50, 161, 71, 517, 45, 193, 132, 273, 74, 51, 134, 82, 75, 16, 289, 521, 24, 53, 135, 77, 57, 83, 260, 28, 138, 98, 529, 40, 262, 85, 139, 30, 146, 44, 321, 545, 99, 89, 141, 31, 263, 147, 46, 72, 516, 101, 266, 162, 52, 149, 47, 267, 769, 76, 105, 163, 385, 54, 153, 78, 518, 194, 274, 165, 55, 84, 269, 577, 136, 58, 113, 275, 79, 195, 519, 59, 290, 169, 86, 140, 277, 522, 100, 87, 291, 197, 142, 523, 61, 281, 90, 102, 322, 148, 641, 177, 91, 293, 143, 201, 530, 264, 32, 150, 386, 525, 103, 106, 93, 323, 48, 531, 164, 268, 151, 209, 546, 297, 107, 154, 325, 533, 166, 56, 276, 114, 155, 547, 270, 80, 109, 537, 387, 225, 167, 305, 578, 60, 115, 271, 196, 549, 329, 170, 157, 278, 770, 88, 171, 389, 520, 117, 292, 198, 62, 642, 279, 178, 92, 579, 337, 199, 282, 144, 524, 63, 393, 121, 553, 294, 202, 283, 581, 173, 104, 353, 532, 179, 295, 94, 526, 203, 324, 181, 643, 298, 108, 401, 561, 152, 210, 285, 527, 95, 326, 205, 585, 299, 156, 771, 306, 211, 110, 534, 417, 168, 327, 645, 185, 301, 548, 116, 449, 226, 535, 388, 158, 593, 330, 111, 307, 538, 213, 118, 649, 390, 172, 338, 550, 227, 331, 539, 217, 272, 773, 159, 280, 609, 119, 309, 174, 551, 391, 122, 580, 333, 200, 554, 180, 229, 657, 313, 175, 541, 339, 123, 582, 284, 204, 394, 555, 64, 354, 777, 182, 296, 562, 233, 341, 673, 395, 583, 125, 286, 557, 206, 402, 705, 183, 300, 644, 212, 355, 785, 186, 345, 586, 241, 397, 563, 207, 287, 646, 96, 594, 403, 302, 587, 214, 328, 528, 187, 801, 357, 112, 536, 418, 228, 565, 308, 647, 405, 215, 589, 303, 189, 569, 332, 595, 218, 361, 772, 419, 230, 540, 310, 650, 160, 409, 610, 334, 552, 120, 450, 774, 219, 597, 421, 231, 651, 311, 542, 340, 658, 234, 392, 556, 314, 833, 176, 369, 611, 124, 601, 335, 451, 653, 221, 543, 315, 775, 184, 425, 659, 342, 558, 235, 584, 396, 613, 356, 126, 778, 343, 674, 453, 564, 242, 398, 661, 208, 559, 317, 779, 346, 588, 188, 358, 617, 404, 675, 237, 897, 433, 566, 347, 665, 127, 590, 399, 457, 706, 243, 786, 288, 677, 406, 567, 190, 596, 359, 781, 362, 648, 216, 570, 349, 625, 304, 245, 787, 420, 591, 407, 707, 465, 571, 220, 802, 363, 681, 410, 598, 191, 652, 422, 789, 312, 612, 249, 599, 370, 803, 411, 709, 336, 654, 232, 573, 365, 793, 481, 222, 423, 602, 316, 614, 371, 834, 236, 660, 452, 689, 426, 603, 413, 805, 223, 655, 344, 713, 427, 776, 238, 544, 373, 662, 454, 898, 318, 615, 244, 618, 605, 434, 835, 348, 560, 455, 676, 239, 780, 400, 663, 319, 721, 377, 809, 458, 619, 128, 666, 429, 837, 678, 360, 568, 435, 788, 246, 626, 350, 667, 459, 782, 592, 437, 621, 247, 899, 364, 737, 408, 679, 466, 817, 572, 351, 627, 250, 783, 461, 708, 841, 412, 682, 467, 669, 366, 790, 192, 600, 683, 424, 901, 441, 629, 804, 372, 710, 482, 574, 251, 791, 690, 414, 604, 367, 849, 711, 469, 794, 374, 656, 428, 575, 905, 253, 633, 483, 806, 714, 473, 795, 415, 685, 616, 375, 865, 691, 224, 807, 430, 606, 715, 378, 836, 456, 693, 810, 436, 620, 913, 485, 664, 431, 722, 797, 240, 607, 838, 379, 717, 460, 811, 668, 320, 818, 723, 438, 622, 929, 489, 680, 381, 839, 697, 248, 813, 628, 462, 961, 738, 439, 900, 670, 468, 842, 623, 442, 819, 725, 497, 630, 463, 902, 684, 252, 850, 739, 352, 843, 729, 784, 470, 671, 792, 443, 631, 821, 368, 686, 903, 484, 634, 845, 471, 712, 692, 445, 741, 825, 474, 687, 851, 635, 254, 796, 716, 486, 906, 576, 416, 866, 694, 808, 376, 745, 853, 475, 907, 637, 487, 798, 718, 914, 490, 695, 812, 432, 724, 867, 698, 380, 857, 753, 477, 909, 719, 799, 255, 608, 915, 814, 440, 726, 840, 699, 491, 869, 624, 382, 930, 740, 820, 498, 917, 727, 815, 464, 701, 844, 730, 444, 873, 931, 742, 493, 822, 672, 921, 383, 846, 632, 962, 499, 731, 933, 743, 823, 446, 852, 746, 904, 472, 826, 688, 881, 501, 636, 847, 963, 733, 256, 827, 696, 937, 476, 854, 747, 908, 868, 447, 638, 855, 965, 754, 505, 910, 720, 829, 858, 488, 700, 870, 916, 478, 749, 945, 859, 639, 911, 492, 969, 755, 800, 918, 479, 702, 871, 874, 728, 494, 861, 816, 757, 932, 919, 500, 977, 732, 875, 922, 703, 495, 934, 824, 761, 882, 384, 923, 848, 744, 877, 993, 734, 502, 935, 828, 883, 748, 964, 503, 938, 925, 735, 856, 939, 750, 506, 885, 966, 830, 756, 946, 860, 448, 967, 751, 912, 831, 889, 970, 507, 640, 941, 872, 947, 758, 862, 971, 509, 949, 759, 876, 920, 978, 863, 762, 480, 973, 924, 979, 878, 704, 936, 953, 884, 496, 994, 763, 926, 879, 981, 886, 940, 765, 504, 995, 985, 927, 887, 736, 942, 890, 968, 948, 997, 508, 943, 752, 891, 972, 832, 950, 1001, 893, 760, 974, 951, 510, 980, 954, 1009, 975, 764, 864, 982, 955, 880, 996, 983, 957, 986, 511, 766, 998, 928, 888, 987, 999, 1002, 944, 892, 989, 767, 952, 1003, 894, 1010, 976, 956, 512, 1005, 895, 1011, 958, 984, 1013, 768, 988, 959, 1017, 1000, 990, 1004, 991, 1006, 1012, 1007, 896, 1014, 1015, 1018, 960, 1019, 1021, 992, 1008, 1016, 1020, 1022, 1023, 1024]および
シーケンスS20:[1, 2, 3, 5, 9, 17, 33, 4, 6, 513, 65, 7, 10, 11, 129, 18, 13, 19, 34, 257, 21, 35, 25, 66, 37, 67, 8, 12, 130, 41, 69, 14, 514, 20, 131, 49, 15, 73, 258, 22, 133, 36, 81, 23, 259, 26, 137, 38, 261, 515, 97, 145, 27, 39, 265, 68, 42, 29, 161, 70, 43, 50, 75, 517, 273, 193, 71, 45, 132, 16, 74, 289, 51, 24, 53, 521, 134, 82, 321, 77, 135, 28, 57, 83, 138, 260, 529, 40, 98, 385, 30, 85, 139, 262, 146, 545, 31, 99, 44, 89, 141, 263, 147, 72, 516, 266, 46, 101, 162, 52, 149, 47, 518, 76, 267, 163, 274, 105, 54, 153, 577, 78, 269, 194, 165, 275, 55, 519, 84, 136, 58, 113, 195, 290, 522, 79, 169, 277, 59, 86, 61, 523, 87, 140, 100, 197, 90, 641, 291, 281, 142, 177, 91, 102, 530, 148, 143, 32, 103, 264, 525, 106, 322, 293, 201, 531, 323, 150, 297, 48, 93, 546, 209, 268, 386, 325, 769, 305, 164, 151, 107, 533, 56, 154, 225, 387, 329, 547, 270, 114, 80, 537, 166, 109, 155, 276, 578, 60, 271, 115, 167, 549, 157, 196, 170, 198, 579, 171, 278, 292, 520, 279, 117, 88, 62, 524, 178, 282, 63, 642, 92, 144, 389, 294, 553, 199, 104, 337, 581, 173, 283, 202, 526, 121, 179, 295, 532, 94, 152, 324, 643, 393, 298, 203, 561, 108, 285, 181, 527, 210, 95, 205, 585, 299, 353, 326, 770, 185, 211, 534, 401, 306, 301, 645, 110, 156, 327, 548, 116, 111, 593, 168, 213, 307, 535, 330, 158, 771, 226, 118, 172, 538, 331, 227, 649, 388, 309, 217, 550, 417, 338, 773, 159, 272, 609, 119, 280, 657, 333, 390, 174, 539, 122, 200, 551, 180, 229, 777, 339, 313, 580, 391, 123, 554, 394, 284, 541, 64, 175, 341, 673, 449, 354, 582, 395, 233, 555, 204, 296, 562, 286, 587, 182, 206, 785, 125, 183, 705, 287, 300, 583, 355, 212, 557, 402, 186, 644, 397, 345, 528, 207, 302, 586, 96, 801, 187, 241, 563, 328, 403, 536, 214, 565, 357, 308, 646, 303, 112, 594, 228, 833, 418, 332, 589, 215, 405, 647, 310, 540, 189, 160, 569, 218, 361, 595, 419, 650, 409, 369, 772, 230, 552, 450, 421, 610, 311, 897, 120, 334, 542, 219, 597, 176, 651, 392, 231, 774, 314, 658, 124, 340, 543, 335, 611, 221, 451, 556, 425, 601, 315, 653, 234, 235, 775, 288, 659, 453, 584, 126, 778, 342, 396, 558, 356, 613, 343, 674, 184, 398, 564, 433, 661, 317, 559, 346, 588, 242, 208, 779, 404, 675, 358, 786, 188, 617, 237, 566, 127, 665, 243, 347, 590, 399, 781, 216, 706, 406, 677, 359, 787, 304, 567, 362, 596, 190, 648, 457, 570, 349, 465, 625, 420, 707, 407, 802, 245, 591, 410, 681, 363, 789, 220, 571, 422, 598, 370, 573, 312, 599, 191, 652, 411, 612, 232, 709, 249, 602, 365, 803, 336, 793, 423, 316, 222, 654, 371, 689, 426, 603, 452, 614, 413, 660, 481, 655, 236, 544, 223, 615, 344, 776, 318, 618, 373, 834, 427, 805, 128, 713, 454, 835, 238, 662, 809, 434, 560, 319, 605, 455, 721, 348, 780, 429, 898, 400, 837, 377, 817, 244, 676, 239, 663, 458, 619, 568, 435, 666, 360, 737, 350, 899, 246, 841, 459, 782, 626, 408, 592, 364, 678, 351, 621, 437, 667, 192, 788, 572, 247, 783, 466, 627, 412, 679, 669, 461, 708, 250, 682, 366, 710, 441, 683, 790, 467, 804, 424, 791, 629, 372, 600, 251, 574, 414, 690, 794, 367, 575, 469, 604, 656, 482, 901, 374, 806, 428, 711, 616, 415, 849, 253, 685, 795, 483, 714, 473, 633, 691, 224, 807, 606, 375, 664, 485, 836, 905, 430, 810, 456, 715, 620, 378, 797, 693, 436, 722, 320, 607, 717, 240, 811, 865, 431, 838, 460, 697, 723, 379, 913, 818, 489, 813, 622, 438, 668, 462, 839, 628, 381, 623, 680, 439, 725, 819, 352, 842, 670, 497, 738, 630, 468, 684, 843, 248, 739, 442, 900, 821, 463, 729, 929, 470, 850, 671, 784, 443, 631, 792, 252, 845, 902, 368, 686, 634, 254, 712, 692, 471, 741, 851, 416, 825, 903, 484, 635, 906, 796, 445, 576, 687, 376, 853, 961, 474, 866, 907, 745, 486, 716, 808, 475, 798, 694, 255, 718, 637, 695, 432, 799, 812, 380, 867, 724, 914, 487, 698, 909, 477, 857, 719, 814, 490, 608, 699, 753, 440, 840, 915, 726, 491, 869, 820, 382, 815, 624, 740, 498, 930, 844, 727, 493, 917, 822, 701, 464, 672, 730, 873, 383, 931, 921, 881, 499, 742, 962, 933, 444, 823, 632, 846, 731, 446, 688, 904, 743, 472, 826, 636, 852, 447, 847, 733, 963, 937, 256, 827, 746, 747, 476, 800, 965, 638, 854, 501, 908, 868, 855, 696, 488, 910, 945, 829, 858, 505, 754, 720, 916, 478, 870, 700, 749, 639, 755, 492, 859, 911, 728, 918, 479, 871, 816, 874, 702, 384, 969, 861, 977, 932, 919, 494, 757, 922, 875, 732, 934, 500, 882, 824, 703, 923, 495, 744, 761, 877, 848, 935, 828, 502, 734, 883, 938, 964, 925, 448, 993, 748, 735, 856, 830, 885, 503, 939, 640, 966, 750, 946, 831, 506, 967, 860, 941, 912, 889, 756, 507, 751, 970, 947, 872, 862, 758, 971, 480, 920, 876, 863, 949, 704, 759, 978, 509, 924, 973, 762, 878, 953, 979, 936, 884, 496, 763, 926, 879, 981, 994, 886, 940, 927, 504, 765, 995, 985, 736, 887, 997, 942, 968, 890, 948, 508, 832, 752, 943, 972, 891, 1001, 950, 974, 893, 951, 864, 510, 1009, 980, 760, 954, 975, 982, 955, 764, 880, 766, 983, 928, 996, 511, 957, 888, 986, 998, 987, 767, 944, 892, 999, 989, 1002, 952, 1003, 894, 1010, 1005, 976, 512, 895, 1011, 956, 958, 984, 959, 768, 988, 1013, 1000, 1017, 990, 1004, 991, 896, 1006, 1012, 1007, 1014, 960, 1015, 1018, 1019, 992, 1021, 1008, 1016, 1020, 1022, 1023, 1024]
【０３９８】
シミュレーションを通じて取得された性能が比較的良い前述のシーケンスは、予めセットされた性能判断規則を使用することによって比較されることが可能である。任意選択として、本出願の本実施形態は、性能判断規則の例を提供するが、性能判断規則は、この例に限定されない。
【０３９９】
可能な性能判断規則は、以下のように説明される。
【０４００】
評価測定:ブロックエラー率(block error rate, BLER)が10-2および10-3に達するときに必要な信号対雑音比(signal-to-noise ratio, SNR)。
【０４０１】
シミュレーション想定:
【０４０２】
【表１】
2020528250.tif 000144
【０４０３】
BLERが10-2および10-3に達するときに必要なSNR値が、それぞれ評価される。具体的には、シーケンスAおよびBが与えられる。各組合せ(N, K)は、前述のテーブルにおけるシミュレーションパラメータに基づいて調査される。例えば、N=64であり、K=10である。シーケンスAを使用するPolar符号によってBLER=10-2であるときに必要なSNR値はHAと表され、シーケンスBを使用するPolar符号によってBLER=10-2であるときに必要なSNR値はHBと表される。SNR値の補間HA-HBが、所与の閾値と比較される。補間HA-HBが閾値より大きい場合、シーケンスBが勝利することが記録され、シーケンスBの勝利数が1だけ増やされ、シーケンスAの失敗数が1だけ増やされる。補間HA-HBが負の閾値より小さい場合、シーケンスAが勝利することが記録され、シーケンスAの勝利数が1だけ増やされ、シーケンスBの失敗数が1だけ増やされる。補間HA-HBが閾値以下または負の閾値以上である場合、2つのシーケンスが同じ性能を有することが記録され、2つのシーケンスの勝利数のどちらも増やされない。さらに、BLER=10-3に達したときにシーケンスAおよびBによって必要なSNR値がさらに調査され、補間が閾値と比較され、勝利数に対して動作がさらに行われる。
【０４０４】
前述の閾値を判断するステップは以下のようなものである。
【０４０５】
符号化予定の情報の長さKが200以下であるとき、PerfThresh_K=0.1dBであり、またはKが200より大きいとき、PerfThresh_K=0.3dBである。
【０４０６】
リストをデコードする数がL=1であるとき、PerfThresh_L=0.4dBであり、L=2であるとき、PerfThresh_L=0.2dBであり、またはLが別の値であるとき、PerfThresh_L=0.1dBである。
【０４０７】
2つの閾値における大きい方の値が最終的な閾値として選択され、すなわち、PerfThresh=max(PerfThresh_K, PerfThresh_L)である。
【０４０８】
特定のシーケンス比較手順は以下のようなものである。
【０４０９】
ステップ1:勝利数、失敗数、および各シーケンスに対する全失敗数を計算する。シーケンスAが選択され、シーケンスAは、各シミュレーションケースにおいてシーケンスBと比較される。各シミュレーションケースについて、Aの性能が、PerfThreshだけBの性能より悪い場合、Bに対するAの失敗数FailCount_ABが1だけ増やされ、またはAの性能が、PerfThreshだけBの性能より良い場合、Bに対するAの勝利数WinCountABが1だけ増やされる。(FailCount_AB-WinCountAB)/シミュレーションケースの総数>2%である場合、Aの全失敗数OverallFail_Aが1だけ増やされる。シーケンスAは、各シミュレーションケースにおいてシーケンスCと比較される。各シミュレーションケースについて、Aの性能が、PerfThreshだけCの性能より悪い場合、Cに対するAの失敗数FailCount_ACが1だけ増やされ、またはAの性能が、PerfThreshだけCの性能より良い場合、Cに対するAの勝利回数の数WinCount_ACが1だけ増やされる。(FailCount_AC-WinCountAC)/シミュレーションケースの総数>2%である場合、Aの全失敗数OverallFail_Aが1だけ増やされる。処理は、シーケンスDからNの間、繰り返される。シーケンスBが選択され、シーケンスBは、各シミュレーションケースにおいてシーケンスBと比較される、などである。シーケンスNが選択され、シーケンスNは、シーケンスAと比較される、などである。最小の全失敗数OverallFailを有するシーケンスが選択される。
【０４１０】
ステップ2:複数のシーケンスAからMがそれぞれ、最小の全失敗数OverallFailを有する場合、シーケンスAについて、シーケンスAは、各シミュレーションケースにおいてシーケンスBと比較される。各シミュレーションケースについて、Aの性能が、PerfThreshだけBの性能より良い場合、Bに対するAの勝利数WinCount_ABが1だけ増やされる。シーケンスAは、各シミュレーションケースにおいてシーケンスCと比較される。各シミュレーションケースについて、Aの性能が、PerfThreshだけCの性能より良い場合、Cに対するAの勝利数WinCount_ACが1だけ増やされ、Aの全勝利数は、WinCount A=ΣWinCount_AB...AMである。処理は、シーケンスAがシーケンスMと比較されるまで繰り返される。処理は、シーケンスBからMの間、繰り返される。最大の全勝利数WinCountを有するシーケンスが選択され、シーケンスがシーケンスWであることが想定される。
【０４１１】
ステップ3:最大の全勝利数を有するシーケンスWが与えられる。シーケンスxがあり、Wに対するxの勝利数が、xに対するWの勝利数より大きい、すなわちWinCount_xW>WinCount Wxである場合、シーケンスxも、次の繰返しに入るために選択される。
【０４１２】
ステップ4:複数のシーケンスが選択される場合、最終的なシーケンスが得票を通じて判断される。
【０４１３】
前述のシーケンスS1からS20は、本出願の本実施形態における図2において示されたPolar符号化方法で応用されることが可能であるということに留意されたい。任意のシーケンスにおいて、以下のいくつかの態様を含むがこれらに限定されない調節または同等の置換が、シーケンスの全体的な効果に影響を及ぼすことなく行われることが可能である。
【０４１４】
1.ソートシーケンス内の少数の要素の位置が相互に交換される。例えば、シーケンス番号の位置が、指定の振幅の範囲内で調節されることが可能である。例えば、指定の振幅は5であり、シーケンス番号が10である要素の位置は、要素の左の5つの位置から要素の右の5つの位置までの範囲内で調節されることが可能である。
【０４１５】
2.ソートシーケンス内のいくつかの要素が調節されるが、T-ビット情報を伝送するために使用され、ソートシーケンスに基づいて選択されるチャネルのセットは、同じまたは似ていることが可能である。
【０４１６】
3.ソートシーケンスは、1からNまでのN個の要素を含み、1からNまでのN個の要素は、N個の偏波チャネルのシーケンス番号を表現する。実際に、N個の偏波チャネルのシーケンス番号は、0から始まり、N-1で終わることが可能であり、シーケンス番号は、ソートシーケンス内の各シーケンス番号から1を減算することによって取得されることが可能である。これも、前述の計算手法におけるシーケンス番号の形式である。間違いなく、偏波チャネルのシーケンス番号または識別子を表現するために別の手法が代替として使用されることが可能であり、特定の表現手法は、ソートシーケンス内で表現される偏波チャネルの特定の位置に影響を及ぼさない。
【０４１７】
4.ソートシーケンス内のN個の偏波チャネルのシーケンス番号は、N個の偏波チャネルの信頼性の降順に配列される。実際に、N個の偏波チャネルのシーケンス番号が代替として、N個の偏波チャネルの信頼性の昇順に配列される。ソートシーケンス内の要素は、逆の順序で配列される。
【０４１８】
5.ソートシーケンスは、チャネル全ての標準化された信頼性または同等の信頼性のソートシーケンスを使用することによってさらに表現されることが可能である。例えば、シーケンス内のチャネルxのソート位置がyである場合(ソートシーケンス内の最小シーケンス番号は1と表される)、チャネルの信頼性は、yまたは標準化されたy/Nによって表現されることが可能であり、ここで、Nは、ソートシーケンスの長さである。
【０４１９】
図2において示されたPolar符号化方法に基づいて、図3において示されるように、本出願の1つの実施形態は、Polar符号化装置300をさらに提供する。Polar符号化装置300は、図2において示されたPolar符号化方法を行うように構成される。Polar符号化装置300は、
符号化予定ビットを符号化するために使用されるシーケンスを判断するように構成された判断ユニット301であって、シーケンスは、N個の偏波チャネルの信頼性オーダーを表現するために使用され、Nは、Polar符号の母符号長であり、Nは、2の正の整数乗である、判断ユニット301と、
符号化済ビットを取得するためにシーケンスを使用することによって、符号化予定ビットに対してPolar符号化を行うように構成された符号化ユニット302と
を含む。
【０４２０】
任意選択として、符号化予定ビットの長さはKであり、K個の符号化予定ビットは、N個の偏波チャネル内のK個の偏波チャネルにマッピングされ、K個の偏波チャネルの信頼性は、残りのN-K個の偏波チャネルの信頼性より高い。
【０４２１】
任意選択として、シーケンスは、前述の方法におけるシーケンス(1)から(30)のうちのいずれか1つの一部または全てであることが可能であり、または前述の方法におけるシーケンスS1からS20のいずれか1つの一部または全てであることが可能である。
【０４２２】
図2において示されたPolar符号化方法と同じ発明の概念に基づいて、図4に示されるように、本出願の1つの実施形態は、Polar符号化装置400をさらに提供する。Polar符号化装置400は、図2において示されたPolar符号化方法を行うように構成される。図2において示されたPolar符号化方法の一部または全ては、ハードウェアによって実行されることが可能であり、またはソフトウェアによって実行されることが可能である。方法がハードウェアを使用することによって実行されるとき、Polar符号化装置400は、符号化予定ビットを取得するように構成された入力インターフェース回路401と、図2において示されたPolar符号化方法を行うように構成されたロジック回路402(ここで、前述の方法の実施形態における説明に対して参照が行われることが可能であり、詳細は本明細書において再び説明されない)と、符号化済ビット列を出力するように構成された出力インターフェース回路403と、を含む。
【０４２３】
任意選択として、特定の実装形態において、Polar符号化装置400は、チップまたは集積回路であることが可能である。
【０４２４】
任意選択として、前述の実施形態におけるPolar符号化方法の一部または全てがソフトウェアを使用することによって実行されるとき、図5に示されるように、Polar符号化装置400は、プログラムを格納するように構成されたメモリ501と、メモリ501に格納されたプログラムを実行するように構成されたプロセッサ502と、を含む。プログラムが実行されると、Polar符号化装置400は、図2における前述の実施形態において提供されたPolar符号化方法を実行することができる。
【０４２５】
任意選択として、メモリ501は、物理的に独立のユニットであることが可能であり、または図6に示されるように、メモリ501は、プロセッサ502に統合される。
【０４２６】
任意選択として、図2における前述の実施形態における符号化方法の一部または全てが、ソフトウェアを使用することによって実行されるとき、Polar符号伝送装置400は、プロセッサ502だけを含むことができる。プログラムを格納するように構成されたメモリ501は、Polar符号伝送装置400の外部にある。プロセッサ502は、回路/ワイヤを使用することによってメモリ501に接続され、メモリ501に格納されたプログラムを読み込んで実行するように構成される。
【０４２７】
プロセッサ502は、中央処理装置(central processing unit, CPU)、ネットワークプロセッサ(network processor, NP)、またはCPUとNPの組合せであることが可能である。
【０４２８】
プロセッサ502は、ハードウェアチップをさらに含むことができる。ハードウェアチップは、特定用途向け集積回路(application-specific integrated circuit, ASIC)、プログラマブルロジックデバイス(programmable logic device, PLD)、またはこれらの組合せであることが可能である。PLDは、コンプレックスプログラマブルロジカルデバイス(complex programmable logic device, CPLD)、フィールドプログラマブルゲートアレイ(field-programmable gate array, FPGA)、ジェネリックアレイロジック(generic array logic, GAL)、またはこれらの任意の組合せであることが可能である。
【０４２９】
メモリ501は、ランダムアクセスメモリ(random-access memory, RAM)などの揮発性メモリ(volatile memory)を含むことができ、メモリ501は、フラッシュメモリ(flash memory)、ハードディスクドライブ(hard disk drive, HDD)、もしくはソリッドステートデバイス(solid-state drive, SSD)などの不揮発性メモリ(non-volatile memory)を含むことができ、またメモリ501は、メモリの前述のタイプの組合せを含むこともできる。
【０４３０】
本出願の1つの実施形態は、コンピュータストレージ媒体をさらに提供する。コンピュータストレージ媒体は、コンピュータプログラムを格納し、コンピュータプログラムは、図2において示されたPolar符号化方法を行うために使用される命令を含む。
【０４３１】
本出願の1つの実施形態は、命令を含むコンピュータプログラム製品をさらに提供する。コンピュータプログラム製品がコンピュータ上で動くと、コンピュータは、図2において示されたPolar符号化方法を行う。
【０４３２】
本出願の実施形態は、方法、システム、またはコンピュータプログラム製品として提供されることが可能であるということを当業者は理解するであろう。したがって、本出願は、ハードウェアのみの実施形態、ソフトウェアのみの実施形態、またはソフトウェアとハードウェアの組合せによる実施形態の形式を使用することができる。その上、本出願は、コンピュータ使用可能プログラムコードを含む1つまたは複数のコンピュータ使用可能ストレージ媒体(ディスクメモリ、CD-ROM、光メモリ、および同様のものを含むが、これらに限定されない)において実行されるコンピュータプログラム製品の形式を使用することができる。
【０４３３】
本出願は、本出願の実施形態による方法、デバイス(システム)、およびコンピュータプログラム製品の流れ図および/またはブロック図を参照しながら説明される。コンピュータプログラム命令は、流れ図および/またはブロック図における各処理および/または各ブロック、ならびに流れ図および/またはブロック図における処理および/またはブロックの組合せを実行するために使用されることが可能であるということが理解されよう。これらのコンピュータプログラム命令は、コンピュータ、または他の任意のプログラム可能データ処理デバイスのプロセッサによって実行される命令が、流れ図における1つもしくは複数の処理において、および/またはブロック図における1つもしくは複数のブロックにおいて、特定の機能を実行するための装置を生成するように、汎用コンピュータ、専用コンピュータ、組込みプロセッサ、または機械を生成するための他の任意のプログラム可能データ処理デバイスのプロセッサに提供されることが可能である。
【０４３４】
コンピュータ可読メモリに格納された命令が、命令装置を含むアーチファクトを生成するように、特定の手法で動くことをコンピュータまたは他の任意のプログラム可能データ処理デバイスに命令することができるこれらのコンピュータプログラム命令は、コンピュータ可読メモリに格納されることが可能である。命令装置は、流れ図における1つもしくは複数の処理において、および/またはブロック図における1つもしくは複数のブロックにおいて、特定の機能を実行する。
【０４３５】
これらのコンピュータプログラム命令は、コンピュータ、または別のプログラム可能デバイスにおいて一連の動作およびステップが行われるように、コンピュータ、または別のプログラム可能データ処理デバイスにロードされることが可能であり、このことにより、コンピュータ実行処理を生成する。したがって、コンピュータまたは別のプログラム可能デバイス上で実行される命令は、流れ図における1つもしくは複数の処理において、および/またはブロック図における1つもしくは複数のブロックにおいて、特定の機能を実行するためのステップを提供する。
【０４３６】
本出願のいくつかの好ましい実施形態が説明されてきたが、当業者は、基本的な発明の概念を知ると、これらの実施形態に対して変更および修正を行うことができる。したがって、以下の特許請求の範囲は、本出願の範囲に含まれる好ましい実施形態ならびに全ての変更および修正をカバーするように解釈されることを意図するものである。
【０４３７】
明らかに当業者は、本発明の実施形態の精神および範囲から逸脱することなく、本出願の実施形態に対して様々な修正および変更を行うことができる。本出願は、以下の特許請求の範囲およびこれらの同等技術によって定義される保護範囲に、これらの修正および変更が含まれる場合、これらの修正および変更をカバーすることを意図するものである。
【符号の説明】
【０４３８】
100  通信システム
101  伝送エンド
102  受信エンド
300  Polar符号化装置
301  判断ユニット
302  符号化ユニット
400  Polar符号化装置、Polar符号伝送装置
401  入力インターフェース回路
402  ロジック回路
403  出力インターフェース回路
501  メモリ
502  プロセッサ
【図１】
2020528250.tif 000181
【図２】
2020528250.tif 000182
【図３】
2020528250.tif 000183
【図４】
2020528250.tif 000184
【図５】
2020528250.tif 000185
【図６】
2020528250.tif 000186
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
Polar符号化方法であって、
符号化予定ビットを符号化するために使用されるシーケンスを判断するステップであって、前記シーケンスが、長さNを有し、N個の偏波チャネルの信頼性オーダーを表現するために使用され、Nが、2の正の整数乗であり、前記シーケンスが、
【数１】
2020528250.tif 000187
であり、
【数２】
2020528250.tif 000188
が、前記シーケンス内のサブシーケンスであり、nが、予めセットされたシーケンス内の前記サブシーケンスのシーケンス番号であり、n∈{1, 2, 3}であり、mが、第nのサブシーケンスの長さを示し、前記サブシーケンス内の要素の位置が、前記サブシーケンス内で相互に交換されることが可能である、ステップと、
符号化済ビットを取得するために前記シーケンスを使用することによって、前記符号化予定ビットに対してPolar符号化を行うステップと
を含む、Polar符号化方法。
【請求項２】
前記符号化予定ビットを符号化するために使用される前記シーケンスを判断する前記ステップが、
前記母符号長Nおよび予めセットされたシーケンスに基づいて、前記符号化予定ビットを符号化するために使用される前記シーケンスを判断するステップ
を含む、請求項1に記載の方法。
【請求項３】
前記符号化予定ビットを符号化するために使用される前記シーケンスが、別のシーケンスの全てまたはサブセットであり、前記別のシーケンスが、Nmax個の偏波チャネルのシーケンス番号を含み、前記Nmax個のシーケンス番号が、前記Nmax個の偏波チャネルの信頼性に基づいて前記別のシーケンス内に配列され、Nmaxが、2の正の整数乗であり、Nmax≧Nである、請求項1または2に記載の方法。
【請求項４】
Nmax=1024である、請求項3に記載の方法。
【請求項５】
前記符号化予定ビットの長さがKであり、前記K個の符号化予定ビットが、前記N個の偏波チャネル内のK個の偏波チャネルにマッピングされる、請求項1から4のいずれか一項に記載の方法。
【請求項６】
【数３】
2020528250.tif 000189
が、
【数４】
2020528250.tif 000190
= (33, 7, 65, 513, 4, 13, 6, 19, 129, 10, 34, 18, 11, 257, 21, 35, 25, 66, 8, 37, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 70, 50, 75, 161, 43, 521, 273, 193, 71, 45, 132, 82, 16, 289, 51, 135, 74, 515, 24, 53, 321, 134, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 209, 268, 386, 325, 305, 537, 769, 533, 164, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 171, 198, 642, 178, 282, 92, 553, 202, 389, 294, 199, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 156, 110, 534, 401, 306, 301, 643, 211, 185, 327, 539, 116, 168, 593, 158, 226, 307, 548, 330, 111, 771, 213, 118, 172, 551, 331, 227, 649, 388, 309, 159, 609, 417, 338, 535, 217, 272, 550, 119, 280, 538, 333, 390, 174, 580, 122, 200, 777, 180, 229, 554, 339, 657, 313, 541, 391, 175, 582, 394, 284, 773, 123, 673, 555, 785, 64, 341, 705, 449, 562, 354, 801, 395, 233, 204, 528, 583, 557, 296, 286, 182, 125, 206, 241, 644, 586, 563, 287, 300, 355, 183, 402, 212, 397, 345, 587, 833, 565, 96, 186, 207, 328, 646, 536, 403, 594, 187, 357, 589, 569, 308, 647, 419, 214, 302, 228, 303, 897, 595, 361, 112, 650, 772, 418, 540, 215, 405, 310, 189, 450, 332, 218, 160, 610, 597, 552, 651, 120, 230, 334, 409, 542, 774, 611, 658, 311, 421, 601, 219, 369, 231, 653, 392, 176, 314, 340, 543, 335, 124, 556, 775, 234, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 246, 619, 350, 788, 128, 782, 898, 408, 667, 437, 592, 364, 621, 466, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 446, 933, 847, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 874, 639, 755, 256, 969, 870, 492, 479, 384, 911, 816, 918, 728, 871, 702, 932, 861, 500, 757, 732, 824, 923, 875, 977, 919, 503, 934, 744, 761, 882, 495, 703, 922, 877, 502, 848, 993, 448, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021)  および
【数５】
2020528250.tif 000191
という条件のうちの少なくとも1つを満たす、請求項1から5のいずれか一項に記載の方法。
【請求項７】
N=64であるとき、前記シーケンスが、
[1, 2, (5, 9, 3), 17, 33, (7, 4, 13, 6, 19, 10, 34, 18, 11), 21, 35, 25, (8, 37), (12, 41), (20, 14, 49), 15, 22, (27, 36, 39, 23, 38, 26), 42, 29, (50, 43), 45, (16, 51), (24, 53), (57, 28), 40, 30, (44, 31), 46, 52, 47, 54, 55, 58, 59, 61, 32, 48, 56, 60, 62, 63, 64];
[1, 2, (5, 9, 3), 17, (33, 7, 4, 13, 6, 19, 10, 34, 18, 11), 21, 35, 25, (8, 37), (12, 41), (20, 14, 49), 15, 22, (27, 36, 39, 23, 38, 26), (42, 29), (50, 43, 45, 16, 51), (24, 53), (57, 28), 40, 30, (44, 31), 46, 52, 47, 54, 55, 58, 59, (61, 32), 48, 56, 60, 62, 63, 64]または
[1, 2, (5, 9, 3), 17, (33, 7, 4, 13, 6, 19, 10, 34, 18, 11, 21, 35, 25, 8, 37), (12, 41), (20, 14, 49), 15, 22, (27, 36, 39, 23, 38, 26), (42, 29), (50, 43, 45, 16, 51), (24, 53), (57, 28, 40), 30, (44, 31), 46, 52, 47, 54, 55, 58, 59, (61, 32), 48, 56, 60, 62, 63, 64]というシーケンスのいずれか1つであり、
丸括弧内の要素の位置が、前記丸括弧内で相互に交換されることが可能である、
請求項1から5のいずれか一項に記載の方法。
【請求項８】
N=128であるとき、前記シーケンスが、
[1, 2, (5, 9, 3), 17, (33, 7, 65, 4, 13, 6, 19, 10, 34, 18, 11, 21, 35, 25, 66, 8, 37, 67, 12, 41), (20, 14, 69, 49, 15, 73), 22, (27, 36, 81, 39, 23, 38, 26, 97, 68, 42, 29), (70, 50, 75, 43, 71, 45, 82, 16, 51, 74, 24, 53), 77, (83, 57, 28, 98, 40, 85, 30), (44, 99, 31, 89, 72, 46, 101), 52, (47, 76, 105, 54), (78, 55, 84, 58, 113, 86, 79, 59, 100, 87, 61, 90, 102, 91, 32), (103, 106, 48, 93), (107, 56, 114), (80, 109), (60, 115), (88, 62, 117), (92, 63, 121, 104), 94, (108, 95), 110, 116, 111, 118, (119, 122, 123, 64, 125, 96), 112, 120, 124, 126, 127, 128]であり、
丸括弧内の要素の位置が、前記丸括弧内で相互に交換されることが可能である、
請求項1から5のいずれか一項に記載の方法。
【請求項９】
N=256であるとき、前記シーケンスが、
[1, 2, (5, 9, 3), 17, (33, 7, 65, 4, 13, 6, 19, 129, 10, 34, 18, 11, 21, 35, 25, 66, 8, 37, 67, 130, 12, 41, 20, 133, 14, 69, 49, 15, 73, 22, 131, 27, 36, 81, 137, 39, 23, 38, 26, 97, 68, 42, 145, 29, 70, 50, 75, 161, 43, 193, 71, 45, 132, 82, 16, 51, 135, 74, 24, 53, 134, 77, 83, 138, 57, 28, 98, 40, 139, 85, 30, 146, 44, 99, 141, 31, 89, 147, 72, 162, 46, 101, 149, 52, 47, 76, 105, 165, 194, 54, 163, 78, 153, 55, 84, 58, 113, 86, 136, 195, 79, 59, 169, 100, 140, 197, 87, 177, 61, 90, 102, 148, 142, 143, 91, 201, 32, 103, 106, 150, 48, 93, 209, 164, 154, 151, 107, 56, 166, 114, 155, 80, 225, 167, 109, 60, 115, 196, 170, 157, 88, 62, 117, 171, 198, 178, 92, 202, 199, 63, 144, 173, 121, 104, 179, 203, 94, 152, 210, 181, 108, 95, 205, 156, 110, 211, 185, 116, 168, 158, 226, 111, 213, 118, 172, 227, 159, 217, 119, 174, 122, 200, 180, 229, 175, 123, 64, 233, 204, 182, 125, 206, 241, 183, 212, 96, 186, 207, 187, 214, 228, 112, 215, 189, 218, 160, 120, 230, 219), (231, 176, 124, 234, 221, 126, 235, 184, 242, 188, 208, 237, 127, 243), (216, 245, 190), (220, 249, 191, 232), 222, (236, 223), (238, 244, 239, 246, 128), (247, 250, 251, 192), (253, 224), 240, 248, 252, 254, 255, 256]であり、
丸括弧内の要素の位置が、前記丸括弧内で相互に交換されることが可能である、
請求項1から5のいずれか一項に記載の方法。
【請求項１０】
N=512であるとき、前記シーケンスが、
[1, 2, (5, 9, 3), 17, (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438), (462, 381, 248, 442, 352, 470, 439, 463, 252, 497, 468, 368, 443, 475, 484, 380, 416, 254, 445, 486, 471, 376, 474, 432, 487, 490, 255, 477), (440, 493, 382, 499, 464, 491, 383, 472, 498, 444, 501, 446, 447, 476, 488, 478, 494, 505, 256, 492, 479, 384, 500, 503, 495, 502, 448, 506), 507, (480, 509), (504, 496), 508, 510, 511, 512]  または
【数６】
2020528250.tif 000192
というシーケンスのいずれか1つであり、
【数７】
2020528250.tif 000193
= (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438, 462, 381, 248, 442, 352, 470, 439, 463, 252, 497, 468, 368, 443, 475, 484, 380, 416, 254, 445, 486, 471, 376, 474, 432, 487, 490, 255, 477);
【数８】
2020528250.tif 000194
および
【数９】
2020528250.tif 000195
であり、
丸括弧内の要素の位置が、前記丸括弧内で相互に交換されることが可能である、
請求項1から5のいずれか一項に記載の方法。
【請求項１１】
前記符号化済ビットに対してレートマッチングを行うステップ
をさらに含む、請求項1から10のいずれか一項に記載の方法。
【請求項１２】
Polar符号化装置であって、
符号化予定ビットを符号化するために使用されるシーケンスを判断するように構成された判断ユニットであって、前記シーケンスが、長さNを有し、N個の偏波チャネルの信頼性オーダーを表現するために使用され、Nが、Polar符号の母符号長であり、Nが、2の正の整数乗であり、前記シーケンスが、
【数１０】
2020528250.tif 000196
であり、
【数１１】
2020528250.tif 000197
が、前記シーケンス内のサブシーケンスであり、nが、予めセットされたシーケンス内の前記サブシーケンスのシーケンス番号であり、n∈{1, 2, 3}であり、mが、第nのサブシーケンスの長さを示し、前記サブシーケンス内の要素の位置が、前記サブシーケンス内で相互に交換されることが可能である、判断ユニットと、
符号化済ビットを取得するために前記シーケンスを使用することによって、前記符号化予定ビットに対してPolar符号化を行うように構成された符号化ユニットと
を備える、Polar符号化装置。
【請求項１３】
前記判断ユニットが、
前記母符号長Nおよび予めセットされたシーケンスに基づいて、前記符号化予定ビットを符号化するために使用される前記シーケンスを判断すること
を行うように構成される、請求項12に記載の装置。
【請求項１４】
前記符号化予定ビットを符号化するために使用される前記シーケンスが、別のシーケンスの全てまたはサブセットであり、前記別のシーケンスが、Nmax個の偏波チャネルのシーケンス番号を含み、前記Nmax個のシーケンス番号が、前記Nmax個の偏波チャネルの信頼性に基づいて前記別のシーケンス内に配列され、Nmaxが、2の正の整数乗であり、Nmax≧Nである、請求項12または13に記載の装置。
【請求項１５】
Nmax=1024である、請求項14に記載の装置。
【請求項１６】
前記符号化予定ビットの長さがKであり、前記K個の符号化予定ビットが、前記N個の偏波チャネル内のK個の偏波チャネルにマッピングされる、請求項12から15のいずれか一項に記載の装置。
【請求項１７】
【数１２】
2020528250.tif 000198
が、
【数１３】
2020528250.tif 000199
= (33, 7, 65, 513, 4, 13, 6, 19, 129, 10, 34, 18, 11, 257, 21, 35, 25, 66, 8, 37, 67, 130, 12, 41, 20, 133, 514, 14, 69, 49, 15, 73, 258, 22, 131, 27, 36, 81, 259, 137, 39, 23, 261, 517, 38, 26, 97, 68, 265, 42, 145, 29, 70, 50, 75, 161, 43, 521, 273, 193, 71, 45, 132, 82, 16, 289, 51, 135, 74, 515, 24, 53, 321, 134, 77, 83, 138, 57, 28, 260, 529, 98, 40, 385, 139, 85, 30, 262, 146, 545, 44, 99, 141, 31, 89, 263, 147, 72, 519, 266, 162, 46, 101, 149, 52, 47, 577, 76, 267, 105, 274, 165, 194, 54, 516, 163, 269, 78, 153, 275, 55, 525, 84, 58, 113, 86, 136, 290, 518, 195, 79, 291, 59, 277, 169, 531, 100, 140, 197, 87, 177, 641, 61, 90, 281, 102, 148, 293, 522, 142, 322, 143, 91, 201, 546, 32, 103, 264, 106, 530, 323, 150, 297, 48, 523, 93, 209, 268, 386, 325, 305, 537, 769, 533, 164, 154, 151, 107, 56, 166, 387, 578, 329, 549, 270, 114, 155, 80, 225, 167, 276, 109, 579, 271, 60, 115, 196, 170, 157, 88, 547, 62, 278, 292, 520, 279, 117, 171, 198, 642, 178, 282, 92, 553, 202, 389, 294, 199, 524, 63, 144, 337, 585, 173, 283, 121, 645, 104, 179, 295, 532, 203, 94, 324, 561, 393, 298, 152, 581, 210, 285, 181, 526, 108, 95, 205, 770, 299, 353, 326, 527, 156, 110, 534, 401, 306, 301, 643, 211, 185, 327, 539, 116, 168, 593, 158, 226, 307, 548, 330, 111, 771, 213, 118, 172, 551, 331, 227, 649, 388, 309, 159, 609, 417, 338, 535, 217, 272, 550, 119, 280, 538, 333, 390, 174, 580, 122, 200, 777, 180, 229, 554, 339, 657, 313, 541, 391, 175, 582, 394, 284, 773, 123, 673, 555, 785, 64, 341, 705, 449, 562, 354, 801, 395, 233, 204, 528, 583, 557, 296, 286, 182, 125, 206, 241, 644, 586, 563, 287, 300, 355, 183, 402, 212, 397, 345, 587, 833, 565, 96, 186, 207, 328, 646, 536, 403, 594, 187, 357, 589, 569, 308, 647, 419, 214, 302, 228, 303, 897, 595, 361, 112, 650, 772, 418, 540, 215, 405, 310, 189, 450, 332, 218, 160, 610, 597, 552, 651, 120, 230, 334, 409, 542, 774, 611, 658, 311, 421, 601, 219, 369, 231, 653, 392, 176, 314, 340, 543, 335, 124, 556, 775, 234, 315, 659, 613, 342, 778, 451, 221, 425, 356, 674, 584, 126, 235, 184, 396, 242, 558, 661, 617, 317, 343, 346, 779, 564, 404, 288, 398, 453, 675, 559, 786, 433, 188, 358, 208, 665, 588, 781, 706, 677, 237, 347, 566, 362, 127, 243, 590, 406, 216, 399, 567, 304, 598, 359, 802, 420, 625, 457, 787, 349, 245, 570, 190, 591, 220, 648, 312, 707, 363, 596, 465, 803, 407, 681, 422, 789, 249, 599, 191, 571, 370, 652, 410, 835, 411, 709, 481, 614, 232, 573, 316, 660, 365, 423, 336, 689, 371, 793, 222, 612, 452, 602, 426, 805, 413, 654, 454, 834, 318, 713, 236, 603, 344, 544, 373, 655, 223, 615, 427, 776, 434, 560, 238, 899, 618, 348, 809, 244, 721, 455, 666, 319, 605, 377, 662, 429, 780, 239, 676, 360, 837, 459, 626, 400, 663, 678, 435, 568, 458, 817, 246, 619, 350, 788, 128, 782, 898, 408, 667, 437, 592, 364, 621, 466, 737, 351, 679, 572, 247, 682, 250, 627, 461, 708, 841, 412, 783, 366, 790, 441, 600, 375, 669, 629, 424, 901, 467, 849, 804, 251, 791, 372, 710, 192, 574, 690, 482, 683, 414, 604, 794, 367, 714, 469, 711, 374, 575, 656, 428, 807, 415, 685, 905, 253, 616, 483, 633, 806, 430, 795, 865, 224, 691, 456, 715, 836, 473, 810, 378, 606, 620, 436, 664, 722, 320, 797, 485, 693, 913, 431, 607, 717, 489, 811, 460, 839, 668, 240, 818, 622, 379, 838, 723, 438, 697, 462, 738, 680, 381, 813, 628, 248, 900, 842, 442, 623, 929, 352, 725, 784, 470, 630, 819, 439, 670, 463, 739, 684, 252, 843, 850, 497, 902, 821, 729, 468, 634, 903, 368, 671, 792, 443, 845, 631, 475, 686, 851, 484, 692, 712, 380, 866, 796, 416, 825, 961, 741, 254, 906, 635, 445, 694, 745, 486, 808, 687, 907, 471, 576, 716, 376, 867, 914, 474, 853, 637, 798, 432, 695, 812, 487, 753, 724, 799, 490, 857, 909, 255, 718, 608, 931, 477, 698, 726, 915, 440, 820, 840, 869, 493, 719, 699, 382, 814, 624, 815, 499, 873, 740, 930, 672, 917, 822, 464, 727, 962, 844, 491, 632, 730, 701, 383, 742, 846, 921, 472, 823, 852, 731, 498, 881, 743, 444, 904, 688, 826, 501, 446, 933, 847, 636, 746, 827, 733, 447, 963, 937, 476, 854, 868, 638, 908, 488, 696, 747, 829, 754, 855, 858, 916, 965, 478, 910, 720, 800, 700, 494, 505, 749, 945, 859, 874, 639, 755, 256, 969, 870, 492, 479, 384, 911, 816, 918, 728, 871, 702, 932, 861, 500, 757, 732, 824, 923, 875, 977, 919, 503, 934, 744, 761, 882, 495, 703, 922, 877, 502, 848, 993, 448, 734, 828, 883, 935, 964, 506, 938, 748, 856, 925, 735, 830, 966, 939, 885, 507, 750, 946, 860, 756, 480, 967, 831, 889, 941, 751, 872, 971, 912, 758, 947, 970, 862, 978, 876, 920, 640, 759, 949, 863, 762, 509, 973, 924, 878, 953, 887, 936, 979, 763, 504, 884, 704, 994, 926, 879, 981, 942, 765, 496, 927, 886, 995, 736, 940, 985, 968, 890, 948, 832, 508, 943, 752, 974, 997, 891, 950, 760, 893, 972, 1001, 954, 510, 864, 982, 951, 975, 764, 1009, 980, 880, 955, 987, 996, 892, 928, 511, 766, 957, 998, 983, 888, 986, 944, 999, 1002, 767, 989, 952, 1005, 894, 1011, 958, 976, 512, 1003, 895, 984, 1010, 956, 988, 1013, 959, 1000, 1006, 990, 1017, 991, 1012, 768, 1004, 1015, 1007, 1018, 896, 1014, 992, 1019, 960, 1021)  および
【数１４】
2020528250.tif 000200
という条件のうちの少なくとも1つを満たす、請求項12から16のいずれか一項に記載の装置。
【請求項１８】
N=64であるとき、前記シーケンスが、
[1, 2, (5, 9, 3), 17, 33, (7, 4, 13, 6, 19, 10, 34, 18, 11), 21, 35, 25, (8, 37), (12, 41), (20, 14, 49), 15, 22, (27, 36, 39, 23, 38, 26), 42, 29, (50, 43), 45, (16, 51), (24, 53), (57, 28), 40, 30, (44, 31), 46, 52, 47, 54, 55, 58, 59, 61, 32, 48, 56, 60, 62, 63, 64];
[1, 2, (5, 9, 3), 17, (33, 7, 4, 13, 6, 19, 10, 34, 18, 11), 21, 35, 25, (8, 37), (12, 41), (20, 14, 49), 15, 22, (27, 36, 39, 23, 38, 26), (42, 29), (50, 43, 45, 16, 51), (24, 53), (57, 28), 40, 30, (44, 31), 46, 52, 47, 54, 55, 58, 59, (61, 32), 48, 56, 60, 62, 63, 64]または
[1, 2, (5, 9, 3), 17, (33, 7, 4, 13, 6, 19, 10, 34, 18, 11, 21, 35, 25, 8, 37), (12, 41), (20, 14, 49), 15, 22, (27, 36, 39, 23, 38, 26), (42, 29), (50, 43, 45, 16, 51), (24, 53), (57, 28, 40), 30, (44, 31), 46, 52, 47, 54, 55, 58, 59, (61, 32), 48, 56, 60, 62, 63, 64]というシーケンスのいずれか1つであり、
丸括弧内の要素の位置が、前記丸括弧内で相互に交換されることが可能である、
請求項12から16のいずれか一項に記載の装置。
【請求項１９】
N=128であるとき、前記シーケンスが、
[1, 2, (5, 9, 3), 17, (33, 7, 65, 4, 13, 6, 19, 10, 34, 18, 11, 21, 35, 25, 66, 8, 37, 67, 12, 41), (20, 14, 69, 49, 15, 73), 22, (27, 36, 81, 39, 23, 38, 26, 97, 68, 42, 29), (70, 50, 75, 43, 71, 45, 82, 16, 51, 74, 24, 53), 77, (83, 57, 28, 98, 40, 85, 30), (44, 99, 31, 89, 72, 46, 101), 52, (47, 76, 105, 54), (78, 55, 84, 58, 113, 86, 79, 59, 100, 87, 61, 90, 102, 91, 32), (103, 106, 48, 93), (107, 56, 114), (80, 109), (60, 115), (88, 62, 117), (92, 63, 121, 104), 94, (108, 95), 110, 116, 111, 118, (119, 122, 123, 64, 125, 96), 112, 120, 124, 126, 127, 128]であり、
丸括弧内の要素の位置が、前記丸括弧内で相互に交換されることが可能である、
請求項12から16のいずれか一項に記載の装置。
【請求項２０】
N=256であるとき、前記シーケンスが、
[1, 2, (5, 9, 3), 17, (33, 7, 65, 4, 13, 6, 19, 129, 10, 34, 18, 11, 21, 35, 25, 66, 8, 37, 67, 130, 12, 41, 20, 133, 14, 69, 49, 15, 73, 22, 131, 27, 36, 81, 137, 39, 23, 38, 26, 97, 68, 42, 145, 29, 70, 50, 75, 161, 43, 193, 71, 45, 132, 82, 16, 51, 135, 74, 24, 53, 134, 77, 83, 138, 57, 28, 98, 40, 139, 85, 30, 146, 44, 99, 141, 31, 89, 147, 72, 162, 46, 101, 149, 52, 47, 76, 105, 165, 194, 54, 163, 78, 153, 55, 84, 58, 113, 86, 136, 195, 79, 59, 169, 100, 140, 197, 87, 177, 61, 90, 102, 148, 142, 143, 91, 201, 32, 103, 106, 150, 48, 93, 209, 164, 154, 151, 107, 56, 166, 114, 155, 80, 225, 167, 109, 60, 115, 196, 170, 157, 88, 62, 117, 171, 198, 178, 92, 202, 199, 63, 144, 173, 121, 104, 179, 203, 94, 152, 210, 181, 108, 95, 205, 156, 110, 211, 185, 116, 168, 158, 226, 111, 213, 118, 172, 227, 159, 217, 119, 174, 122, 200, 180, 229, 175, 123, 64, 233, 204, 182, 125, 206, 241, 183, 212, 96, 186, 207, 187, 214, 228, 112, 215, 189, 218, 160, 120, 230, 219), (231, 176, 124, 234, 221, 126, 235, 184, 242, 188, 208, 237, 127, 243), (216, 245, 190), (220, 249, 191, 232), 222, (236, 223), (238, 244, 239, 246, 128), (247, 250, 251, 192), (253, 224), 240, 248, 252, 254, 255, 256]であり、
丸括弧内の要素の位置が、前記丸括弧内で相互に交換されることが可能である、
請求項12から16のいずれか一項に記載の装置。
【請求項２１】
N=512であるとき、前記シーケンスが、
[1, 2, (5, 9, 3), 17, (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438), (462, 381, 248, 442, 352, 470, 439, 463, 252, 497, 468, 368, 443, 475, 484, 380, 416, 254, 445, 486, 471, 376, 474, 432, 487, 490, 255, 477), (440, 493, 382, 499, 464, 491, 383, 472, 498, 444, 501, 446, 447, 476, 488, 478, 494, 505, 256, 492, 479, 384, 500, 503, 495, 502, 448, 506), 507, (480, 509), (504, 496), 508, 510, 511, 512]  または
【数１５】
2020528250.tif 000201
というシーケンスのいずれか1つであり、
【数１６】
2020528250.tif 000202
= (33, 7, 65, 4, 13, 6, 19, 129, 10, 34, 18, 11, 257, 21, 35, 25, 66, 8, 37, 67, 130, 12, 41, 20, 133, 14, 69, 49, 15, 73, 258, 22, 131, 27, 36, 81, 259, 137, 39, 23, 261, 38, 26, 97, 68, 265, 42, 145, 29, 70, 50, 75, 161, 43, 273, 193, 71, 45, 132, 82, 16, 289, 51, 135, 74, 24, 53, 321, 134, 77, 83, 138, 57, 28, 260, 98, 40, 385, 139, 85, 30, 262, 146, 44, 99, 141, 31, 89, 263, 147, 72, 266, 162, 46, 101, 149, 52, 47, 76, 267, 105, 274, 165, 194, 54, 163, 269, 78, 153, 275, 55, 84, 58, 113, 86, 136, 290, 195, 79, 291, 59, 277, 169, 100, 140, 197, 87, 177, 61, 90, 281, 102, 148, 293, 142, 322, 143, 91, 201, 32, 103, 264, 106, 323, 150, 297, 48, 93, 209, 268, 386, 325, 305, 164, 154, 151, 107, 56, 166, 387, 329, 270, 114, 155, 80, 225, 167, 276, 109, 271, 60, 115, 196, 170, 157, 88, 62, 278, 292, 279, 117, 171, 198, 178, 282, 92, 202, 389, 294, 199, 63, 144, 337, 173, 283, 121, 104, 179, 295, 203, 94, 324, 393, 298, 152, 210, 285, 181, 108, 95, 205, 299, 353, 326, 156, 110, 401, 306, 301, 211, 185, 327, 116, 168, 158, 226, 307, 330, 111, 213, 118, 172, 331, 227, 388, 309, 159, 417, 338, 217, 272, 119, 280, 333, 390, 174, 122, 200, 180, 229, 339, 313, 391, 175, 394, 284, 123, 64, 341, 449, 354, 395, 233, 204, 296, 286, 182, 125, 206, 241, 287, 300, 355, 183, 402, 212, 397, 345, 96, 186, 207, 328, 403, 187, 357, 308, 419, 214, 302, 228, 303, 361, 112, 418, 215, 405, 310, 189, 450, 332, 218, 160, 120, 230, 334, 409, 311, 421, 219, 369, 231, 392, 176, 314, 340, 335, 124, 234, 315, 342, 451, 221, 425, 356, 126, 235, 184, 396, 242, 317, 343, 346, 404, 288, 398, 453, 433, 188, 358, 208, 237, 347, 362, 127, 243, 406, 216, 399, 304, 359, 420, 457, 349, 245, 190, 220, 312, 363, 465, 407, 422, 249, 191, 370, 410, 411, 481, 232, 316, 365, 423, 336, 371, 222, 452, 426, 413, 454, 318, 236, 344, 373, 223, 427, 434, 238, 348, 244, 455, 319, 377, 429, 239, 360, 459, 400, 435, 458, 246, 350, 128, 408, 437, 364, 466, 351, 247, 250, 461, 412, 366, 441, 375, 424, 467, 251, 372, 192, 482, 414, 367, 469, 374, 428, 415, 253, 483, 430, 224, 456, 473, 378, 436, 320, 485, 431, 489, 460, 240, 379, 438, 462, 381, 248, 442, 352, 470, 439, 463, 252, 497, 468, 368, 443, 475, 484, 380, 416, 254, 445, 486, 471, 376, 474, 432, 487, 490, 255, 477);
【数１７】
2020528250.tif 000203
および
【数１８】
2020528250.tif 000204
であり、
丸括弧内の要素の位置が、前記丸括弧内で相互に交換されることが可能である、
請求項12から16のいずれか一項に記載の装置。
【請求項２２】
前記符号化ユニットが、前記符号化済ビットに対してレートマッチングを行うように構成される、請求項12から21のいずれか一項に記載の装置。
【請求項２３】
Polar符号化装置であって、
プログラムを格納するように構成されたメモリと、
前記メモリに格納された前記プログラムを実行するように構成されたプロセッサであって、前記プログラムが実行されると、請求項1から11のいずれか一項に記載の方法を行うように構成されたプロセッサと
を備える、Polar符号化装置。
【請求項２４】
前記Polar符号化装置が、チップまたは集積回路である、請求項23に記載の装置。
【請求項２５】
符号化予定ビットを取得するように構成された入力インターフェース回路と、
請求項1から11のいずれか一項に記載の方法を行うように構成されたロジック回路と、
Polar符号化後に取得された前記ビットを出力するように構成された出力インターフェース回路と
を備える、Polar符号化装置。
【請求項２６】
コンピュータプログラムを格納し、前記コンピュータプログラムが、命令を含み、装置によって実行されると、前記命令が、請求項1から11のいずれか一項に記載の方法を行わせる、コンピュータストレージ媒体。
【手続補正２】
【補正対象書類名】明細書
【補正対象項目名】０００１
【補正方法】削除
【補正の内容】
【手続補正３】
【補正対象書類名】明細書
【補正対象項目名】００２７
【補正方法】変更
【補正の内容】
【００２７】
第3の態様によれば、通信システムが提供され、ここで、通信システムは、伝送エンドおよび受信エンドを含み、伝送エンドは、第1の態様または第1の態様のいずれかの可能な設計による方法を行うことができる。
【手続補正４】
【補正対象書類名】明細書
【補正対象項目名】０４６７
【補正方法】変更
【補正の内容】
【０４６７】
本出願のいくつかの実施形態が説明されてきたが、当業者は、基本的な発明の概念を知ると、これらの実施形態に対して変更および修正を行うことができる。したがって、以下の特許請求の範囲は、本出願の範囲に含まれる好ましい実施形態ならびに全ての変更および修正をカバーするように解釈されることを意図するものである。
【国際調査報告】
2020528250.tif 000205
2020528250.tif 000206
2020528250.tif 000207
2020528250.tif 000208